(57)【要約】  動的スペクトルアービトラージ（ＤＳＡ）システムは、動的スペクトルポリシコントローラ（ＤＰＣ）と、動的スペクトルコントローラ（ＤＳＣ）とを含み、ＤＰＣおよびＤＳＣは共に、異なるネットワークにわたる資源（例えば、スペクトル資源）の割り当ておよび使用を動的に管理する。ＤＳＣコンポーネントは、ｅＮｏｄｅＢへの有線または無線接続、移動性管理実体（ＭＭＥ）および様々な他のネットワークコンポーネントを含み得る。これらのコンポーネントは、ワイヤレスデバイスが割り当てられた資源に関して移動する過程においてワイヤレスデバイスの取り扱い（例えば、ハンドオフ、ハンドイン、バックオフなど）をより良く管理および調整するために様々な移動性管理動作を伝達および実行するように構成することができる。
2016525824.tif 000002
【特許請求の範囲】
【請求項１】
地理的エリアに対する落札者を特定する通知メッセージをプロセッサで受信し、
前記地理的エリアの電気通信セルを特定する一次グリッド構造を含むグリッドマップ構造を生成し、
ワイヤレスデバイスの場所をモニタし、
前記一次グリッド構造の前記電気通信セルに関する前記ワイヤレスデバイスの前記場所を使用して、ネットワーク間ハンドオーバ動作を開始するかどうかを判断すること、
を含む、動的スペクトルアービトラージ（ＤＳＡ）方法。
【請求項２】
前記地理的エリアに対する前記落札者を特定する前記通知メッセージを受信することが、前記第１の電気通信ネットワークの動的スペクトルコントローラ（ＤＳＣ）で前記落札者として第１の電気通信ネットワークを特定するメッセージを受信することを含み、
ワイヤレスデバイスの場所をモニタすることが、前記第１の電気通信ネットワークの第１のｅＮｏｄｅＢに取り付けられた前記ワイヤレスデバイスの場所をモニタすることを含み、
前記一次グリッド構造の前記電気通信セルに関する前記ワイヤレスデバイスの前記場所を使用して、ネットワーク間ハンドオーバ動作を開始するかどうかを判断することが、前記第１のｅＮｏｄｅＢに取り付けられた前記ワイヤレスデバイスを第２の電気通信ネットワークの第２のｅＮｏｄｅＢに転移するためにハンドイン動作を開始するかどうかを判断することを含む、請求項１に記載のＤＳＡ方法。
【請求項３】
前記地理的エリアに対する前記落札者を特定する前記通知メッセージを受信することが、第２の電気通信ネットワークの動的スペクトルコントローラ（ＤＳＣ）で前記落札者として第１の電気通信ネットワークを特定するメッセージを受信することを含み、
ワイヤレスデバイスの場所をモニタすることが、前記第１の電気通信ネットワークに加入している、前記第２の電気通信ネットワークのｅＮｏｄｅＢに取り付けられたワイヤレスデバイスの場所をモニタすることを含み、
前記一次グリッド構造の前記電気通信セルに関する前記ワイヤレスデバイスの前記場所を使用して、ネットワーク間ハンドオーバ動作を開始するかどうかを判断することが、前記第１の電気通信ネットワークに加入している、前記ｅＮｏｄｅＢに取り付けられた前記ワイヤレスデバイスを前記第１の電気通信ネットワークに逆転移させるためにバックオフ動作を開始するかどうかを判断することを含む、請求項１に記載のＤＳＡ方法。
【請求項４】
前記第１の電気通信ネットワークに加入している、前記ｅＮｏｄｅＢに取り付けられた前記ワイヤレスデバイスを前記第１の電気通信ネットワークに逆転移させるためにバックオフ動作を開始するかどうかを判断する前記動作が、
資源リース期間が終了したと判断すること、
前記ｅＮｏｄｅＢが混雑していると判断すること、および、
前記ワイヤレスデバイスが前記地理的エリア外に移動したと判断すること
のうちの１つに応答して実行される、請求項３に記載のＤＳＡ方法。
【請求項５】
前記地理的エリアに対する前記落札者を特定する前記通知メッセージを受信することが、前記第１の電気通信ネットワークの動的スペクトルコントローラ（ＤＳＣ）で前記落札者として第１の電気通信ネットワークを特定するメッセージを受信することを含み、
前記生成されたグリッドマップ構造を使用して、前記第１の電気通信ネットワークのワイヤレスデバイスによるアクセスおよび使用のために第２の電気通信ネットワークの電気通信資源を割り当てること、
をさらに含む、請求項１に記載のＤＳＡ方法。
【請求項６】
前記地理的エリアの前記電気通信セルを特定する前記一次グリッド構造を含む前記グリッドマップ構造を生成することが、
内部セルおよび境界セルのうちの１つとして前記一次グリッド構造の前記電気通信セルの各々を分類すること、
をさらに含む、請求項１に記載のＤＳＡ方法。
【請求項７】
前記地理的エリアの前記電気通信セルを特定する前記一次グリッド構造を含むグリッドマップ構造を生成することが、前記境界セルに隣接する前記電気通信セルを特定するバッファゾーン構造をさらに含む前記グリッドマップ構造を生成することを含む、請求項６に記載のＤＳＡ方法。
【請求項８】
前記バッファゾーン構造を含む前記グリッドマップ構造を生成することが、複数の階層を含む前記バッファゾーン構造を生成することを含む、請求項７に記載のＤＳＡ方法。
【請求項９】
前記バッファゾーン構造を使用して、ピンポン回避動作を実行すること
をさらに含む、請求項７に記載のＤＳＡ方法。
【請求項１０】
前記ワイヤレスデバイスからｅＮｏｄｅＢ信号強度情報を含む測定レポートを受信すること、
をさらに含む、請求項１に記載のＤＳＡ方法。
【請求項１１】
ｅＮｏｄｅＢプロセッサを備えるｅＮｏｄｅＢと、
第１の通信リンクを介して前記ｅＮｏｄｅＢと結合されたＤＳＣプロセッサを備える動的スペクトルコントローラ（ＤＳＣ）と、
第２の通信リンクを介して前記ＤＳＣと結合されたＤＰＣプロセッサを備える動的スペクトルポリシコントローラ（ＤＰＣ）と
を含む動的スペクトルアービトラージ（ＤＳＡ）システムであって、
前記ＤＳＣプロセッサが、プロセッサ実行可能命令を用いて、
地理的エリアに対する落札者を特定する通知メッセージを前記ＤＰＣから受信し、
前記地理的エリアの電気通信セルを特定する一次グリッド構造を含むグリッドマップ構造を生成し、
ワイヤレスデバイスの場所をモニタし、
前記一次グリッド構造の前記電気通信セルに関する前記ワイヤレスデバイスの前記場所を使用して、ネットワーク間ハンドオーバ動作を開始するかどうかを判断すること、
を含む動作を実行するように構成される、ＤＳＡシステム。
【請求項１２】
前記ｅＮｏｄｅＢおよびＤＳＣが、第１の電気通信ネットワークに含まれ、前記ＤＳＣプロセッサが、プロセッサ実行可能命令を用いて、
前記地理的エリアに対する前記落札者を特定する前記通知メッセージを受信することが、前記落札者として前記第１の電気通信ネットワークを特定するメッセージを受信することを含み、
ワイヤレスデバイスの場所をモニタすることが、前記ｅＮｏｄｅＢに取り付けられた前記ワイヤレスデバイスの場所をモニタすることを含み、
前記一次グリッド構造の前記電気通信セルに関する前記ワイヤレスデバイスの前記場所を使用して、ネットワーク間ハンドオーバ動作を開始するかどうかを判断することが、前記ｅＮｏｄｅＢに取り付けられた前記ワイヤレスデバイスを第２の電気通信ネットワークの別のｅＮｏｄｅＢに転移するためにハンドイン動作を開始するかどうかを判断することを含むように、
動作を実行するように構成される、請求項１１に記載のＤＳＡシステム。
【請求項１３】
前記ｅＮｏｄｅＢおよびＤＳＣが、第１の電気通信ネットワークに含まれ、前記ＤＳＣプロセッサが、プロセッサ実行可能命令を用いて、
前記地理的エリアに対する前記落札者を特定する前記通知メッセージを受信することが、前記落札者として第２の電気通信ネットワークを特定するメッセージを受信することを含み、
ワイヤレスデバイスの場所をモニタすることが、前記第２の電気通信ネットワークに加入している、前記ｅＮｏｄｅＢに取り付けられたワイヤレスデバイスの場所をモニタすることを含み、
前記一次グリッド構造の前記電気通信セルに関する前記ワイヤレスデバイスの前記場所を使用して、ネットワーク間ハンドオーバ動作を開始するかどうかを判断することが、前記ワイヤレスデバイスを前記第２の電気通信ネットワークの別のｅＮｏｄｅＢに転移するためにバックオフ動作を開始するかどうかを判断することを含むように、
動作を実行するように構成される、請求項１１に記載のＤＳＡシステム。
【請求項１４】
前記ＤＳＣプロセッサが、プロセッサ実行可能命令を用いて、前記ワイヤレスデバイスを前記第２の電気通信ネットワークの別のｅＮｏｄｅＢに転移するためにバックオフ動作を開始するかどうかを判断する前記動作が、
資源リース期間が終了したと判断すること、
前記ｅＮｏｄｅＢが混雑していると判断すること、および、
前記ワイヤレスデバイスが前記地理的エリア外に移動したと判断すること
のうちの１つに応答して実行されるように、動作を実行するように構成される、請求項１３に記載のＤＳＡシステム。
【請求項１５】
前記ＤＳＣプロセッサが、プロセッサ実行可能命令を用いて、前記地理的エリアに対する前記落札者を特定する前記通知メッセージを受信することが、前記落札者として第１の電気通信ネットワークを特定するメッセージを受信することを含むように、動作を実行するように構成され、前記ＤＳＣプロセッサが、プロセッサ実行可能命令を用いて、
前記生成されたグリッドマップ構造を使用して、前記第１の電気通信ネットワークのワイヤレスデバイスによるアクセスおよび使用のために第２の電気通信ネットワークの電気通信資源を割り当てること、
をさらに含む動作を実行するように構成される、請求項１１に記載のＤＳＡシステム。
【請求項１６】
前記ＤＳＣプロセッサが、プロセッサ実行可能命令を用いて、前記地理的エリアの前記電気通信セルを特定する前記一次グリッド構造を含む前記グリッドマップ構造を生成することが、
内部セルおよび境界セルのうちの１つとして前記一次グリッド構造の前記電気通信セルの各々を分類すること
をさらに含むように、動作を実行するように構成される、請求項１１に記載のＤＳＡシステム。
【請求項１７】
前記ＤＳＣプロセッサが、プロセッサ実行可能命令を用いて、前記地理的エリアの前記電気通信セルを特定する前記一次グリッド構造を含む前記グリッドマップ構造を生成することが、前記境界セルに隣接する前記電気通信セルを特定するバッファゾーン構造をさらに含む前記グリッドマップ構造を生成することを含むように、動作を実行するように構成される、請求項１６に記載のＤＳＡシステム。
【請求項１８】
前記ＤＳＣプロセッサが、プロセッサ実行可能命令を用いて、前記バッファゾーン構造を含む前記グリッドマップ構造を生成することが、複数の階層を含む前記バッファゾーン構造を生成することを含むように、動作を実行するように構成される、請求項１７に記載のＤＳＡシステム。
【請求項１９】
前記ＤＳＣプロセッサが、プロセッサ実行可能命令を用いて、
前記バッファゾーン構造を使用して、ピンポン回避動作を実行すること、
をさらに含む動作を実行するように構成される、請求項１７に記載のＤＳＡシステム。
【請求項２０】
前記ＤＳＣプロセッサが、プロセッサ実行可能命令を用いて、
前記ワイヤレスデバイスからｅＮｏｄｅＢ信号強度情報を含む測定レポートを受信すること、
をさらに含む動作を実行するように構成される、請求項１１に記載のＤＳＡシステム。
【請求項２１】
プロセッサ実行可能命令を用いて、動作を実行するように構成されたプロセッサであって、前記動作が、
地理的エリアに対する落札者を特定する通知メッセージを受信し、
前記地理的エリアの電気通信セルを特定する一次グリッド構造を含むグリッドマップ構造を生成し、
ワイヤレスデバイスの場所をモニタし、
前記一次グリッド構造の前記電気通信セルに関する前記ワイヤレスデバイスの前記場所を使用して、ネットワーク間ハンドオーバ動作を開始するかどうかを判断すること、
を含む、プロセッサ
を備えるサーバコンピューティングデバイス。
【発明の詳細な説明】
【技術分野】
【０００１】
関連出願の相互参照
この出願は、２０１３年６月５月２９日に出願された「Ｍｅｔｈｏｄｓ  ａｎｄ  Ｓｙｓｔｅｍ  ｆｏｒ  Ｄｙｎａｍｉｃ  Ｓｐｅｃｔｒｕｍ  Ａｒｂｉｔｒａｇｅ  ｗｉｔｈ  Ｍｏｂｉｌｉｔｙ  Ｍａｎａｇｅｍｅｎｔ」と称する米国仮特許出願第６１／８２８，３６０号明細書および２０１３年６月１２月２３日に出願された「Ｍｅｔｈｏｄｓ  ａｎｄ  Ｓｙｓｔｅｍ  ｆｏｒ  Ｄｙｎａｍｉｃ  Ｓｐｅｃｔｒｕｍ  Ａｒｂｉｔｒａｇｅ  ｗｉｔｈ  Ｍｏｂｉｌｉｔｙ  Ｍａｎａｇｅｍｅｎｔ」と称する米国仮特許出願第６１／９２０，３６８号明細書の各々の優先権の利益を主張し、それらの両方の内容全体は参照により本明細書に組み込まれる。
【背景技術】
【０００２】
ネットワークにアクセスし、大容量のファイル（例えば、ビデオファイル）をダウンロードするためのワイヤレス通信デバイスの使用が増え続けることで、無線周波数スペクトルに対する需要がますます増えている。スマートフォンユーザは、あまりにも多くのデバイスがそのようなサービスに割り当てられた有限の無線周波数（ＲＦ）帯域幅へのアクセスを試みることが主因である、通話途切れ、インターネットへの低速アクセスおよび同様の問題について不平を言う。それにもかかわらず、救急サービス（例えば、警察、消防、救助など）専用のＲＦ帯域などのＲＦスペクトルの一部は、そのような音声・無線通信帯域の非継続的で一時的な使用が原因で、大部分が未使用のままである。従って、他のネットワークに加入しているワイヤレスデバイスによるアクセスおよび使用のために第１の電気通信ネットワークの活用されていない電気通信資源（例えば、ＲＦスペクトルなど）を動的に割り当てるための改善された方法およびソリューションは、電気通信ネットワーク、サービスプロバイダおよび電気通信サービスの消費者にとって有益となる。
【発明の概要】
【課題を解決するための手段】
【０００３】
様々な実施形態は、地理的エリアに対する落札者を特定する通知メッセージをプロセッサで受信し、地理的エリアの電気通信セルを特定する一次グリッド構造を含むグリッドマップ構造を生成し、ワイヤレスデバイスの場所をモニタし、一次グリッド構造のセルに関するワイヤレスデバイスの場所を使用して、ネットワーク間ハンドオーバ動作を開始するかどうかを判断すること、を含む動的スペクトルアービトラージ（ＤＳＡ）方法を含む。
【０００４】
実施形態では、地理的エリアに対する落札者を特定する通知メッセージを受信することは、第１の電気通信ネットワークの動的スペクトルコントローラ（ＤＳＣ）で落札者として第１の電気通信ネットワークを特定する通知メッセージを受信することを含み得る。さらなる実施形態では、ワイヤレスデバイスの場所をモニタすることは、第１の電気通信ネットワークの第１のｅＮｏｄｅＢに取り付けられたワイヤレスデバイスの場所をモニタすることを含み得る。さらなる実施形態では、一次グリッド構造のセルに関するワイヤレスデバイスの場所を使用して、ネットワーク間ハンドオーバ動作を開始するかどうかを判断することは、第１のｅＮｏｄｅＢに取り付けられたワイヤレスデバイスを第２の電気通信ネットワークの第２のｅＮｏｄｅＢに転移するためにハンドイン動作を開始するかどうかを判断することを含み得る。
【０００５】
さらなる実施形態では、地理的エリアに対する落札者を特定する通知メッセージを受信することは、第２の電気通信ネットワークの動的スペクトルコントローラ（ＤＳＣ）で落札者として第１の電気通信ネットワークを特定する通知メッセージを受信することを含み得て、ワイヤレスデバイスの場所をモニタすることは、第１の電気通信ネットワークに加入している、第２の電気通信ネットワークのｅＮｏｄｅＢに取り付けられたワイヤレスデバイスの場所をモニタすることを含み得て、一次グリッド構造のセルに関するワイヤレスデバイスの場所を使用して、ネットワーク間ハンドオーバ動作を開始するかどうかを判断することは、第１の電気通信ネットワークに加入している、ｅＮｏｄｅＢに取り付けられたワイヤレスデバイスを第１の電気通信ネットワークに逆転移させるためにバックオフ動作を開始するかどうかを判断することを含み得る。
【０００６】
さらなる実施形態では、第１の電気通信ネットワークに加入している、ｅＮｏｄｅＢに取り付けられたワイヤレスデバイスを第１の電気通信ネットワークに逆転移させるためにバックオフ動作を開始するかどうかを判断する動作は、プロセッサが、資源リース期間が終了したと判断すること、ｅＮｏｄｅＢが混雑していると判断することおよび／またはワイヤレスデバイスが地理的エリア外に移動したと判断することに応答して実行される。
【０００７】
さらなる実施形態では、地理的エリアに対する落札者を特定する通知メッセージを受信することは、第１の電気通信ネットワークの動的スペクトルコントローラ（ＤＳＣ）で落札者として第１の電気通信ネットワークを特定する通知メッセージを受信することを含み得る。さらなる実施形態では、方法は、生成されたグリッドマップ構造を使用して、第１の電気通信ネットワークのワイヤレスデバイスによるアクセスおよび使用のために第２の電気通信ネットワークの電気通信資源を割り当てることを含み得る。
【０００８】
さらなる実施形態では、地理的エリアの電気通信セルを特定する一次グリッド構造を含むグリッドマップ構造を生成することは、内部セルおよび境界セルのうちの１つとして一次グリッド構造の電気通信セルの各々を分類することを含み得る。さらなる実施形態では、地理的エリアの電気通信セルを特定する一次グリッド構造を含むグリッドマップ構造を生成することは、境界セルに隣接する電気通信セルを特定するバッファゾーン構造をさらに含むグリッドマップ構造を生成することを含み得る。さらなる実施形態では、バッファゾーン構造を含むグリッドマップ構造を生成することは、複数の階層を含むバッファゾーン構造を生成することを含み得る。
【０００９】
さらなる実施形態では、方法は、バッファゾーン構造を使用して、ピンポン回避動作を実行することを含み得る。さらなる実施形態では、方法は、ワイヤレスデバイスからｅＮｏｄｅＢ信号強度情報を含む測定レポートを受信することを含み得る。
【００１０】
さらなる実施形態は、ｅＮｏｄｅＢプロセッサを有するｅＮｏｄｅＢと、第１の通信リンクを介してｅＮｏｄｅＢと結合されたＤＳＣプロセッサを有する動的スペクトルコントローラ（ＤＳＣ）と、第２の通信リンクを介してＤＳＣと結合されたＤＰＣプロセッサを有する動的スペクトルポリシコントローラ（ＤＰＣ）とを含む動的スペクトルアービトラージ（ＤＳＡ）システムを含む。実施形態では、ＤＳＣプロセッサは、プロセッサ実行可能命令を用いて、地理的エリアに対する落札者を特定する通知メッセージをＤＰＣから受信し、地理的エリアの電気通信セルを特定する一次グリッド構造を含むグリッドマップ構造を生成し、ワイヤレスデバイスの場所をモニタし、一次グリッド構造のセルに関するワイヤレスデバイスの場所を使用して、ネットワーク間ハンドオーバ動作を開始するかどうかを判断することを含む動作を実行するように構成することができる。
【００１１】
さらなる実施形態では、ｅＮｏｄｅＢおよびＤＳＣは、第１の電気通信ネットワークに含めることができ、ＤＳＣプロセッサは、プロセッサ実行可能命令を用いて、地理的エリアに対する落札者を特定する通知メッセージを受信することが、落札者として第１の電気通信ネットワークを特定する通知メッセージを受信することを含み、ワイヤレスデバイスの場所をモニタすることが、ｅＮｏｄｅＢに取り付けられたワイヤレスデバイスの場所をモニタすることを含み、一次グリッド構造のセルに関するワイヤレスデバイスの場所を使用して、ネットワーク間ハンドオーバ動作を開始するかどうかを判断することが、ｅＮｏｄｅＢに取り付けられたワイヤレスデバイスを第２の電気通信ネットワークの別のｅＮｏｄｅＢに転移するためにハンドイン動作を開始するかどうかを判断することを含むように、動作を実行するように構成することができる。
【００１２】
さらなる実施形態では、ｅＮｏｄｅＢおよびＤＳＣは、第１の電気通信ネットワークに含めることができ、ＤＳＣプロセッサは、プロセッサ実行可能命令を用いて、地理的エリアに対する落札者を特定する通知メッセージを受信することが、落札者として第２の電気通信ネットワークを特定する通知メッセージを受信することを含み、ワイヤレスデバイスの場所をモニタすることが、第２の電気通信ネットワークに加入している、ｅＮｏｄｅＢに取り付けられたワイヤレスデバイスの場所をモニタすることを含み、一次グリッド構造のセルに関するワイヤレスデバイスの場所を使用して、ネットワーク間ハンドオーバ動作を開始するかどうかを判断することが、ワイヤレスデバイスを第２の電気通信ネットワークの別のｅＮｏｄｅＢに転移するためにバックオフ動作を開始するかどうかを判断すること、を含むように、動作を実行するように構成することができる。
【００１３】
さらなる実施形態では、ＤＳＣプロセッサは、プロセッサ実行可能命令を用いて、ワイヤレスデバイスを第２の電気通信ネットワークの別のｅＮｏｄｅＢに転移するためにバックオフ動作を開始するかどうかを判断する動作が、資源リース期間が終了したと判断すること、ｅＮｏｄｅＢが混雑していると判断することおよびワイヤレスデバイスが地理的エリア外に移動したと判断することのうちの１つに応答して実行されるように、動作を実行するように構成することができる。さらなる実施形態では、ＤＳＣプロセッサは、プロセッサ実行可能命令を用いて、地理的エリアに対する落札者を特定する通知メッセージを受信することが、落札者として第１の電気通信ネットワークを特定する通知メッセージを受信することを含み、方法が、生成されたグリッドマップ構造を使用して、第１の電気通信ネットワークのワイヤレスデバイスによるアクセスおよび使用のために第２の電気通信ネットワークの電気通信資源を割り当てること、をさらに含むように、動作を実行するように構成することができる。
【００１４】
さらなる実施形態では、ＤＳＣプロセッサは、プロセッサ実行可能命令を用いて、地理的エリアの電気通信セルを特定する一次グリッド構造を含むグリッドマップ構造を生成することが、内部セルおよび境界セルのうちの１つとして一次グリッド構造の電気通信セルの各々を分類することをさらに含むように、動作を実行するように構成することができる。さらなる実施形態では、ＤＳＣプロセッサは、プロセッサ実行可能命令を用いて、地理的エリアの電気通信セルを特定する一次グリッド構造を含むグリッドマップ構造を生成することが、境界セルに隣接する電気通信セルを特定するバッファゾーン構造をさらに含むグリッドマップ構造を生成することを含むように、動作を実行するように構成することができる。さらなる実施形態では、ＤＳＣプロセッサは、プロセッサ実行可能命令を用いて、バッファゾーン構造を含むグリッドマップ構造を生成することが、複数の階層を含むバッファゾーン構造を生成することを含むように、動作を実行するように構成することができる。
【００１５】
さらなる実施形態では、ＤＳＣプロセッサは、プロセッサ実行可能命令を用いて、バッファゾーン構造を使用して、ピンポン回避動作を実行すること、を含む動作を実行するように構成することができる。さらなる実施形態では、ＤＳＣプロセッサは、プロセッサ実行可能命令を用いて、ワイヤレスデバイスからｅＮｏｄｅＢ信号強度情報を含む測定レポートを受信すること、を含む動作を実行するように構成することができる。
【００１６】
さらなる実施形態は、プロセッサ実行可能命令を用いて、地理的エリアに対する落札者を特定する通知メッセージを受信し、地理的エリアの電気通信セルを特定する一次グリッド構造を含むグリッドマップ構造を生成し、ワイヤレスデバイスの場所をモニタし、一次グリッド構造のセルに関するワイヤレスデバイスの場所を使用して、ネットワーク間ハンドオーバ動作を開始するかどうかを判断すること、を含む動作を実行するように構成されたプロセッサを含むサーバコンピューティングデバイスを含む。
【００１７】
さらなる実施形態は、プロセッサ実行可能命令を用いて、上記で論じられる方法に対応する様々な動作を実行するように構成されたプロセッサ（または処理コア）を有するコンピューティングデバイスを含み得る。
【００１８】
さらなる実施形態は、上記で論じられる方法操作に対応する機能を実行するための様々な手段を含むコンピューティングデバイスを含み得る。
【００１９】
さらなる実施形態は、上記で論じられる方法操作に対応する様々な動作をプロセッサ／処理コアに実行させるように構成されたプロセッサ実行可能命令がその上に格納された非一時的なプロセッサ可読記憶媒体を含み得る。
【００２０】
本明細書に組み込まれ、この明細書の一部を構成する添付の図面は、本発明の例示的な実施形態を示し、上記で与えられる一般的な説明や、下記で与えられる詳細な説明と共に、本発明の特徴を説明する上で役立つ。
【図面の簡単な説明】
【００２１】
【図１Ａ】様々な実施形態を実装するために使用することができる通信システムの様々な論理および機能コンポーネントならびに通信リンクを示すシステムブロック図である。
【図１Ｂ】様々な実施形態を実装するために使用することができる通信システムの様々な論理および機能コンポーネントならびに通信リンクを示すシステムブロック図である。
【図１Ｃ】様々な実施形態を実装するために使用することができる通信システムの様々な論理および機能コンポーネントならびに通信リンクを示すシステムブロック図である。
【図１Ｄ】様々な実施形態を実装するために使用することができる通信システムの様々な論理および機能コンポーネントならびに通信リンクを示すシステムブロック図である。
【図１Ｅ】様々な実施形態を実装するために使用することができる通信システムの様々な論理および機能コンポーネントならびに通信リンクを示すシステムブロック図である。
【図２Ａ】実施形態による、動的スペクトルポリシコントローラ（ＤＰＣ）の観点から資源を割り当てるための動的スペクトルアービトラージ（ＤＳＡ）方法を示すプロセスフロー図である。
【図２Ｂ】実施形態による、資源を割り当てる際のＤＳＡ通信システムのコンポーネント間のメッセージ通信を示すメッセージフロー図である。
【図３】ＤＰＣ、２つの動的スペクトルコントローラ（ＤＳＣ）およびワイヤレスデバイスを含む通信システムにおける資源の割り当ておよびアクセスを行うＤＳＡ方法の実施形態を示すプロセスフロー図である。
【図４】ＤＰＣ、２つの動的スペクトルコントローラ（ＤＳＣ）およびワイヤレスデバイスを含む通信システムにおける資源の割り当ておよびアクセスを行うＤＳＡ方法の実施形態を示すプロセスフロー図である。
【図５】ＤＰＣ、２つの動的スペクトルコントローラ（ＤＳＣ）およびワイヤレスデバイスを含む通信システムにおける資源の割り当ておよびアクセスを行うＤＳＡ方法の実施形態を示すプロセスフロー図である。
【図６】ＤＰＣ、２つの動的スペクトルコントローラ（ＤＳＣ）およびワイヤレスデバイスを含む通信システムにおける資源の割り当ておよびアクセスを行うＤＳＡ方法の実施形態を示すプロセスフロー図である。
【図７】ＤＰＣ、２つの動的スペクトルコントローラ（ＤＳＣ）およびワイヤレスデバイスを含む通信システムにおける資源の割り当ておよびアクセスを行うＤＳＡ方法の実施形態を示すプロセスフロー図である。
【図８Ａ】動的スペクトルアービトラージアプリケーションパート（ＤＳＡＡＰ）登録方法の実施形態を示すメッセージフロー図である。
【図８Ｂ】動的スペクトルアービトラージアプリケーションパート（ＤＳＡＡＰ）登録方法の実施形態を示すメッセージフロー図である。
【図８Ｃ】動的スペクトルアービトラージアプリケーションパート（ＤＳＡＡＰ）登録方法の実施形態を示すメッセージフロー図である。
【図９Ａ】ＤＳＡＡＰ広告方法の実施形態を示すメッセージフロー図である。
【図９Ｂ】ＤＳＡＡＰ広告方法の実施形態を示すメッセージフロー図である。
【図１０Ａ】利用可能な資源のリストを伝達するためのＤＳＡＡＰ方法の実施形態を示すメッセージフロー図である。
【図１０Ｂ】利用可能な資源のリストを伝達するためのＤＳＡＡＰ方法の実施形態を示すメッセージフロー図である。
【図１１Ａ】ＤＳＡＡＰ入札方法の実施形態を示すメッセージフロー図である。
【図１１Ｂ】ＤＳＡＡＰ入札方法の実施形態を示すメッセージフロー図である。
【図１２Ａ】入札動作の結果を参加ネットワークに通知するためのＤＳＡＡＰ通知方法の実施形態を示すメッセージフロー図である。
【図１２Ｂ】入札動作の結果を参加ネットワークに通知するためのＤＳＡＡＰ通知方法の実施形態を示すメッセージフロー図である。
【図１２Ｃ】入札動作の結果を参加ネットワークに通知するためのＤＳＡＡＰ通知方法の実施形態を示すメッセージフロー図である。
【図１２Ｄ】入札動作の結果を参加ネットワークに通知するためのＤＳＡＡＰ通知方法の実施形態を示すメッセージフロー図である。
【図１３Ａ】資源を速やかに（またはほぼ速やかに）購入するためのＤＳＡＡＰ購入方法の実施形態を示すメッセージフロー図である。
【図１３Ｂ】資源を速やかに（またはほぼ速やかに）購入するためのＤＳＡＡＰ購入方法の実施形態を示すメッセージフロー図である。
【図１４Ａ】借主ネットワークのコンポーネントによるアクセスおよび使用のために貸主ネットワークの資源を割り当てるためのＤＳＡＡＰ割り当て方法の実施形態を示すメッセージフロー図である。
【図１４Ｂ】借主ネットワークのコンポーネントによるアクセスおよび使用のために貸主ネットワークの資源を割り当てるためのＤＳＡＡＰ割り当て方法の実施形態を示すメッセージフロー図である。
【図１５Ａ】貸主ネットワークから借主ネットワーク（すなわち、そのホームのＰＬＭＮ）にワイヤレスデバイスを選択的に引き戻すＤＳＡＡＰバックオフ方法の実施形態を示すメッセージフロー図である。
【図１５Ｂ】貸主ネットワークから借主ネットワーク（すなわち、そのホームのＰＬＭＮ）にワイヤレスデバイスを選択的に引き戻すＤＳＡＡＰバックオフ方法の実施形態を示すメッセージフロー図である。
【図１６Ａ】ＤＳＡ動作を終了させるためのＤＳＣ始動ＤＳＡＡＰ登録解除方法の実施形態を示すメッセージフロー図である。
【図１６Ｂ】ＤＳＡ動作を終了させるためのＤＰＣ始動ＤＳＡＡＰ登録解除方法の実施形態を示すメッセージフロー図である。
【図１７Ａ】エラーを報告するためのＤＳＣ始動ＤＳＡＡＰエラー表示方法を示すメッセージフロー図である。
【図１７Ｂ】エラーを報告するためのＤＰＣ始動ＤＳＡＡＰエラー表示方法を示すメッセージフロー図である。
【図１８Ａ】様々な実施形態による、請求規則を生成するステップを含むＤＳＡ資源割り当て方法を示すメッセージフロー図である。
【図１８Ｂ】様々な実施形態による、請求規則を生成するステップを含むＤＳＡ資源割り当て方法を示すメッセージフロー図である。
【図１９Ａ】様々な実施形態による、ワイヤレスデバイスの場所をモニタするための様々な方法を示すメッセージフロー図である。
【図１９Ｂ】様々な実施形態による、ワイヤレスデバイスの場所をモニタするための様々な方法を示すメッセージフロー図である。
【図１９Ｃ】様々な実施形態による、ワイヤレスデバイスの場所をモニタするための様々な方法を示すメッセージフロー図である。
【図１９Ｄ】様々な実施形態による、ワイヤレスデバイスの場所をモニタするための様々な方法を示すメッセージフロー図である。
【図２０】実施形態による、グリッドマップデータ構造によって表すことができるサブユニットに分割された地理的エリアの図解である。
【図２１】実施形態による、グリッドマップデータ構造によって表すことができる論理および機能要素の図解である。
【図２２Ａ】実施形態による、ネットワーク間のハンドオーバ動作を開始するかどうかを知的に判断するためにグリッドマップ構造を使用するための方法を示すプロセスフロー図である。
【図２２Ｂ】実施形態による、グリッドマップの一次グリッド構造のセルサイトのリストを生成または更新するための方法を示すプロセスフロー図である。
【図２３Ａ】様々な実施形態による、バッファゾーンを決定するための方法を示すプロセスフロー図である。
【図２３Ｂ】様々な実施形態による、バッファゾーンを決定するための方法を示すプロセスフロー図である。
【図２４】実施形態による、状態変化間のヒステリシス間隙を導入するためにアップおよびダウントリガに使用することができる異なる閾値を示すチャート図である。
【図２５】グリッド境界の近くに位置し、ピンポン回避方法の実施形態の実行が有益であり得るワイヤレスデバイスの移動を示すブロック図である。
【図２６】借主セルの覆域のエリアにおける貸主セルからの無線周波数覆域の欠如によって生じ得て、間隙回避方法の実施形態の実行が有益であり得る覆域間隙の図解である。
【図２７】一次グリッドおよび追跡エリアに関し、逆移動方法の実施形態の実行が有益であり得る様々なワイヤレスデバイスの場所の図解である。
【図２８Ａ】ハンドイン動作を実行するＤＳＡ方法の実施形態を示すプロセスフロー図である。
【図２８Ｂ】ハンドイン動作を実行するＤＳＡ方法の実施形態を示すプロセスフロー図である。
【図２９】異なるネットワーク間の資源の割り当ておよび割り当て解除を行うＤＳＡ方法の実施形態を示すプロセスフロー図である。
【図３０】異なるネットワーク間の資源の割り当ておよび割り当て解除を行うＤＳＡ方法の実施形態を示すプロセスフロー図である。
【図３１】様々な実施形態での使用に適した例示的なワイヤレスデバイスのコンポーネントブロック図である。
【図３２】実施形態での使用に適したサーバのコンポーネントブロック図である。
【発明を実施するための形態】
【００２２】
添付の図面を参照して様々な実施形態について詳細に説明する。可能な限り、図面全体を通じて、同じまたは同様の部分を指すために同じ参照番号を使用する。特定の例および実装形態への言及は、例示を目的とし、本発明または請求項の範囲を制限することを意図しない。
【００２３】
本明細書で使用されるように、「モバイルデバイス」、「ワイヤレスデバイス」および「ユーザ機器（ＵＥ）」という用語は、交換可能に使用することができ、様々なセルラフォン、パーソナルデータアシスタント（ＰＤＡ）、パームトップコンピュータ、ワイヤレスモデムを有するラップトップコンピュータ、ワイヤレス電子メールレシーバ（例えば、Ｂｌａｃｋｂｅｒｒｙ（登録商標）およびＴｒｅｏ（登録商標）デバイス）、マルチメディアインターネット可セルラフォン（例えば、ｉＰｈｏｎｅ（登録商標））および同様のパーソナル電子デバイスのいずれか１つを指す。ワイヤレスデバイスは、プログラマブルプロセッサおよびメモリを含み得る。好ましい実施形態では、ワイヤレスデバイスは、セルラフォン通信ネットワークを介して通信することができるセルラハンドヘルドデバイス（例えば、ワイヤレスデバイス）である。
【００２４】
この出願で使用されるように、「コンポーネント」、「モジュール」、「エンジン」、「マネージャ」という用語は、これらに限定されないが、特定の動作または機能を実行するように構成された、ハードウェア、ファームウェア、ハードウェアとソフトウェアの組合せ、ソフトウェアまたは実行中のソフトウェアなどのコンピュータ関連の実体を含むことを意図する。例えば、コンポーネントは、これらに限定されないが、プロセッサ上で実行しているプロセス、プロセッサ、オブジェクト、実行可能なもの、実行スレッド、プログラム、コンピュータ、サーバ、ネットワークハードウェアなどであり得る。例示として、コンピューティングデバイス上で実行しているアプリケーションおよびコンピューティングデバイスは両方とも、コンポーネントと呼ぶことができる。１つまたは複数のコンポーネントは、プロセスおよび／または実行スレッド内に存在し得て、コンポーネントは、１つのプロセッサもしくはコア上に局在させることおよび／または２つ以上のプロセッサもしくはコア間で分散させることができる。それに加えて、これらのコンポーネントは、様々な命令および／またはデータ構造がその上に格納される様々な非一時的なコンピュータ可読媒体から実行することができる。
【００２５】
多くの異なるセルラおよびモバイル通信サービスおよび規格が将来利用可能であるかまたは企図され、サービスおよび規格の全てを実装して様々な実施形態から利益を得ることができる。そのようなサービスおよび規格は、例えば、第３世代パートナーシッププロジェクト（３ＧＰＰ：ｔｈｉｒｄ  ｇｅｎｅｒａｔｉｏｎ  ｐａｒｔｎｅｒｓｈｉｐ  ｐｒｏｊｅｃｔ）、ロングタームエボリューション（ＬＴＥ：ｌｏｎｇ  ｔｅｒｍ  ｅｖｏｌｕｔｉｏｎ）システム、第３世代ワイヤレスモバイル通信技術（３Ｇ）、第４世代ワイヤレスモバイル通信技術（４Ｇ）、モバイル通信用グローバルシステム（ＧＳＭ（登録商標）：ｇｌｏｂａｌ  ｓｙｓｔｅｍ  ｆｏｒ  ｍｏｂｉｌｅ  ｃｏｍｍｕｎｉｃａｔｉｏｎｓ）、ユニバーサルモバイル電気通信システム（ＵＭＴＳ：ｕｎｉｖｅｒｓａｌ  ｍｏｂｉｌｅ  ｔｅｌｅｃｏｍｍｕｎｉｃａｔｉｏｎｓ  ｓｙｓｔｅｍ）、３ＧＳＭ、汎用パケット無線サービス（ＧＰＲＳ：ｇｅｎｅｒａｌ  ｐａｃｋｅｔ  ｒａｄｉｏ  ｓｅｒｖｉｃｅ）、符号分割多重アクセス（ＣＤＭＡ：ｃｏｄｅ  ｄｉｖｉｓｉｏｎ  ｍｕｌｔｉｐｌｅ  ａｃｃｅｓｓ）システム（例えば、ｃｄｍａＯｎｅ、ＣＤＭＡ２０００（商標））、ＧＳＭ進化型高速データレート（ＥＤＧＥ：ｅｎｈａｎｃｅｄ  ｄａｔａ  ｒａｔｅｓ  ｆｏｒ  ＧＳＭ  ｅｖｏｌｕｔｉｏｎ）、先進移動電話システム（ＡＭＰＳ：ａｄｖａｎｃｅｄ  ｍｏｂｉｌｅ  ｐｈｏｎｅ  ｓｙｓｔｅｍ）、デジタルＡＭＰＳ（ＩＳ−１３６／ＴＤＭＡ）、進化データ最適化（ＥＶ−ＤＯ：ｅｖｏｌｕｔｉｏｎ−ｄａｔａ  ｏｐｔｉｍｉｚｅｄ）、デジタル強化コードレス電気通信（ＤＥＣＴ：ｄｉｇｉｔａｌ  ｅｎｈａｎｃｅｄ  ｃｏｒｄｌｅｓｓ  ｔｅｌｅｃｏｍｍｕｎｉｃａｔｉｏｎｓ）、マイクロ波アクセスのための世界規模の相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ワイヤレスローカルエリアネットワーク（ＷＬＡＮ：ｗｉｒｅｌｅｓｓ  ｌｏｃａｌ  ａｒｅａ  ｎｅｔｗｏｒｋ）、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、Ｗｉ−Ｆｉ保護アクセスＩ＆ＩＩ（ＷＰＡ、ＷＰＡ２）、Ｂｌｕｅｔｏｏｔｈ（登録商標）、統合デジタル強化ネットワーク（ｉｄｅｎ：ｉｎｔｅｇｒａｔｅｄ  ｄｉｇｉｔａｌ  ｅｎｈａｎｃｅｄ  ｎｅｔｗｏｒｋ）、陸上移動無線（ＬＭＲ：ｌａｎｄ  ｍｏｂｉｌｅ  ｒａｄｉｏ）および進化型ユニバーサル地上無線アクセスネットワーク（Ｅ−ＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）を含む。これらの技術の各々は、例えば、音声、データ、信号および／またはコンテンツメッセージの送信および受信に関与する。特に請求項の用語での記述がない限り、個々の電気通信規格または技術に関連する専門用語および／または技術詳細へのいかなる言及も、単なる例示を目的とし、請求項の範囲を特定の通信システムまたは技術に制限することを意図しないことを理解すべきである。
【００２６】
いかなる緊急事態または災害状況にも応じる最優先事項は、効果的な通信を確立することである。大規模な緊急事態または災害状況（人的と自然の両方）では、緊急事態に効果的に応答し、管理し、制御するために全ての第１の応答者と救急隊員との間の通信を維持することが最も重要である。第１の応答者および他の救急隊員間の効果的な通信がない場合は、資源が最も必要とされるエリアに資源を効果的に結集することができない。大して緊急を要する事態ではない場合（例えば、交通事故および火事）でさえ、第１の応答者は、支援資産を要請し、他のサービス（例えば、公益事業、病院など）と連携を取ることができなければならない。
【００２７】
ワイヤレスデバイスの所有権および使用の遍在によって、商用のセルラ通信ネットワークを使用したワイヤレスデバイスを介する緊急通信は、救急救命要員および資源を結集するための最も効率的で効果的な手段である場合が多い。ワイヤレスデバイスによる効果的な緊急通信の提供を可能にすることにより、様々な第１の応答機関（例えば、警察、消防、救急車、ＦＥＭＡ、公益事業など）間の無線周波数の調整における技術的な課題および費用を未然に防ぐ。また、非番のまたは普段は無線を装着していない事故に対する有資格の第１の応答者（例えば、医師、看護師、元警察または軍人）は、ワイヤレスデバイスを持つかまたは素早く借りることができる。
【００２８】
しかし、セルラ通信ネットワーク上での緊急通信に問題がないわけではない。セルラおよび他の電気通信ネットワーク（「ネットワーク」）は、特定のセルのワイヤレスデバイスの総数のうちのごく一部からのアクセス要求のみに対応するように設計される。緊急事態または危機の発生時、その状況に対する予測可能な人間の応答により、特定のセル内の並外れた数のワイヤレスデバイスユーザがネットワークに同時にアクセスするように促され、ネットワーク資源が酷使される可能性がある。ワイヤレスデバイスユーザは、緊急事態について救急隊員に警告すること（９１１緊急通報など）、または、ユーザは緊急事態のエリアにいるが無事であることを友人または家族に警告することを試みることができる。一部のユーザは、緊急状態（火事、事故など）の画像を通信社または友人に送信している場合がある。大規模な状況では、緊急通信のためにワイヤレスデバイスを使用する救急応答者は、通話量を増加させることになる。それにもかかわらず、緊急事態の間の通話量の予測可能な増加は、特に緊急事態が及んでいるセルゾーンにおいて、商用のセルラ通信ネットワークを制圧することができ、従って、救急救命要員の通信使用に対して、ネットワークは信頼できないものになる。
【００２９】
既存のソリューションのこれらのおよび他の制限を克服するため、様々な実施形態は、第１の応答者のためのサービス品質（ＱｏＳ）およびサービス程度（ＧｏＳ）に基づくワイヤレスデバイス通信を届けるための階層式の優先アクセス（ＴＰＡ）能力を提供するように構成されたコンポーネントを含む。例示的なＴＰＡシステムの詳細な説明は、その内容全体が全体としておよび全ての目的で参照により本明細書に組み込まれる、２１０２年９月２５日付けの米国特許第８，２７５，３４９号明細書で提供されている。
【００３０】
概観すると、ＴＰＡシステムまたはソリューションは、大混雑の間または緊急事態の際に最優先ユーザ（例えば、救急隊員）へのワイヤレス通信資源を調整する、利用可能にするおよび／または提供するために様々なＴＰＡ動作を実行するように構成された様々なコンポーネントを含み得る。例えば、ＴＰＡコンポーネントは、ワイヤレスネットワークの通話量をモニタし、ワイヤレスネットワークの通話量が第１の既定の閾値を超えるかどうかを判断し、ワイヤレスネットワークの通話量が第１の既定の閾値を超える際に、優先度に基づいてワイヤレスネットワーク資源を分配し、最優先利用（すなわち、認可された救急隊員のワイヤレスデバイスによる使用）のために分配された資源の一部を確保するように構成することができる。ＴＰＡコンポーネントは、最優先デバイスから電話がかかってきているかどうかまたは最優先デバイスに電話をかけているかどうかを判断するために（事前登録されたワイヤレスデバイスもしくは認可された救急隊員のワイヤレスデバイスに、または、事前登録されたワイヤレスデバイスもしくは認可された救急隊員のワイヤレスデバイスから）、電話の着信および発信をモニタし、最優先デバイスから電話がかかってきていないまたは最優先デバイスに電話をかけていない限り、ワイヤレスネットワーク資源への一般アクセスを可能にし、最優先デバイスから電話がかかってきているまたは最優先デバイスに電話をかけているという判断に応答して、ワイヤレスネットワーク資源への一般アクセスを制限するようにさらに構成することができる。従って、ＴＰＡソリューションは、電気通信システムが利用可能な資源をより多く使用できるようにし、最優先ユーザが必要な時にシステムへのアクセスおよびシステムの使用を行えることを保証する。
【００３１】
様々な実施形態では、これらのおよび他のＴＰＡ動作は、２つ以上のネットワーク間（例えば、貸主ネットワークと借主ネットワークとの間）の電気通信資源（例えば、ＲＦスペクトルなど）の利用可能性、割り当て、アクセスおよび使用を動的に管理するように構成された動的スペクトルアービトラージ（ＤＳＡ）システムで実行することができる。例示的なＤＳＡシステムの詳細な説明は、その内容全体が全体としておよび全ての目的で参照により本明細書に組み込まれる、２０１４年４月２９日付けの米国特許第８，７１１，７２１号明細書で提供されている。
【００３２】
簡潔には、ＤＳＡシステムは、２つ以上のネットワーク間（例えば、貸主ネットワークと借主ネットワークとの間）のＤＳＡ動作および相互作用を管理するように構成された動的スペクトルポリシコントローラ（ＤＰＣ）を含み得る。ＤＰＣは、１つまたは複数の動的スペクトルコントローラ（ＤＳＣ）コンポーネントを通じてネットワークプロバイダネットワークの様々なネットワークコンポーネントと通信することができ、コンポーネントは、ＤＳＡ通信に参加しているネットワークに含めるかまたは追加することができる。ＤＳＣコンポーネントは、ｅＮｏｄｅＢへの有線または無線接続、移動性管理実体（ＭＭＥ）コンポーネント／サーバ、様々な衛星システムおよび他のネットワークコンポーネントを含み得る。ＤＳＣは、他のネットワークにおよび他のネットワークから資源を申し出る、割り当てる、要求するおよび／または受け取るため、ＤＰＣコンポーネントと通信することができる。これにより、２つ以上のネットワークは、協働し、ネットワークの資源をより良く活用することができる（例えば、大混雑の時間の間に資源を借り、資源を使用していない時に貸し出すことによって）。
【００３３】
様々な実施形態では、ＤＳＡシステムは、資源を割り当てるかまたは貸し出し、リース資源の使用をモニタし、入札特有の閉鎖された加入者グループ識別子ベースの（すなわち、ＣＳＧ−ＩＤベースの）請求規則を生成、インストールまたは実施することによってリース資源の使用に対して口座に自動的に請求するように構成することができる。
【００３４】
実施形態では、ＤＳＡシステムは、ワイヤレスデバイスが利用可能な／リース資源に関して移動する過程においてワイヤレスデバイスの取り扱い（例えば、ハンドオフ、ハンドイン、バックオフなど）をより良く管理し、調整するために移動性管理動作を実行するように構成されたＤＳＡコンポーネント（例えば、ＤＰＣ、ＤＳＣ、ｅＮｏｄｅＢなど）を含み得る。
【００３５】
実施形態では、ＤＳＡコンポーネントは、ワイヤレスデバイスの場所をより良くモニタし、ＤＳＡ決定をより良くかつより多く情報を得たものにするため、ＤＳＡコンポーネントの動作を調整し、情報を伝達するように構成することができる。例えば、ＤＳＣコンポーネントは、電気通信資源に関するワイヤレスデバイスの正確な場所を決定するためにＭＭＥコンポーネントと通信するように構成することができる。ＤＳＣコンポーネントは、この場所情報（すなわち、ワイヤレスデバイスの正確な場所）を使用して、ハンドオフ、ハンドイン、バックオフおよび逆移動動作のための候補デバイスをより良く特定することができる。
【００３６】
それに加えて、ＤＳＡコンポーネントは、ワイヤレスデバイスが利用可能な資源に関して参加ネットワーク間を移動する過程においてワイヤレスデバイス移動性をさらにサポートするために様々な特別な機能を実行するように構成することができる。これらの特別な機能は、資源グリッドを特定すること、グリッドのバッファゾーンを決定すること、地理的境界またはワイヤレスデバイス移動性の間の境界を見つけること、接続されたワイヤレスデバイスに対するネットワーク間ハンドオーバを実行すること、ワイヤレスデバイスの近辺をモニタすること、ワイヤレスデバイスがアイドル状態であるかどうかを判断すること、アイドル状態のデバイスに対して逆移動動作を実行すること、混雑状態変化を判断することなどを含み得る。また、特別な機能は、ハンドイン、ハンドオフまたはバックオフ手順の間のセルの機能停止またはブラックリスト入りに起因する覆域間隙を取り扱うことも含み得る。特別な機能は、オペレータポリシを特定すること、グリッドマップを介してブラックリストおよび動的な変化を決定すること、および、ハンドイン、ハンドオフまたはバックオフ手順を事前に計画することをさらに含み得る。また、特別な機能は、移動性ベースの、混雑ベースの、入札ベースのまたは有効期限ベースのバックオフ動作を実行することも含み得る。
【００３７】
様々な実施形態は、地理的エリアに基づいてワイヤレスネットワークによる資源の割り当て、転移および／または使用を管理するように構成されたＤＳＡシステムを含み得る。例えば、ＤＳＡシステムは、地理的エリアの落札者（２つの全ネットワーク、領域、セルサイト、セクタ、サブセクタなどを含み得る）をもたらすオークション／アービトレーション動作を実行するように構成することができる。地理的エリアに基づいて資源を割り当てるように構成された例示的なＤＳＡシステムの詳細な説明は、その内容全体が全体としておよび全ての目的で参照により本明細書に組み込まれる、２０１３年８月８日付けの米国特許出願公開第２０１３／０２０３４３５号明細書で提供されている。
【００３８】
様々な実施形態は、利用可能な／リース資源に関するワイヤレスデバイスの移動性を説明することによって、地理的エリアに基づいて資源を割り当てるための改善された方法を提供する。例えば、実施形態では、ＤＳＡコンポーネントは、関連する地理的エリアをサブユニットに分割し、これらの地理的サブユニットを識別するグリッドマップ情報構造を生成し、グリッドマップデータ構造を使用して利用可能な資源に関するワイヤレスデバイスの地理的場所に基づいて資源の割り当て、割り当て解除および再割り当てを行うように構成することができる。利用可能な資源は、借主資源と貸主資源の両方を含み得る。
【００３９】
実施形態では、ＤＳＡコンポーネントは、一次グリッドおよびバッファゾーンを含むグリッドマップ構造を生成することができ、その各々は、セル／セクタおよびその覆域ゾーンの特定に適した情報を含む／格納する情報構造であり得る。一次グリッド構造は、そのセル／セクタを内部または境界セルとして分類することができ、バッファゾーンは、一次グリッドの境界セルへのセル／セクタの近接度に基づいて、そのセル／セクタを層、ゾーンまたは階層に分類することができる。実施形態では、一次グリッド構造は、ＤＳＡ動作の一部として借主ネットワークによって購入されるかまたは落札された地理的エリアにあるセル／セクタを含むように生成することができる。次いで、ＤＳＡコンポーネントは、一次グリッドおよび／またはバッファゾーンによって特定されたセル／セクタに関するワイヤレスデバイス１０２の場所および移動を使用して、ネットワーク内および／またはネットワーク間のハンドオーバ動作を開始する（すなわち、借主ネットワークから貸主ネットワークに（逆もまた同様）デバイスを引き渡す）かどうかを判断することができる。様々な実施形態では、ネットワーク間のハンドオーバ動作は、ハンドイン、バックオフおよび／または逆移動動作を含み得る。
【００４０】
実施形態では、ＤＳＡコンポーネントは、借主または貸主ネットワークの資源に取り付けられたワイヤレスデバイスから受信された情報に基づいてグリッドマップ構造を生成または更新するように構成することができる。
【００４１】
実施形態では、ＤＳＡコンポーネントは、グリッドマップで特定された資源の利用可能性の変化をより良く説明するため、内部、境界およびバッファゾーンセルの特定／分類を定期的に再評価するように構成することができる。例えば、ＤＳＡコンポーネントは、保守のために取り除かれるセルサイト、オンラインにもたらされる新しいセクタなどを説明するため、セル分類を再評価することができる。実施形態では、そのような情報は、ワイヤレスデバイスから受信することができる。
【００４２】
実施形態では、ＤＳＡコンポーネントは、グリッドマップ情報構造に基づいてワイヤレスデバイスを借主ネットワークから貸主ネットワークに転移するためにハンドイン動作を実行するように構成することができる。ＤＳＡコンポーネントは、一次グリッドの中心の最も近くに位置するワイヤレスデバイスが最初に転移され、バッファゾーンのエッジの最も近くに位置するワイヤレスデバイスが最後に転移されるように、ハンドイン動作を実行するように構成することができる。すなわち、ＤＳＡコンポーネントは、ワイヤレスデバイスをグリッドの中心からバッファゾーンのエッジに向けて外方向に転移するためにハンドイン動作を実行することができる。
【００４３】
実施形態では、ＤＳＡコンポーネントは、グリッドマップ構造に基づいてワイヤレスデバイスを貸主ネットワークから借主ネットワークに転移するためにバックオフ動作を実行するように構成することができる。ＤＳＡコンポーネントは、バッファゾーンのエッジの最も近くに位置するワイヤレスデバイスが最初に転移され、一次グリッドの中心の最も近くに位置するワイヤレスデバイスが最後に転移されるように、バックオフ動作を実行するように構成することができる。すなわち、ＤＳＡコンポーネントは、ワイヤレスデバイスをバッファゾーンのエッジからグリッドの中心に向けて内方向に転移するためにハンドイン動作を実行することができる。
【００４４】
実施形態では、ＤＳＡコンポーネントは、ワイヤレスデバイスから測定レポートを受信するように構成することができる。測定レポートは、利用可能な資源または潜在的な対象ネットワークのためのワイヤレスデバイスで検出された信号強度情報を含み得る。ＤＳＡコンポーネントは、受信された測定レポートを使用して、レポート／信号強度に基づいて、対象セルを選択することおよび／またはネットワーク間のハンドオーバ（ハンドインまたはバックオフ）手順を開始することができる。例えば、ｅＮｏｄｅＢは、対象ネットワークに対するワイヤレスデバイスから測定レポートを受信し、測定レポートを使用してワイヤレスデバイスに対するその信号強度に基づいて対象ｅＮｏｄｅＢを選択するように構成することができる。
【００４５】
実施形態では、ＤＳＡコンポーネントは、ｅＮｏｄｅＢから混雑状態情報を受信し、この混雑状態情報を使用して資源を知的に割り当て、ｅＮｏｄｅＢのユーザトラフィックを管理し、ハンドオーバに対する対象ｅＮｏｄｅＢを選択し、ｅＮｏｄｅＢに取り付けられたワイヤレスデバイスに提供すべきサービス品質（ＱｏＳ）レベルを決定し、ならびに／あるいは、様々なネットワークによる資源の割り当てまたは使用を知的に管理するために他の同様の動作を実行するように構成することができる。混雑状態情報は、ｅＮｏｄｅＢおよび／または他のネットワークコンポーネントの現在の混雑状態（例えば、正常な、小規模な、大規模な、危険な、など）を特定することができる。各混雑状態は、混雑レベルと関連付けることができる。例えば、「正常な」混雑状態は、ネットワークコンポーネント（例えば、ｅＮｏｄｅＢなど）が正常な負荷の下で動作していること（例えば、ユーザトラフィックが正常な動作激怒内であるなど）を示し得る。「小規模な」混雑状態は、ネットワークコンポーネントが混雑を経験しているおよび／または平均を上回る負荷の下で動作していることを示し得る。「大規模な」混雑状態は、ネットワークコンポーネントがかなりの混雑を経験しているおよび／または重い負荷の下で動作していることを示し得る。「危険な」混雑状態は、ネットワークコンポーネントが激しい混雑を経験している、緊急事態を経験しているまたは極めて重い負荷の下で動作していることを示し得る。
【００４６】
実施形態では、ＤＳＡコンポーネントは、同じ２つの混雑状態間の頻繁な変動（例えば、正常から小規模へ、および、小規模から正常へ、など）を回避するため、混雑状態の移行を引き起こすアップおよびダウントリガに対して異なる閾値を実装するように構成することができる。例えば、ｅＮｏｄｅＢは、ユーザトラフィックレベルが５０％超まで増加したという判断に応答して正常な状態から小規模な状態へ移行し、ユーザトラフィックレベルが４０％未満まで減少したという判断に応答して小規模な状態から正常な状態へ移行するように構成することができる。すなわち、ｅＮｏｄｅＢは、正常な混雑状態から小規模な混雑状態へのアップトリガを５０％に、そして、小規模な混雑状態から正常な混雑状態へのダウントリガを４０％に設定するように構成することができる。
【００４７】
実施形態では、ＤＳＡコンポーネントは、バッファゾーン構造を使用してピンポン回避動作を実行するように構成することができる。例えば、ＤＳＡコンポーネントは、バッファゾーン構造（例えば、グリッドマップの）を使用して、同じグリッド境界を頻繁に越えるワイヤレスデバイスによって引き起こされ得るピンポン効果を低減するためにハンドインまたはバックオフ動作を実行するように構成することができる。また、これらのＤＳＡコンポーネントは、タイマを使用してピンポン効果をさらに低減するように構成することもできる。
【００４８】
実施形態では、ＤＳＡコンポーネントは、ワイヤレスデバイスのネットワーク間の移動性に基づいて負荷バランシング動作を実行するように構成することができる。ワイヤレスデバイスのネットワーク間の移動性は、利用可能な資源に関するワイヤレスデバイスの場所に基づいて決定することができる。実施形態では、ワイヤレスデバイスのネットワーク間の移動性は、グリッドマップ情報構造に含まれる情報に基づいて決定することができる。
【００４９】
様々な実施形態では、ＤＳＡコンポーネントは、ハンドインの間の貸主ネットワーク（リースグリッド内）における覆域間隙の取り扱い、ハンドオフの間の貸主ネットワーク（リースグリッド内）における覆域間隙の取り扱い、バックオフの間の借主ネットワーク（リースグリッド内）における覆域間隙の取り扱い、セルの機能停止によって生じる覆域間隙の取り扱い、および、セルのブラックリスト入りに起因する覆域間隙の取り扱いのための様々な動作を実行するように構成することができる。ＤＳＡコンポーネントは、セルの機能停止およびブラックリスト入りによって生じる覆域間隙に応答するように構成することができる。
【００５０】
様々な実施形態では、ＤＳＡコンポーネントは、ハンドオフ事前計画動作、ハンドイン事前計画動作およびバックオフ事前計画動作を実行するように構成することができる。実施形態では、ＤＳＡコンポーネントは、貸主ネットワークに取り付けられたアイドル状態の借主ワイヤレスデバイスを借主ネットワークに逆転移させるために逆移動動作を実行するように構成することができる。
【００５１】
実施形態では、ＤＳＡコンポーネントは、グリッドマップ情報構造において入札グリッド（すなわち、ＤＳＡ動作の一部として借主ネットワークによって購入された／落札された地理的エリア）と関連付けられたセル／セクタを特定するように構成することができる。
【００５２】
実施形態では、ＤＳＡコンポーネントは、グリッドマップを使用して、ワイヤレスデバイスによって使用される予定の資源を特定するように構成することができる。例えば、借主ネットワークのＤＳＡコンポーネントは、グリッドマップおよびワイヤレスデバイスから受信された測定レポートを使用して、ワイヤレスデバイスに関する貸主ネットワークの資源の場所および利用可能性に基づいてハンドイン動作（またはワイヤレスデバイスを貸主ネットワークに引き渡すプロセス）を開始するかどうかを判断することができる。貸主ネットワークのＤＳＡコンポーネントは、グリッドマップを使用して、入札の終了、混雑および／またはワイヤレスデバイスが入札グリッド外の地理的エリアに移動したことの検出に応答して借主ネットワークの資源の場所および利用可能性に基づいてバックオフ動作（またはワイヤレスデバイスを借主システムに引き戻すプロセス）を開始するかどうかを判断することができる。
【００５３】
また、様々な実施形態は、入札グリッド／エリアにおける貸主ネットワーク資源へのハンドオーバまたはハンドインに対する候補としてワイヤレスデバイスを知的に特定および選択するように構成されたＤＳＡコンポーネントも含み得る。さらなる実施形態では、ＤＳＡコンポーネントは、参加ネットワーク間でワイヤレスデバイスを移動／転移するためにハンドオーバ、ハンドイン、ハンドアウトおよびバックオフ決定を知的に行うように構成することができる。
【００５４】
実施形態では、ＤＳＡコンポーネントは、入札エリアの地理的境界内の全てのアクティブなワイヤレスデバイスおよび貸主ネットワークに引き渡すべき候補の特定における使用に適した資源割り当て情報を受信するように構成されたＤＳＣコンポーネントを含み得る。ＤＳＣコンポーネントは、資源割り当て情報を使用して、貸主ネットワークへの候補ワイヤレスデバイスの知的な選択および引き渡しを行う（すなわち、貸主ネットワークによって割り当てられた資源を使用する）ことができる。
【００５５】
実施形態では、ＤＳＡコンポーネントは、入札エリアの地理的境界の内側の多数のｅＮｏｄｅＢを特定すること、往復遅延（ＲＴＤ）値を演算すること、特定された多数のｅＮｏｄｅＢの各々における多数のアクティブなワイヤレスデバイスの各々に対する貸主ネットワークの絶対無線周波数チャネル数（ＡＲＦＣＮ）の測定レポートを受信すること（例えば、ＤＳＣコンポーネントにおいて）、および、多数のｅＮｏｄｅＢの各々における測定レポートに基づいて貸主ネットワークに引き渡されるのに適格な全てのアクティブなワイヤレスデバイスのリストを生成することを含むＤＳＡ動作を実行するように構成することができる。ＤＳＡ動作は、貸主ネットワークに引き渡されるのに適格なアクティブなワイヤレスデバイスのリストを受信すること、ＲＴＤ値、測定レポートおよびワイヤレスデバイス位置情報を受信すること、ならびに、受信されたリスト、ＲＴＤ値、測定レポートおよびＵＥ位置情報のいずれかまたは全てに基づいて貸主ネットワークに引き渡すワイヤレスデバイスを選択することをさらに含み得る。
【００５６】
様々な実施形態は、各種の通信システム内で実装することができ、その例が図１Ａ〜１Ｅに示される。図１Ａを参照すると、ワイヤレスデバイス１０２は、基地局１１１におよび基地局１１１から音声、データおよび制御信号を送信および受信するように構成することができ、基地局１１１は、ベーストランシーバ基地局（ＢＴＳ）、ＮｏｄｅＢ、ｅＮｏｄｅＢなどであり得る。基地局１１１は、アクセスゲートウェイ１１３と通信することができ、アクセスゲートウェイ１１３は、コントローラ、ゲートウェイ、サービングゲートウェイ（ＳＧＷ）、パケットデータネットワークゲートウェイ（ＰＧＷ）、進化型パケットデータゲートウェイ（ｅＰＤＧ）、パケットデータサービングノード（ＰＤＳＮ）、サービングＧＰＲＳサポートノード（ＳＧＳＮ）、任意の同様のコンポーネントまたはそれらの提供される特徴／機能の組合せのうちの１つまたは複数を含み得る。これらの構造はよく知られているためおよび／または以下でさらに詳細に論じているため、最も関連する特徴に関する説明に焦点を置くために図１Ａからある特定の詳細を省略している。
【００５７】
アクセスゲートウェイ１１３は、ワイヤレスデバイスのトラフィックの出入りの主要点の働きをするならびに／あるいはワイヤレスデバイス１０２をワイヤレスデバイス１０２の即時のサービスプロバイダおよび／またはパケットデータネットワーク（ＰＤＮ）に接続するいかなる論理および／または機能コンポーネントでもあり得る。アクセスゲートウェイ１１３は、音声、データおよび制御信号をユーザデータパケットとして他のネットワークコンポーネントに転送すること、外部のパケットデータネットワークへの接続性を提供すること、コンテキスト（例えば、ネットワーク内部ルーティング情報など）を管理および格納すること、ならびに、異なる技術（例えば、３ＧＰＰおよび非３ＧＰＰシステム）間のアンカの役割を果たすことができる。アクセスゲートウェイ１１３は、インターネット１０５へのおよびインターネット１０５からのデータの送信および受信、ならびに、外部のサービスネットワーク１０４、インターネット１０５、他の基地局１１１、ワイヤレスデバイス１０２へのおよび外部のサービスネットワーク１０４、インターネット１０５、他の基地局１１１、ワイヤレスデバイス１０２からの音声、データおよび制御信号の送信および受信を調整することができる。
【００５８】
様々な実施形態では、基地局１１１および／またはアクセスゲートウェイ１１３は、様々なネットワーク資源（例えば、ＲＦスペクトル、ＲＦスペクトル資源など）の利用可能性、割り当て、アクセスおよび使用を動的に管理するように構成された動的スペクトルアービトラージ（ＤＳＡ）システムと結合することができる（例えば、有線または無線通信リンクを介して）。ＤＳＡシステムについては、以下でさらに詳細に論じる。
【００５９】
図１Ｂは、各種の通信システム／技術（例えば、ＧＰＲＳ、ＵＭＴＳ、ＬＴＥ、ｃｄｍａＯｎｅ、ＣＤＭＡ２０００（商標））を使用してサービスネットワーク１０４（そして最終的にインターネット１０５）におよびサービスネットワーク１０４から音声、データおよび制御信号を送信および受信するようにワイヤレスデバイス１０２を構成できることを示し、それらのいずれかまたは全ては、様々な実施形態によってサポートすることまたは様々な実施形態の実装に使用することができる。
【００６０】
図１Ｂに示される例では、ワイヤレスデバイス１０２から送信されたロングタームエボリューション（ＬＴＥ）および／または進化型ユニバーサル地上無線アクセスネットワーク（Ｅ−ＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）データは、ｅＮｏｄｅＢ  １１６によって受信され、コアネットワーク１２０内に位置するサービングゲートウェイ（ＳＧＷ）１１８に送信される。ｅＮｏｄｅＢ  １１６は、シグナリング／制御情報（例えば、呼び出しセットアップ、セキュリティ、認証などについての情報）を移動性管理実体（ＭＭＥ）１３０に送信することができる。ＭＭＥ  １３０は、ホーム加入者サーバ（ＨＳＳ）１３２からユーザ／予約購入情報を要求すること、他のＭＭＥコンポーネントと通信すること、様々な管理タスク（例えば、ユーザ認証、ローミング制限の実施など）を実行すること、ＳＧＷ  １１８を選択すること、ならびに、認証および管理情報をｅＮｏｄｅＢ  １１６および／またはＳＧＷ  １１８に送信することができる。ＭＭＥ  １３０から認証情報（例えば、認証完了表示、選択されたＳＧＷの識別子など）が受信され次第、ｅＮｏｄｅＢ  １１６は、ワイヤレスデバイス１０２から受信されたデータを選択されたＳＧＷ  １１８に送信することができる。ＳＧＷ  １１８は、受信されたデータについての情報（例えば、ＩＰベアラサービスのパラメータ、ネットワーク内部ルーティング情報など）を格納し、ユーザデータパケットをポリシ制御実施機能（ＰＣＥＦ）および／またはパケットデータネットワークゲートウェイ（ＰＧＷ）１２８に転送することができる。
【００６１】
図１Ｂは、ワイヤレスデバイス１０２から送信された汎用パケット無線サービス（ＧＰＲＳ：ｇｅｎｅｒａｌ  ｐａｃｋｅｔ  ｒａｄｉｏ  ｓｅｒｖｉｃｅ）データをベーストランシーバ基地局（ＢＴＳ）１０６によって受信し、基地局コントローラ（ＢＳＣ）および／またはパケット制御ユニット（ＰＣＵ）コンポーネント（ＢＳＣ／ＰＣＵ）１０８に送信できることをさらに示す。ワイヤレスデバイス１０２から送信された符号分割多重アクセス（ＣＤＭＡ：ｃｏｄｅ  ｄｉｖｉｓｉｏｎ  ｍｕｌｔｉｐｌｅ  ａｃｃｅｓｓ）データは、ベーストランシーバ基地局１０６によって受信し、基地局コントローラ（ＢＳＣ）および／またはパケット制御機能（ＰＣＦ）コンポーネント（ＢＳＣ／ＰＣＦ）１１０に送信することができる。ワイヤレスデバイス１０２から送信されたユニバーサルモバイル電気通信システム（ＵＭＴＳ：ｕｎｉｖｅｒｓａｌ  ｍｏｂｉｌｅ  ｔｅｌｅｃｏｍｍｕｎｉｃａｔｉｏｎｓ  ｓｙｓｔｅｍ）データは、ＮｏｄｅＢ  １１２によって受信し、無線ネットワークコントローラ（ＲＮＣ）１１４に送信することができる。
【００６２】
ＢＳＣ／ＰＣＵ  １０８、ＢＳＣ／ＰＣＦ  １１０およびＲＮＣ  １１４コンポーネントは、ＧＰＲＳ、ＣＤＭＡおよびＵＭＴＳデータをそれぞれ処理し、処理されたデータをコアネットワーク１２０内のコンポーネントに送信することができる。より具体的には、ＢＳＣ／ＰＣＵ  １０８およびＲＮＣ  １１４ユニットは、処理されたデータをサービングＧＰＲＳサポートノード（ＳＧＳＮ）１２２に送信することができ、ＢＳＣ／ＰＣＦ  １１０は、処理されたデータをパケットデータサービングノード（ＰＤＳＮ）および／または高速パケットデータサービングゲートウェイ（ＨＳＧＷ）コンポーネント（ＰＤＳＮ／ＨＳＧＷ）１２６に送信することができる。ＰＤＳＮ／ＨＳＧＷ  １２６は、無線アクセスネットワークとＩＰベースのＰＣＥＦ／ＰＧＷ  １２８との間の接続点の役割を果たし得る。ＳＧＳＮ  １２２は、特定の地理的サービスエリア内のデータのルーティングに対する責任を有し得て、シグナリング（制御プレーン）情報（例えば、呼び出しセットアップ、セキュリティ、認証などについての情報）をＭＭＥ  １３０に送信することができる。ＭＭＥ  １３０は、ホーム加入者サーバ（ＨＳＳ）１３２からユーザおよび予約購入情報を要求すること、様々な管理タスク（例えば、ユーザ認証、ローミング制限の実施など）を実行すること、ＳＧＷ  １１８を選択すること、ならびに、管理および／または認証情報をＳＧＳＮ  １２２に送信することができる。
【００６３】
ＳＧＳＮ  １２２は、ＭＭＥ  １３０からの認証情報の受信に応答して、ＧＰＲＳ／ＵＭＴＳデータを選択されたＳＧＷ  １１８に送信することができる。ＳＧＷ  １１８は、データについての情報（例えば、ＩＰベアラサービスのパラメータ、ネットワーク内部ルーティング情報など）を格納し、ユーザデータパケットをＰＣＥＦ／ＰＧＷ  １２８に転送することができる。ＰＣＥＦ／ＰＧＷ  １２８は、シグナリング（制御プレーン）情報をポリシ制御規則機能（ＰＣＲＦ）１３４に送信することができる。ＰＣＲＦ  １３４は、加入者データベースにアクセスすること、一連のポリシ規則を作成すること、および、他の専門的な機能を実行する（例えば、オンライン／オフライン請求システム、アプリケーション機能などと相互作用する）ことができる。次いで、ＰＣＲＦ  １３４は、実施のためにポリシ規則をＰＣＥＦ／ＰＧＷ  １２８に送信することができる。ＰＣＥＦ／ＰＧＷ  １２８は、帯域幅、サービス品質（ＱｏＳ）、データの特徴、および、サービスネットワーク１０４とエンドユーザとの間で伝達されるサービスを制御するためにポリシ規則を実装することができる。
【００６４】
様々な実施形態では、上記で論じられるコンポーネントのいずれかまたは全て（例えば、コンポーネント１０２〜１３４）は、電気通信資源の利用可能性、割り当て、アクセスおよび使用を動的に管理するように構成されたＤＳＡシステムと結合するかまたはＤＳＡシステムに含めることができる。
【００６５】
図１Ｃは、ＤＳＡシステム１４２および進化型ユニバーサル地上無線アクセスネットワーク（Ｅ−ＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）１４０を含むシステム１００の実施形態における様々な論理コンポーネントおよび通信リンクを示す。図１Ｃに示される例では、ＤＳＡシステム１４２は、動的スペクトルコントローラ（ＤＳＣ）１４４コンポーネントと、動的スペクトルポリシコントローラ（ＤＰＣ）１４６コンポーネントとを含む。Ｅ−ＵＴＲＡＮ  １４０は、コアネットワーク１２０と結合された（例えば、ＭＭＥ、ＳＧＷなどへの接続を介して）多数の相互接続されたｅＮｏｄｅＢ  １１６を含む。
【００６６】
様々な実施形態では、ＤＳＣ  １４４は、Ｅ−ＵＴＲＡＮ  １４０に含めるかまたはＥ−ＵＴＲＡＮ  １４０と結合することができ、いずれの場合も、そのコアネットワーク１２０の一部としてまたはコアネットワーク１２０外に含めるかまたは結合することができる。実施形態では、ＤＳＣ  １４４は、１つまたは複数のｅＮｏｄｅＢ  １１６と直接結合することができる（例えば、有線または無線通信リンクを介して）。
【００６７】
ｅＮｏｄｅＢ  １１６は、Ｘｅインタフェース／基準点を介してＤＳＣ  １４４と通信するように構成することができる。様々な実施形態では、ＤＳＣとｅＮｏｄｅＢ  １１６との間のＸｅ基準点は、ＤＳＡＡＰプロトコル、ＴＲ−０６９プロトコルおよび／またはＴＲ−１９２データモデル拡張を使用して、ｅＮｏｄｅＢ  １１６における利用可能な資源のリストアップおよびｅＮｏｄｅＢ  １１６への入札／買い確認についての通知をサポートすることができる。ＤＳＣ  １４４は、Ｘｄインタフェース／基準点を介してＤＰＣ  １４６と通信するように構成することができる。ＤＳＣとＤＰＣとの間のＸｄ基準点は、動的スペクトルおよび資源アービトラージ動作のためのＤＳＡＡＰプロトコルを使用することができる。ｅＮｏｄｅＢ  １１６は、相互接続することができ、Ｘ２インタフェース／基準点を介して通信するように構成することができ、Ｘ２インタフェース／基準点もまた、情報を伝達するためにＤＳＡＡＰプロトコルを使用することができる。ｅＮｏｄｅＢ  １１６は、Ｓ１インタフェースを介してコアネットワーク１２０のコンポーネントと通信するように構成することができる。例えば、ｅＮｏｄｅＢ  １１６は、Ｓ１−ＭＭＥインタフェースを介してＭＭＥ  １３０に接続すること、および、Ｓ１−Ｕインタフェースを介してＳＧＷ  １１８に接続することができる。Ｓ１インタフェースは、ＭＭＥ  １３０と、ＳＧＷ  １１８と、ｅＮｏｄｅＢ  １１６との間の多対多関係をサポートすることができる。実施形態では、ＤＰＣおよび／またはＤＳＣコンポーネントは、ＨＳＳ  １３２コンポーネントと通信するように構成することもできる。
【００６８】
ｅＮｏｄｅＢ  １１６は、ワイヤレスデバイス１０２に対するユーザプレーン（例えば、ＰＤＣＰ、ＲＬＣ、ＭＡＣ、ＰＨＹ）および制御プレーン（ＲＲＣ）プロトコル終端を提供するように構成することができる。すなわち、ｅＮｏｄｅＢ  １１６は、ワイヤレスデバイス１０２に対する全ての無線プロトコルの終端点の働きをし、音声（例えば、ＶｏＩＰなど）、データおよび制御信号をコアネットワーク１２０のネットワークコンポーネントに中継することによって、ワイヤレスデバイス１０２とコアネットワーク１２０との間のブリッジ（例えば、層２ブリッジ）の役割を果たし得る。また、ｅＮｏｄｅＢ  １１６は、無線インタフェースの使用を制御すること、要求に基づいて資源を割り当てること、様々なサービス品質（ＱｏＳ）要件に従ってトラフィックの優先順位付けおよびスケジューリングを行うこと、ネットワーク資源の使用をモニタすることなど、様々な無線資源管理動作を実行するように構成することもできる。それに加えて、ｅＮｏｄｅＢ  １１６は、無線信号レベル測定値を収集し、収集された無線信号レベル測定値を分析し、分析の結果に基づいてワイヤレスデバイス１０２（またはモバイルデバイスへの接続）を別の基地局（例えば、第２のｅＮｏｄｅＢ）に引き渡すように構成することができる。
【００６９】
ＤＳＣ  １４４およびＤＰＣ  １４６は、異なるＥ−ＵＴＲＡＮ  １４０間で無線周波数および他のネットワーク資源を共有するための動的スペクトルアービトラージプロセスを管理するように構成された機能コンポーネントであり得る。例えば、ＤＰＣ  １４６コンポーネントは、Ｅ−ＵＴＲＡＮネットワークのＤＳＣ  １４４と通信することによって、複数のＥ−ＵＴＲＡＮネットワーク間のＤＳＡ動作および相互作用を管理するように構成することができる。
【００７０】
図１Ｄは、様々な実施形態によるＤＳＡ動作の実行における使用に適した通信システム１０１に含めることができる様々な論理および機能コンポーネントを示す。図１Ｄに示される例では、通信システム１０１は、ｅＮｏｄｅＢ  １１６、ＤＳＣ  １４４、ＤＰＣ  １４６、ＭＭＥ  １３０、ＳＧＷ  １１８およびＰＧＷ  １２８を含む。
【００７１】
ｅＮｏｄｅＢ  １１６は、ＤＳＣアプリケーションプロトコルおよび混雑モニタリングモジュール１５０、セル間無線資源管理（ＲＲＭ）モジュール１５１、無線ベアラ（ＲＢ）制御モジュール１５２、接続移動性制御モジュール１５３、無線許可制御モジュール１５４、ｅＮｏｄｅＢ測定配置および規定モジュール１５５、ならびに、動的な資源割り当てモジュール１５６を含み得る。これらのモジュール１５０〜１５６の各々は、ハードウェア、ソフトウェアまたはハードウェアとソフトウェアの組合せで実装することができる。
【００７２】
それに加えて、ｅＮｏｄｅＢ  １１６は、無線資源制御（ＲＲＣ）層１５７、パケットデータ収束プロトコル（ＰＤＣＰ）層１５８、無線リンク制御（ＲＬＣ）層１５９、媒体アクセス制御（ＭＡＣ）層１６０および物理（ＰＨＹ）層１６１を含む様々なプロトコル層を含み得る。これらのプロトコル層の各々では、様々なハードウェアおよび／またはソフトウェアコンポーネントは、その層に割り当てられた責任に見合った機能性を実装することができる。例えば、データストリームは、物理層１６１で受信することができ、物理層１６１は、無線受信機、バッファ、ならびに、復調、無線周波数（ＲＦ）信号内のシンボルの認識および受信されたＲＦ信号から生のデータを抽出するための他の動作の実行の動作を実行する処理コンポーネントを含み得る。
【００７３】
ＤＳＣ  １４４は、ｅＮｏｄｅＢ地理的境界管理モジュール１６２、ｅＮｏｄｅＢ資源および混雑管理モジュール１６３、ストリーム制御伝送プロトコル（ＳＣＴＰ）モジュール１６４、層２（Ｌ２）バッファモジュール１６５および層１（Ｌ１）バッファモジュール１６６を含み得る。ＤＰＣ  １４６は、ｅＮｏｄｅＢ資源入札管理モジュール１６７、ＤＳＣ間通信モジュール１６８、ＳＣＴＰ／ＤＩＡＭＥＴＥＲモジュール１６９、Ｌ２バッファモジュール１７０およびＬ１バッファモジュール１７１を含み得る。ＭＭＥ  １３０は、非アクセス層（ＮＡＳ）セキュリティモジュール１７２、アイドル状態移動性処理モジュール１７３および進化型パケットシステム（ＥＰＳ）ベアラ制御モジュール１７４を含み得る。ＳＧＷ  １１８は、移動性アンカリングモジュール１７６を含み得る。ＰＧＷ  １２８は、ＵＥ  ＩＰアドレス割り当てモジュール１７８およびパケットフィルタリングモジュール１７９を含み得る。これらのモジュール１６２〜１７９の各々は、ハードウェア、ソフトウェアまたはハードウェアとソフトウェアの組合せで実装することができる。
【００７４】
ｅＮｏｄｅＢ  １１６は、Ｓ１インタフェース／プロトコルを介してＳＧＷ  １１８および／またはＭＭＥ  １３０と通信するように構成することができる。また、ｅＮｏｄｅＢ  １１６は、Ｘｅインタフェース／プロトコルを介してＤＳＣ  １４４と通信するように構成することもできる。ＤＳＣ  １４４は、Ｘｄインタフェース／プロトコルを介してＤＰＣ  １４６と通信するように構成することができる。
【００７５】
ｅＮｏｄｅＢ  １１６は、無線ベアラ制御、無線許可制御、接続移動性制御、アップリンクとダウンリンク（スケジューリング）の両方におけるワイヤレスデバイス１０２への資源の動的割り当てなどの無線資源管理のための機能を含む様々な機能を提供するために様々な動作を実行する（例えば、モジュール／層１５０〜１６１を介して）ように構成することができる。また、これらの機能は、ＩＰヘッダ圧縮およびユーザデータストリームの暗号化、ＵＥによって提供された情報からＭＭＥ  １３０へのルーティングが決定されない際のＵＥアタッチメントにおけるＭＭＥの選択、ＳＧＷ  １１８に対するユーザプレーンデータのルーティング、ページングメッセージのスケジューリングおよび伝送（ＭＭＥから生じる）、放送情報のスケジューリングおよび伝送（ＭＭＥから生じる）、移動性およびスケジューリングのための測定および測定レポート構成、公的警報システム（例えば、地震および津波警報システム、商用モバイル警告サービスなど）メッセージのスケジューリングおよび伝送（ＭＭＥから生じる）、閉鎖された加入者グループ（ＣＳＧ）取り扱い、ならびに、アップリンクにおけるトランスポートレベルパケットマーキングも含み得る。実施形態では、ｅＮｏｄｅＢ  １１６は、Ｓ１／Ｘ２プロキシ機能性、Ｓ１１終端および／または中継ノード（ＲＮ）をサポートするためのＳＧＷ／ＰＧＷ機能性などの追加の機能を提供するために様々な動作を実行するように構成されたドナーｅＮｏｄｅＢ（ＤｅＮＢ）であり得る。
【００７６】
ＭＭＥ  １３０は、非アクセス層（ＮＡＳ）シグナリング、ＮＡＳシグナリングセキュリティ、アクセス層（ＡＳ）セキュリティ制御、３ＧＰＰアクセスネットワーク間の移動性のためのＣＮノード間シグナリング、アイドルモードＵＥ到達可能性（ページング再伝送の制御および実行を含む）、追跡エリアリスト管理（例えば、アイドルおよびアクティブモードのワイヤレスデバイスのため）、ＰＧＷおよびＳＧＷ選択、ＭＭＥ変更に伴うハンドオーバのためのＭＭＥ選択、２Ｇまたは３Ｇ  ３ＧＰＰアクセスネットワークへのハンドオーバのためのＳＧＳＮ選択、ローミング、認証、専用ベアラ確立を含むベアラ管理機能、公的警報システム（例えば、地震および津波警報システム、商用モバイル警告サービスなど）メッセージ伝送のためのサポート、ならびに、ページング最適化の実行を含む様々な機能を提供するために様々な動作を実行する（例えば、モジュール１７２〜１７５を介して）ように構成することができる。また、ＭＭＥモジュールは、様々なデバイス状態および取り付け／取り外し状態情報をＤＳＣに伝達することもできる。実施形態では、ＭＭＥ  １３０は、マクロｅＮｏｄｅＢに対するＣＳＧ  ＩＤに基づいてページングマッサージをフィルタリングしないように構成することができる。
【００７７】
ＳＧＷ  １１８は、移動性アンカリング（例えば、３ＧＰＰ間の移動性のため）、ｅＮｏｄｅＢ間ハンドオーバのためのローカル移動性アンカポイントとしての働き、Ｅ−ＵＴＲＡＮアイドルモードダウンリンクパケットバッファリング、ネットワークトリガサービス要求手順の開始、合法的通信傍受、パケットルーティングおよび転送、アップリンク（ＵＬ）およびダウンリンク（ＤＬ）におけるトランスポートレベルパケットマーキング、オペレータ間請求のためのユーザおよびＱｏＳクラス識別子（ＱＣＩ）粒度に関する説明、アップリンク（ＵＬ）およびダウンリンク（ＤＬ）請求（例えば、デバイス、ＰＤＮおよび／またはＱＣＩ毎）などを含む様々な機能を提供するために様々な動作を実行する（例えば、モジュール１７６を介して）ように構成することができる。
【００７８】
ＰＧＷ  １２８は、ユーザ毎のパケットフィルタリング（例えば、徹底的なパケット検査によって）、合法的通信傍受、ＵＥ  ＩＰアドレス割り当て、アップリンクおよびダウンリンクにおけるトランスポートレベルパケットマーキング、ＵＬおよびＤＬサービスレベル請求、ゲーティングおよびレート実施、ＡＰＮ総最大ビットレート（ＡＭＢＲ）に基づくＤＬレート実施などを含む様々な機能を提供するために様々な動作を実行する（例えば、モジュール１７８〜１７９を介して）ように構成することができる。
【００７９】
ＤＳＣ  １４４は、ネットワーク（例えば、ＰＬＭＮ）内の資源アービトレーション動作の管理、ネットワーク資源リストの追跡、進行中の現在の入札の追跡、実行された入札の追跡、ならびに、貸主ネットワークにおける借主ワイヤレスデバイス１０２の移動性管理のための入札特有の閉鎖された加入者グループ（ＣＳＧ）識別子（ＣＳＧ−ＩＤ）の追跡を含む様々な機能を提供するために様々な動作を実行する（例えば、モジュール１６２〜１６６を介して）ように構成することができる。ＤＳＣ  １４４は、借主ネットワークから貸主ネットワークにワイヤレスデバイス１０２を引き渡し（すなわち、ハンドインを実行する）、貸主ネットワークから借主ネットワークにワイヤレスデバイス１０２を引き戻す（すなわち、バックオフを実行する）ように構成することができる。
【００８０】
また、ＤＳＣ  １４４は、ｅＮｏｄｅＢの混雑状態を追跡し、ハンドオーバに対する対象ｅＮｏｄｅＢを選択し、貸主ｅＮｏｄｅＢ上のトラフィックを管理するように構成することもできる。ＤＳＣ  １４４は、構成されたポリシに基づいて、借主ネットワークから貸主ネットワーク内の他の負荷が少ないｅＮｏｄｅＢ  １１６にユーザトラフィックをオフロードする（例えば、優先度の低いユーザトラフィックをオフロードする、優先度の高いユーザトラフィックをオフロードする、特定のＱｏＳを有するユーザトラフィックをオフロードするなど）ように構成することができる。また、ＤＳＣ  １４４は、貸主ネットワークから借主ネットワークにワイヤレスデバイス１０２を引き戻すためにバックオフ動作を実行することもできる。また、ＤＳＣ  １４４は、システムの１つまたは複数のｅＮｏｄｅＢから収集または受信される歴史的な混雑情報をモニタ、管理および／または維持するように構成することもできる。
【００８１】
ＤＰＣ  １４６は、貸主および借主ネットワーク（例えば、ＰＬＭＮ）のＤＳＣ  １４４間の資源アービトラージブローカとしての機能、オークションのための様々な貸主ネットワークからの資源のリストアップ、オークションプロセスの管理を含む様々な機能を提供するために様々な動作を実行する（例えば、モジュール１６７〜１７１を介して）ように構成することができる。ＤＰＣ  １４６は、高値での入札、落札、入札取消、入札撤回および入札終了の通知をＤＳＣ  １４４に送信し、借主および貸主ネットワークのオンラインおよび／またはオフライン請求システムで入札特有の請求規則をインストールし、借主および貸主ＤＳＣ  １４４間のゲートウェイの役割を果たすことによってＤＳＣ  １４４間の資源使用量を調整するように構成することができる。
【００８２】
図１Ｅは、ＤＳＡ動作および相互作用を管理するように構成されたＤＰＣ  １４６によって相互接続された２つのＥ−ＵＴＲＡＮ  １４０ａ、１４０ｂを含む例示的な通信システム１０３のネットワークコンポーネントおよび情報フローを示す。図１Ｅに示される例では、各Ｅ−ＵＴＲＡＮ  １４０ａ、１４０ｂは、そのコアネットワーク１２０ａ、１２０ｂの外側のｅＮｏｄｅＢ  １１６ａ、１１６ｂと、コアネットワーク１２０ａ、１２０ｂの内側のＤＳＣ  １４４ａ、１４４ｂとを含む。
【００８３】
ＤＳＣ  １４４ａ、１４４ｂは、Ｘｄインタフェースを介してＤＰＣ  １４６と通信するように構成することができる。また、ＤＳＣ  １４４ａ、１４４ｂは、ＰＣＲＦ  １３４、ＨＳＳ  １３２およびＰＣＥＦ／ＰＧＷ  １２８（図１Ｅでは図示せず）など、ＤＳＣ  １４４ａ、１４４ｂのそれぞれのコアネットワーク１２０ａ、１２０ｂの様々なネットワークコンポーネントに直接または間接的に接続することもできる。実施形態では、ＤＳＣ  １４４ａ、１４４ｂのうちの１つまたは複数は、ｅＮｏｄｅＢ  １１６ａ、１１６ｂのうちの１つまたは複数に直接接続することができる。
【００８４】
上記で言及される接続および通信リンクに加えて、システム１０３は、異なるＥ−ＵＴＲＡＮ（例えば、Ｅ−ＵＴＲＡＮ  １４０ａおよび１４０ｂ）のコンポーネント間のデータフローおよび通信に対応するために追加の接続／リンクを含み得る。例えば、システム１０３は、第２のＥ−ＵＴＲＡＮ  １４０ｂのｅＮｏｄｅＢ  １１６ｂと第１のＥ−ＵＴＲＡＮ  １４０ａのＳＧＷ  １１８との間の接続／通信リンクを含み得る。別の例として、システム１０３は、第２のＥ−ＵＴＲＡＮ  １４０ｂのＳＧＷ  １１８と第１のＥ−ＵＴＲＡＮ  １４０ａのＰＧＷ  １２８との間の接続／通信リンクを含み得る。関連実施形態の論考に焦点を置くため、図１Ｅでは、これらの追加のコンポーネント、接続および通信リンクは示さない。
【００８５】
以下でさらに詳細に論じられるように、ＤＳＣ  １４４ａ、１４４ｂは、スペクトル資源の利用可能性に関する情報（例えば、ｅＮｏｄｅＢ、ＰＣＲＦ、ＰＣＥＦ、ＰＧＷなどから受信された情報）をＤＰＣ  １４６に送信するように構成することができる。この情報は、各ネットワークまたはサブネットワークの現在のおよび予想される将来の使用および／または容量に関連するデータを含み得る。ＤＰＣ  １４６は、そのような情報を受信および使用して、第１のＥ−ＵＴＲＡＮ  １４０ａからの第２のＥ−ＵＴＲＡＮ  １４０ｂへの（逆もまた同様）利用可能な資源の知的な割り当て、転移、管理、調整またはリースを行うように構成することができる。
【００８６】
例えば、ＤＰＣ  １４６は、動的スペクトルアービトラージ動作の一部として、Ｅ−ＵＴＲＡＮ  １４０ａ（すなわち、貸主ネットワーク）から第２のＥ−ＵＴＲＡＮ  １４０ｂ（すなわち、借主ネットワーク）へのスペクトル資源の割り当てを調整するように構成することができる。そのような動作は、第１のＥ−ＵＴＲＡＮ  １４０ａの割り当てられたスペクトル資源を使用できるように、通信リンク１４３を介して第２のＥ−ＵＴＲＡＮ  １４０ｂのｅＮｏｄｅＢ  １１６ｂにワイヤレスで接続されたワイヤレスデバイス１０２を第１のＥ−ＵＴＲＡＮ  １４０ａのｅＮｏｄｅＢ  １１６ａに受け渡すことができるようにすることができる。このハンドオフ手順の一部として、ワイヤレスデバイス１０２は、第１のＥ−ＵＴＲＡＮ  １４０ａのｅＮｏｄｅＢ  １１６ａへの新しい接続１４１を確立し、元のｅＮｏｄｅＢ  １１６ｂへのワイヤレス接続１４３を終了し、まるで第２のＥ−ＵＴＲＡＮ  １４０ｂに含まれているかのように、第１のＥ−ＵＴＲＡＮ  １４０ａの割り当てられた資源を使用することができる。ＤＳＡ動作は、第１のＤＳＣ  １４４ａが、第１の資源／時間帯に対しては貸主ＤＳＣであり、第２の資源または別の時間帯に対しては借主ＤＳＣであるように実行することができる。
【００８７】
実施形態では、ＤＳＡおよび／またはハンドオフ動作は、ワイヤレスデバイス１０２が受け渡された後に元のネットワークへのデータ接続（または元のネットワークによって管理されるデータ接続）を維持するように実行することができる。例えば、ＤＳＡおよび／またはハンドオフ動作は、ワイヤレスデバイス１０２が第１のＥ−ＵＴＲＡＮ  １４０ａのｅＮｏｄｅＢ  １１６ａに受け渡された後に第２のＥ−ＵＴＲＡＮ  １４０ｂのＰＧＷ  １２８へのデータフロー接続を維持するように実行することができる。
【００８８】
図２Ａは、実施形態による、資源を割り当てる例示的なＤＳＡ方法２００を示す。方法２００は、ＤＰＣ  １４６コンポーネントの処理コア（例えば、サーバコンピューティングデバイスなど）によって実行することができる。
【００８９】
ブロック２０２では、ＤＰＣ  １４６は、第１の通信ネットワーク（例えば、Ｅ−ＵＴＲＡＮなど）の第１のＤＳＣ  １４４ａへの第１の通信リンクを確立することができる。ブロック２０４では、ＤＰＣ  １４６は、第２の通信ネットワークの第２のＤＳＣ  １４４ｂへの第２の通信リンクを確立することができる。ブロック２０６では、ＤＰＣ  １４６は、無線周波数（ＲＦ）スペクトル資源が第２の通信ネットワーク内での割り当てに対して利用可能であるかどうかを判断することができる。このことは、ＤＳＡＡＰプロトコルを使用して第２の通信リンクを介して第２の通信ネットワークのＤＳＣ  １４４と通信することによって実現することができ、第２の通信リンクは、有線または無線通信リンクであり得る。ブロック２０８では、ＤＰＣ  １４６は、割り当てに対して利用可能なＲＦスペクトル資源の量を決定することができる。ブロック２１０では、ＤＰＣ  １４６は、第１の通信ネットワークのワイヤレスデバイス１０２によるアクセスおよび使用のために第２の通信ネットワークの利用可能なＲＦ資源の全てまたは一部分を割り当てるために様々な動作を実行することができる。
【００９０】
ブロック２１２では、ＤＰＣ  １４６は、割り当てられたＲＦスペクトル資源の使用を開始できることを第１の通信ネットワークに通知するため、通信メッセージを第１のＤＳＣ  １４４ａに送信することができる（例えば、ＤＳＡＡＰプロトコルを使用することによって）。ブロック２１４では、ＤＰＣ  １４６は、第１の通信ネットワークによる使用のために割り当てられたＲＦスペクトル資源の量を特定するトランザクションをトランザクションデータベースに記録することができる。
【００９１】
ブロック２１６では、ＤＰＣ  １４６は、割り当てられた資源が消費されたことを示すおよび／または割り当てられた資源のリリースを要求する情報を含む通信メッセージを第２のＤＳＣ  １４４ｂから受信することができる。ブロック２１８では、ＤＰＣ  １４６は、第１のネットワークによる割り当てられた資源のその使用を終了させるため、資源消費／リリースメッセージを第１のＤＳＣ  １４４ａに送信することができる。
【００９２】
図２Ｂは、資源を割り当てるためのＤＳＡ方法２５０の別の実施形態を実行する際のＤＰＣ  １４６と多数のＤＳＣ  １４４ａ〜ｄとの間の例示的な情報フローを示す。以下の説明では、ＤＳＡ方法２５０は、ＤＰＣ  １４６コンポーネントの観点から論じており、ＤＰＣ  １４６の処理コアによって実行することができる。しかし、ＤＰＣ  １４６コンポーネントの処理コア、ＤＳＣ  １４４ａ〜ｄの処理コアまたはそれらの組合せによってＤＳＡ方法２５０を実行できることを理解すべきである。それに加えて、ＤＰＣ  １４６と他のコンポーネントとの間の全ての相互作用および通信はＤＳＡＡＰコンポーネントによっておよび／またはＤＳＡＡＰプロトコルを使用して実現できることを理解すべきである。従って、そのような全ての相互作用および通信はＤＳＡＡＰプロトコルに含めることができる。
【００９３】
動作２５２では、ＤＰＣ  １４６コンポーネントの処理コアは、第１のネットワーク（例えば、Ｅ−ＵＴＲＡＮなど）の第１のＤＳＣ  １４４ａコンポーネントから「資源要求」通信メッセージを受信することができる。この出願で論じられる「資源要求」通信メッセージおよび他の全ての通信メッセージはＤＳＡＡＰメッセージであり得ることを理解すべきである。
【００９４】
「資源要求」通信メッセージは、第１のネットワークが他のネットワークからの資源の購入、リース、アクセスおよび／または使用に関心を示していることをＤＰＣ  １４６に通知するのに適した情報を含み得る。また、「資源要求」通信メッセージは、第１のネットワークによって要求された資源（例えば、ＲＦスペクトル資源など）のタイプおよび／または量、要求された資源が割り当てられるワイヤレスデバイス１０２のタイプおよび能力、ならびに、他の同様の情報を特定するのに適した情報も含み得る。
【００９５】
動作２５４、２５６および２５８では、ＤＰＣ  １４６は、「資源問い合わせ」通信メッセージを生成し、第２のネットワークの第２のＤＳＣ  １４４ｂコンポーネント、第３のネットワークの第３のＤＳＣ  １４４ｃコンポーネントおよび第４のネットワークの第４のＤＳＣ  １４４ｄコンポーネントの各々にそれぞれ送信することができる。ＤＰＣ  １４６は、様々なコンポーネント、デバイスおよび資源の要件、基準および情報を含む「資源問い合わせ」通信メッセージを生成するように構成することができる。例えば、ＤＰＣ  １４６は、資源が割り当てられる予定の第１のネットワーク（および他のネットワーク）のユーザワイヤレスデバイス１０２のタイプ、能力および地理的基準を特定する情報を含む「資源問い合わせ」通信メッセージを生成することができる。地理的基準は、資源が割り当てられる予定のユーザワイヤレスデバイス１０２の地理的場所、地理的多角形および／またはライセンスエリアを含み得る。
【００９６】
動作２６０および２６２では、ＤＰＣ  １４６は、第２および第３のＤＳＣ  １４４ｂ、１４４ｃから「資源問い合わせに対する応答」通信メッセージを受信することができる。これらの「資源問い合わせに対する応答」通信メッセージは、資源問い合わせメッセージに含まれる要件／基準に準拠する余分な資源の利用可能性を特定する情報を含み得る。動作２６４では、ＤＰＣ  １４６は、第４のＤＳＣ  １４４ｄから別の「資源問い合わせに対する応答」通信メッセージを受信することができる。この「資源問い合わせに対する応答」通信メッセージは、第４のネットワークが要求された要件／基準を満たす資源を含まないことを示す情報を含み得る。
【００９７】
実施形態では、動作２６０〜２６４の一部として、ＤＰＣ  １４６は、割り当てに対して利用可能な資源を有するものとして第２および第３のネットワークを特定するため、ならびに／あるいは、そのような資源を含まないものとして第４のネットワークを特定するため、データベース記録を更新することができる。
【００９８】
動作２６６では、ＤＰＣ  １４６は、「資源の利用可能性」通信メッセージを生成し、第１のネットワークの第１のＤＳＣ  １４４ａを含む多数のネットワークの多数のＤＳＣに送信することができる。ＤＰＣ  １４６は、資源が割り当てに対して利用可能であることをネットワークに通知するのに適した情報を含む「資源の利用可能性」通信メッセージを生成するように構成することができる。実施形態では、ＤＰＣ  １４６は、オークションを介して資源が割り当てに対して利用可能であることおよび／またはオークションに対するオークション開始時刻をネットワークに通知するのに適した情報を含む通信信号を放送することによって、資源が割り当てに対して利用可能であることをネットワークに通知するように構成することができる。
【００９９】
動作２６８では、ＤＰＣ  １４６は、第１のＤＳＣ  １４４ａから「資源確保要求」通信メッセージを受信することができる。受信された「資源確保要求」通信メッセージは、第１のネットワークが利用可能な資源の少なくとも一部分に対するオークションおよび／または入札に参加するつもりであることをＤＰＣ  １４６に通知するのに適した情報を含み得る。
【０１００】
動作２７０および２７２では、ＤＰＣ  １４６は、第２および第３のＤＳＣ  １４４ｂ、１４４ｃにそれぞれ「資源確保要求」通信メッセージを送信することができる。「資源確保要求」通信メッセージは、他のネットワークによる割り当ておよび使用に対して利用可能な資源の全てまたは一部分を第２および第３のＤＳＣ  １４４ｂ、１４４ｃに確保させるのに適した情報を含み得る。
【０１０１】
動作２７４および２７６では、ＤＰＣ  １４６は、第２および第３のＤＳＣ  １４４ｂ、１４４ｃの各々から「資源確保に対する応答」通信メッセージを受信することができる。「資源確保に対する応答」メッセージは、確保された要求資源についておよび／または確保された資源の特定に適した情報についてＤＰＣ  １４６に通知するのに適した情報を含み得る。
【０１０２】
任意選択により、動作ブロック２７８では、ＤＰＣ  １４６は、他のネットワーク（例えば、第１のネットワーク）のワイヤレスデバイス１０２による割り当ておよび使用のために確保された資源をプールすることができる。例えば、ＤＰＣ  １４６は、第２のネットワークで確保されたスペクトル群を第３のネットワークで確保されたスペクトル群と組み合わせることができる。別の例として、ＤＰＣ  １４６は、第２のネットワークで確保されたスペクトル群の第１および第４のチャネルに利用可能な資源をプールすることができる。
【０１０３】
動作２８０では、ＤＰＣ  １４６は、第１のネットワークの第１のＤＳＣ  １４４ａからを含む多数のネットワークから「資源入札」通信メッセージを受信することができる。各「資源入札」通信メッセージは、資源のアクセス、使用、リースおよび／または購入に対する入札または申し出、ならびに、他の関連入札情報（例えば、価格、要求された割り当て／アクセス方法など）を含み得る。動作２８０の一部として、ＤＰＣ  １４６は、受信された資源入札がＤＳＡシステムのポリシおよび規則ならびに／あるいは割り当てのための資源を申し出るネットワークによって規定された要件（例えば、最低希望価格を満たすなど）に準拠するかどうかを判断することができる。
【０１０４】
動作２８２では、ＤＰＣ  １４６は、第１のネットワークから受信された資源入札がＤＳＡシステムのポリシ／規則および資源を申し出るネットワークによって規定された要件（例えば、第２のネットワークによって指定された最低金額以上の、利用可能な資源のプールの資源の全てまたは一部分の使用に対する金額を申し出る）に準拠するという判断に応答して、第１のネットワークからの入札／申し出を受諾することができる。また、動作２８２では、ＤＰＣ  １４６は、「入札受諾」通信メッセージを生成し、第１のＤＳＣ  １４４ａに送信することもできる。
【０１０５】
動作２８４では、ＤＰＣ  １４６は、「資源割り当て要求」通信メッセージを第２のＤＳＣ  １４４ｂに送信することによって、第１のネットワークのワイヤレスデバイス１０２によるアクセスおよび使用のために第２のネットワークの資源を割り当てることができる。すなわち、動作２８４では、ＤＰＣは、第１のＤＳＣ  １４４ａによって落札された資源の一部分（例えば、利用可能な資源のプールの）が第２のネットワークを介して完全に利用可能であると判断し、それに応答して、資源割り当て要求メッセージを第２のネットワークにのみ送信することができる。
【０１０６】
動作２８６では、ＤＰＣ  １４６は、第２のＤＳＣ  １４４ｂから「資源割り当て済み」通信メッセージを受信することができる。動作２８８では、ＤＰＣ  １４６は、そのワイヤレスデバイス１０２によるアクセスおよび使用のために資源が割り当てられたことならびに／あるいは割り当てられた資源の使用を開始できることを第１のネットワークに通知するため、「資源割り当て済み」通信メッセージを第１のＤＳＣ  １４４ａに送信することができる。動作ブロック２９０では、ＤＰＣ  １４６は、第１のネットワークによるアクセスおよび使用のために割り当てられたものとしてこれらの資源を特定するトランザクションをトランザクションデータベースに記録することができる。
【０１０７】
動作２９２では、ＤＰＣ  １４６は、割り当てられた資源が消費されたことを示す情報および／または割り当てられた資源のリリースを要求するのに適した情報を含む「資源のリリース」通信メッセージを第２のＤＳＣ  １４４ｂから受信することができる。動作２９４では、ＤＰＣ  １４６は、割り当てられた資源のその使用を第１のネットワークに終了させるため、資源消費済み／リリースメッセージを第１のＤＳＣ  １４４ａに送信することができる。
【０１０８】
図３〜７は、ＤＰＣ  １４６コンポーネント、２つのＤＳＣ  １４４ａ、１４４ｂコンポーネントおよびワイヤレスデバイス１０２を含む通信システムにおける資源の割り当ておよびアクセスを行うためのＤＳＡ方法３００の実施形態を示す。全てまたは一定の部分のＤＳＡ方法３００は、ＤＰＣ  １４６、ＤＳＣ  １４４ａ〜ｂおよび／またはワイヤレスデバイス１０２の処理コアによって実行することができる。様々な実施形態では、コンポーネント１４６、１４４ａ、１４４ｂおよび１０２間の相互作用および通信の全てのいずれかは、ＤＳＡＡＰコンポーネントによっておよび／またはＤＳＡＡＰプロトコルを使用して実現または促進することができる。従って、そのような全ての相互作用および通信は、ＤＳＡＡＰプロトコルに含めることができる。
【０１０９】
図３を参照すると、ブロック３０２では、第１のネットワークの第１のＤＳＣ  １４４ａは、第１のネットワークが利用可能な全スペクトル資源と比べて、ユーザトラフィック（例えば、通話およびデータトラフィックなど）をモニタすることができる。ブロック３０４では、第１のＤＳＣ  １４４ａは、そのモニタリングの結果に基づいて資源状態レポートを生成し、資源状態レポートをメモリに記録／格納し、資源状態レポート通信メッセージを介して資源状態レポートをＤＰＣ  １４６に送信することができる。判断ブロック３０６では、第１のＤＳＣ  １４４ａは、第１のネットワークの既存のワイヤレスデバイス１０２に適切なサービスを提供するため、受信された資源状態レポートに基づいて、追加の資源が必要かどうか（および／または近い将来に追加の資源が必要になる確率が高いかどうか）を判断することができる。追加の資源が必要であるという判断（すなわち、判断ブロック３０６＝「はい」）に応答して、ブロック３０８では、第１のＤＳＣ  １４４ａは、「資源要求」通信メッセージをＤＰＣ  １４６に送信することができる。追加の資源が必要でないという判断（すなわち、判断ブロック３０６＝「いいえ」）に応答して、ブロック３０２では、第１のＤＳＣ  １４４ａは、ユーザトラフィックのモニタリングを続行することおよび／または他のＤＳＣ動作を実行することができる。
【０１１０】
ブロック３１０では、第２のネットワークの第２のＤＳＣ  １４４ｂは、第２のネットワークが利用可能な全スペクトル資源と比べて、ユーザトラフィックをモニタすること、資源状態レポートを生成することおよび／またはこの出願で論じられるＤＳＣ動作のいずれかもしくは全てを実行することができる。判断ブロック３１２では、第２のＤＳＣ  １４４ｂは、第２のネットワークに余分な量の利用可能な資源があるかどうかを判断することができる。第２のネットワークに余分な利用可能な資源がないという判断（すなわち、判断ブロック３１２＝「いいえ」）に応答して、ブロック３１０では、第２のＤＳＣ  １４４ｂは、ユーザトラフィックのモニタリングを続行することおよび／または他のＤＳＣ動作を実行することができる。
【０１１１】
第２のネットワークに余分な利用可能な資源があるという判断（すなわち、判断ブロック３１２＝「はい」）に応答して、ブロック３１４では、第２のＤＳＣ  １４４ｂは、他のネットワーク（例えば、第１のネットワークなど）によるアクセスおよび使用のために全てまたは一定の部分のその余分な資源のマーク付け、指定または割り当てを行うことができる。ブロック３１６では、第２のＤＳＣ  １４４ｂは、資源割り当てレポートを生成し、生成された資源割り当てレポートをＤＰＣ  １４６に送信することができる（例えば、資源通信メッセージを介して）。ＤＳＣ  １４４ｂは、割り当てに対して利用可能なおよび／または第２のネットワークによるマーク付け、指定もしくは割り当てが行われた資源（または一定の部分もしくは一定の量の資源）を特定する情報を含む資源割り当てレポートを生成するように構成することができる。
【０１１２】
ブロック３２０では、ＤＰＣ  １４６は、第１および第２のネットワークの第１および第２のＤＳＣ  １４４ａ、１４４ｂを含む多くの異なるネットワークのＤＳＣ  １４４から様々な資源状態および割り当てレポートを受信することができる。これらのレポートは、利用可能な全スペクトル資源に対する検出されたユーザトラフィックの比率、ネットワークによって必要とされる資源の量、ネットワークでの割り当てに対して利用可能な資源の量、割り当てられた資源を使用するワイヤレスデバイス１０２のタイプおよび能力、ワイヤレスデバイス１０２が割り当てられた資源にアクセスする前に満たさなければならないシステム要件、資源のアクセスおよび使用に関するネットワーク規則およびポリシ、ならびに、他の同様の情報など、ネットワークおよびそれらのコンポーネントの様々な特徴、基準、要件および条件を特定する情報を含み得る。
【０１１３】
ブロック３２２では、ＤＰＣ  １４６は、受信レポート（例えば、資源状態レポート、資源割り当てレポートなど）をメモリ（例えば、不揮発性メモリ）に格納することができる。ブロック３２４では、ＤＰＣ  １４６は、第１のネットワークの第１のＤＳＣ  １４４ａを含む異なるネットワークのＤＳＣ  １４４から資源要求を受信することができる。ブロック３２６では、ＤＰＣ  １４６は、受信された／格納された情報（例えば、資源要求、資源割り当てレポート、資源状態レポートなどで受信された情報）を使用して、第１のネットワークが追加の資源をリースするかまたは購入することができる最適な／最良の利用可能なネットワークを特定および選択することができる。図３に示される例では、ＤＰＣ  １４６は、第１のネットワークに資源を提供する最適なネットワークとして第２のネットワークを特定および選択している。
【０１１４】
ブロック３２８では、ＤＰＣ  １４６は、資源問い合わせ通信メッセージを第２のＤＳＣ  １１４４ｂに送信することができる。ブロック３３０では、第２のＤＳＣ  １１４４ｂは、資源問い合わせ通信メッセージを受信することができる。ブロック３３２では、第２のＤＳＣ  １１４４ｂは、第２のネットワークによるマーク付け、指定または割り当てが行われた余分な資源の利用可能性、金額および／または量を決定することができる。ブロック３３４では、第２のＤＳＣ  １１４４ｂは、「資源問い合わせに対する応答」通信メッセージを生成し、ＤＰＣ  １４６に送信することができる。第２のＤＳＣ  １１４４ｂは、他のネットワーク（例えば、第１のネットワーク）によるアクセスおよび使用のためにマーク付け、指定または割り当てが行われた資源の利用可能性および量の特定における使用に適した情報を含む資源問い合わせに対する応答を生成することができる。ブロック３３６では、ＤＰＣ  １４６は、第２のＤＳＣ  １１４４ｂから「資源問い合わせに対する応答」通信メッセージを受信し、それに応答して、図４に示される判断ブロック４００の動作を実行することができる。
【０１１５】
図４を参照すると、判断ブロック４００では、ＤＰＣ  １４６は、第２のネットワークの第２のＤＳＣ  １４４ｂから受信されたデータ（例えば、資源問い合わせに対する応答メッセージ）に基づいて資源が利用可能であるかどうかを判断することができる。例えば、ＤＰＣ  １４６は、確保される前に資源の全てまたは一部分が他の入札者により購入されたかまたは落札されたという判断に応答して、特定された資源が利用可能ではないと判断することができる。
【０１１６】
資源が利用可能ではないという判断（すなわち、判断ブロック４００＝「いいえ」）に応答して、ブロック４０２では、ＤＰＣ  １４６は、「資源利用不可能」通信メッセージを第１のネットワークの第１のＤＳＣ  １４４ａに送信することができる。ブロック４０４では、第１のＤＳＣ  １４４ａは、「資源利用不可能」通信メッセージを受信することができる。ブロック４０６では、第１のＤＳＣ  １４４ａは、他の利用可能な資源を探索すること（例えば、ＤＰＣ  １４６を介して）、異なるネットワークからの資源を要求すること、異なる資源を要求すること、資源を解放するためにユーザとの接続もしくは通信セッションを終了すること、または、第１のネットワークのネットワークトラフィックおよび混雑を管理するために他の同様の動作を実行することができる。
【０１１７】
資源が利用可能であるという判断（すなわち、判断ブロック４００＝「はい」）に応答して、ブロック４０８では、ＤＰＣ  １４６は、「資源利用可能」通信メッセージを第１のＤＳＣ  １４４ａに送信することができる。資源利用可能メッセージは、第１のネットワークのワイヤレスデバイス１０２によって使用することができる第２のネットワークの資源の品質および量を決定するために第１のＤＳＣ  １４４ａによって使用することができる情報を含み得る。
【０１１８】
ブロック４１０では、第１のＤＳＣ  １４４ａは、ＤＰＣ  １４６から送信された資源利用可能通信メッセージを受信することができる。ブロック４１２では、第１のＤＳＣ  １４４ａは、第１のネットワークが必要とするおよび／または取得を試みる資源の金額／量を決定し、このおよび他の資源情報を「資源要求」通信メッセージでＤＰＣ  １４６に送信することができる。
【０１１９】
ブロック４１４では、ＤＰＣ  １４６は、第１のＤＳＣ  １４４ａから「資源要求」メッセージを受信することができる。ブロック４１６では、ＤＰＣ  １４６は、受信されたれたメッセージに含まれる情報を使用して、「資源確保要求」通信メッセージを生成し、第２のネットワークの第２のＤＳＣ  １４４ｂに送信することができる。
【０１２０】
ブロック４１８では、第２のＤＳＣ  １４４ｂは、ＤＰＣ  １４６から「資源確保要求」メッセージを受信することができる。ブロック４２０では、第２のＤＳＣ  １４４ｂは、受信された「資源確保要求」メッセージに含まれる情報を使用して、他のネットワークのコンポーネントによるアクセスおよび使用のために割り当てられた資源の要求量を確保することができる。ブロック４２２では、第２のＤＳＣ  １４４ｂは、「資源確保済み」通信メッセージをＤＰＣ  １４６に送信して、資源の要求量が確保されたことを確認することおよび／または確保された資源を特定することができる。
【０１２１】
ブロック４２４では、ＤＰＣ  １４６は、第２のＤＳＣ  １４４ｂから「資源確保済み」通信メッセージを受信することができる。ブロック４２６では、ＤＰＣ  １４６は、オークションのための確保された資源を提供することおよび／または確保された資源に対する資源入札の受諾を開始することができる。
【０１２２】
図５は、ＤＰＣ  １４６が、オークションのための確保された資源を提供した後および／または確保された資源に対する資源入札の受諾を開始した後（例えば、図４に示されるブロック４２６の動作を実行した後）に実行することができるＤＳＡ方法３００の入札手順を示す。
【０１２３】
図５を参照すると、ブロック５００では、第１のネットワークの第１のＤＳＣ  １４４ａは、ＤＰＣ  １４６に資源入札を送信することによって（例えば、通信メッセージを介して）、第２のネットワークの確保された資源へのアクセスについて交渉することができる。ブロック５０２では、ＤＰＣ  １４６は、第１のＤＳＣ  １４４ａから資源入札を受信することができる。
【０１２４】
判断ブロック５０４では、ＤＰＣ  １４６は、受信された資源入札を受諾すべきかどうかを判断することができ、このことは、資源入札がＤＳＡシステムのポリシおよび規則ならびに第２のネットワークの要件（例えば、最低金額を超えるなど）に準拠するかどうかを判断することによって実現することができる。第１のＤＳＣ  １４４ａから受信された資源入札を受諾すべきであるという判断（すなわち、判断ブロック５０４＝「はい」）に応答して、ブロック５０６では、ＤＰＣ  １４６は、「入札受諾」通信メッセージを第１のＤＳＣ  １４４ａに送信することができる。ブロック５０８では、第１のＤＳＣ  １４４ａは、「入札受諾」メッセージを受信し、資源アクセス指示の受信を待つことができる。ブロック５１０では、ＤＰＣ  １４６は、「資源割り当て」通信メッセージを第２のネットワークの第２のＤＳＣ  １４４ｂに送信することができる。
【０１２５】
ブロック５１２では、第２のＤＳＣ  １４４ｂは、ＤＰＣ  １４６から「資源割り当て」通信メッセージを受信することができる。ブロック５１４では、第２のＤＳＣ  １４４ｂは、受信された「資源割り当て」メッセージに含まれる情報を使用して、第１のネットワークのコンポーネントによるアクセスおよび使用のために確保された全てまたは一定の部分の資源を割り当てることができる。ブロック５１６では、第２のＤＳＣ  １４４ｂは、割り当てられた資源にアクセスするためにワイヤレスデバイス１０２（すなわち、第１のネットワークの）によって使用することができる情報（例えば、アクセスパラメータなど）を含む「資源アクセス」通信メッセージを生成し、「資源アクセス」メッセージをＤＰＣ  １４６に送信することができる。ブロック５１８では、第２のＤＳＣ  １４４ｂは、音声またはデータ呼び出しを構成または準備することによってなど、第１のネットワークのワイヤレスデバイス１０２への通信セッション／リンクの確立に備えるために様々な動作を実行することができる。
【０１２６】
ブロック５２２では、ＤＰＣ  １４６は、第２のＤＳＣ  １４４ｂから「資源アクセス」通信メッセージを受信し、資源アクセスメッセージを第１のＤＳＣ  １４４ａに中継することができる。ブロック５２４では、第１のＤＳＣ  １４４ａは、ＤＰＣ  １４６から「資源アクセス」メッセージを受信することができる。受信された「資源アクセス」メッセージは、第２のネットワークの割り当てられた資源にアクセスするためにワイヤレスデバイス１０２によって使用することができるアクセスパラメータを含み得る。ブロック５２６では、第１のＤＳＣ  １４４ａは、第１のネットワークとの通信セッションを有するワイヤレスデバイス１０２および／または他のネットワークへの移動のために第１のネットワークが指定／マーク付けしたワイヤレスデバイス１０２にアクセスパラメータを送信することができる。
【０１２７】
ブロック５２８では、ワイヤレスデバイス１０２は、第１のＤＳＣ  １４４ａから第２のネットワークのアクセスパラメータを受信することができる。ブロック５３０および５２０では、ワイヤレスデバイス１０２および／または第２のＤＳＣ  １４２ｂは、ワイヤレスデバイス１０２と第２のネットワークとの間の通信セッション／リンクを確立するために様々な動作を実行することができる。次いで、第２のＤＳＣ  １４４ｂは、図７に示されるブロック７００の動作を実行することができ、ブロック７００の動作については以下でさらに論じる。
【０１２８】
上記で言及されるように、判断ブロック５０４では、ＤＰＣ  １４６は、第１のＤＳＣ  １４４ａから受信された資源入札を受諾すべきかどうかを判断することができる。第１のＤＳＣ  １４４ａから受信された資源入札を受諾すべきではないという判断（すなわち、判断ブロック５０４＝「いいえ」）に応答して、ＤＰＣ  １４６は、図６に示されるブロック６００の動作を実行することができる。
【０１２９】
図６を参照すると、ブロック６００では、ＤＰＣ  １４６は、「入札拒否」通信メッセージを第１のＤＳＣ  １４４ａに送信することができる。ブロック６０２では、第１のＤＳＣ  １４４ａは、ＤＰＣ  １４６から、「入札拒否」メッセージを受信することができる。判断ブロック６０４では、第１のＤＳＣ  １４４ａは、第１のネットワークが資源に対する再入札を行う／行うべきかどうかを判断することができる。第１のネットワークが資源に対する再入札を行う／行うべきであるという判断（すなわち、判断ブロック６０４＝「はい」）に応答して、ブロック６０６では、第１のＤＳＣ  １４４ａは、新しい資源入札をＤＰＣ  １４６に送信することができる（例えば、資源入札通信メッセージで）。
【０１３０】
ブロック６０８では、ＤＰＣ  １４６は、第１のＤＳＣ  １４４ａから新しい資源入札（または再入札）を受信することができる。判断ブロック６１０では、ＤＰＣ  １４６は、新しい資源入札がＤＳＡシステムのポリシおよび規則ならびに第２のネットワークの要件に準拠するかどうかを判断することによって、新しい資源入札を受諾するかどうかを判断することができる。新しい資源入札を受諾すべきであるという判断（すなわち、判断ブロック６１０＝「はい」）に応答して、ＤＰＣ  １４６は、図５に示されるブロック５０６の動作を実行することができる。新しい資源入札を受諾すべきではないという判断（すなわち、判断ブロック６１０＝「いいえ」）に応答して、ＤＰＣ  １４６は、ブロック６００の動作を実行することができる。
【０１３１】
第１のネットワークが資源に対する再入札を行うべきであるという判断（すなわち、判断ブロック６０４＝「いいえ」）に応答して、ブロック６１２では、第１のＤＳＣ  １４４ａは、「資源取消要求」通信メッセージをＤＰＣ  １４６に送信することができる。ブロック６１４では、ＤＰＣ  １４６は、第１のＤＳＣ  １４４ａから「資源取消要求」メッセージを受信することができる。ブロック６１６では、ＤＰＣ  １４６は、「資源のリリース」通信メッセージを第２のＤＳＣ  １４４ｂに送信することができる。
【０１３２】
ブロック６１８では、第２のＤＳＣ  １４４ｂは、ＤＰＣ  １４６から「資源のリリース」メッセージを受信することができる。ブロック６２０では、第２のＤＳＣ  １４４ｂは、他のネットワークが資源を使用できるように、確保された資源をリリースすることができる。次いで、第２のＤＳＣ  １４４ｂは、割り当てられた資源の状態をＤＰＣ  １４６に報告することができ、このことは、図３に示されて上記で論じられるブロック３１６の動作を実行することによって実現することができる。
【０１３３】
図７は、第２のネットワークが第１のネットワークの二次ユーザワイヤレスデバイス１０２へのアクセスを提供した後（すなわち、図５に示されるブロック５２０の動作を実行した後）に実行することができるＤＳＡ方法３００の清算手順を示す。
【０１３４】
ブロック７００では、第２のＤＳＣ  １４４ｂは、第１のネットワークによる割り当てられた資源の使用に関連するインボイスおよび支払い指示をＤＰＣ  １４６に送信することができる。ブロック７０４では、ＤＰＣ  １４６は、受信されたインボイスおよび支払い指示を第１のＤＳＣ  １４４ａに中継することができる。ブロック７０６では、第１のＤＳＣ  １４４ａは、インボイスおよび支払い指示を受信し、ブロック７１８では、第２のネットワークから課された料金を清算することができる。
【０１３５】
任意選択によりまたは代替として、ブロック７０８では、第２のＤＳＣ  １４４ｂは、使用パラメータおよび支払い指示をＤＰＣ  １４６に送信することができる。ブロック７１０では、ＤＰＣ  １４６は、第２のＤＳＣ  １４４ｂから使用パラメータおよび支払い指示を受信することができる。ブロック７１２では、ＤＰＣ  １４６は、資源のアクセスおよび使用に対するインボイスを作成することができる。ブロック７１４では、ＤＰＣ  １４６は、第１のネットワークの第１のＤＳＣ  １４４ａにインボイスを送信することができる。ブロック７１６では、第１のＤＳＣ  １４４ａは、インボイスおよび支払い指示を受信し、ブロック７１８では、第２のネットワークから課された料金を清算するために様々な動作を実行することができる。
【０１３６】
様々な実施形態では、ＤＰＣ  １４６およびＤＳＣ  １４４コンポーネントは、インタフェースを介して通信するように構成することができ、インタフェースは、Ｘｅおよび／またはＸｄ基準点上で定義される動的スペクトルアービトラージアプリケーションパート（ＤＳＡＡＰ）プロトコル／モジュール／コンポーネントに実装するかまたはそれを介して提供することができる。ＤＳＡＡＰは、ＤＳＡシステムおよび電気通信ネットワークの効率および速度を向上させるため、ＤＰＣ  １４６とＤＳＣ  １４４との間の通信を可能にする、促進する、サポートするまたは増大することができる。様々な実施形態では、全てまたは一定の部分のＤＳＡＡＰモジュール／コンポーネントは、ＤＰＣ  １４６コンポーネント、ＤＳＣ  １４４コンポーネント、ＤＰＣ  １４６およびＤＳＣ  １４４コンポーネントとは無関係のコンポーネント、または、それらの任意の組合せに含めることができる。ＤＳＡＡＰモジュール／コンポーネントは、これらのおよび他のＤＳＡコンポーネントがＤＳＡＡＰプロトコルを使用して情報を伝達できるようにすることができる。
【０１３７】
例えば、ＤＳＡＡＰは、ＤＰＣ  １４６およびＤＳＣ  １４４コンポーネントが、特定の情報を伝達できるように、ならびに／あるいは、ＤＳＣ登録機能、資源利用可能性広告機能、資源の入札および割り当て機能、借主ユーザから貸主ネットワークへのハンドイン機能、貸主ネットワークからのバックオフ機能、エラー処理機能（例えば、機能特有のエラーメッセージが定義されない一般エラー状況の報告など）、ＤＳＣ登録解除機能、エラー表示機能、ＤＳＣ落札成功および落札失敗表示機能、ＤＳＣ資源割り当て撤回機能を含む様々な機能を共に提供する動作を実行できるようにすることができる。様々な実施形態では、これらの機能は、図８Ａ〜１７Ｂを参照して以下で論じられるＤＳＡＡＰ方法のうちの１つまたは組合せを実行するようにＤＰＣ  １４６および／またはＤＳＣ  １４４コンポーネントを構成することによって提供、実装または実現することができる。ＤＳＡＡＰプロトコルの使用およびＤＳＡＡＰ方法の実行は、１つまたは複数のＤＳＡＡＰメッセージを介する通信を含み得る。
【０１３８】
様々な実施形態では、ＤＳＣ  １４４とＤＰＣ  １４６との間の情報の伝達に使用されるＤＳＡＡＰメッセージは、ＤＳＣ登録要求メッセージ、ＤＳＣ登録受諾メッセージ、ＤＳＣ登録拒否メッセージ、ＤＳＣ登録解除メッセージ、ＤＳＣ資源登録要求メッセージ、ＤＳＣ資源登録受諾メッセージ、ＤＳＣ資源登録拒否メッセージ、利用可能な入札要求メッセージ、利用可能な入札応答メッセージ、利用可能な入札拒否メッセージ、ＤＳＣ入札要求メッセージ、ＤＳＣ入札受諾メッセージ、ＤＳＣ入札拒否メッセージ、ＤＳＣ高値での入札メッセージ、ＤＳＣ落札メッセージ、ＤＳＣ落札失敗メッセージ、ＤＳＣ入札取消メッセージ、ＤＳＣ買い要求メッセージ、ＤＳＣ買い受諾メッセージ、ＤＳＣを買い拒否メッセージ、ＤＳＣ資源割り当て済みメッセージ、ＤＳＣ資源撤回済みメッセージおよび／またはＤＳＣバックオフコマンドメッセージを含み得る。これらのメッセージの各々は、臨界情報、存在情報、範囲情報および割り当てられた臨界情報を含み得るかまたはそれらと関連付けることができる。これらのメッセージおよびそれらのコンテンツについては、以下でさらに詳細に論じる。
【０１３９】
様々な実施形態では、ＤＳＡＡＰ方法は、第１の電気通信ネットワーク（例えば、借主ネットワーク）の第１のＤＳＣサーバと、第２の電気通信ネットワーク（例えば、貸主ネットワーク）の第２のＤＳＣサーバと、第１および第２の電気通信ネットワーク外のＤＰＣサーバとを含むＤＳＡシステムで実行することができる。第１のＤＳＣは、第１の通信リンクを介してＤＰＣと結合された第１のＤＳＣプロセッサを含み得て、第２のＤＳＣは、第２の通信リンクを介してＤＰＣと結合された第２のＤＳＣプロセッサを含み得る。第２のＤＳＣは、第３の通信リンクを介して第２の電気通信ネットワークのｅＮｏｄｅＢと結合することができる。第１および第２の通信リンクは、Ｘｄインタフェース上で定義することができ、第３の通信リンクは、Ｘｅインタフェース上で定義される。
【０１４０】
図８Ａ〜８Ｃは、ＤＰＣ  １４６がＤＳＣ  １４４に様々なサービス（例えば、入札のために貸主ＤＳＣの１４４の資源を広告すること、借主ＤＳＣ  １４４が他のネットワークによって提供される資源に対する入札を行えるようにすることなど）を提供できるようにするため、ＤＳＣ  １４４  コンポーネントをＤＰＣ  １４６に登録するためのＤＳＡＡＰ登録方法８００の実施形態を示す。図８Ａ〜８Ｃに示される例では、ＤＳＡＡＰ登録方法８００は、ＤＰＣ  １４６コンポーネントおよびＤＳＣ  １４４コンポーネントの処理コアによって実行され、それらの各々は、全てまたは一定の部分のＤＳＡＡＰモジュール／コンポーネントを含み得る。ＤＳＡＡＰ登録方法８００の動作は、ＸＥシグナリングトランスポートまたは通信リンクが確立されたことをＤＳＣ  １４４またはＤＰＣ  １４６が検出した後またはその検出に応答して実行することができる。
【０１４１】
図８Ａ〜８Ｃに示される動作８０２では、ＤＳＣ  １４４は、ＤＳＣ登録要求メッセージを生成し、ＤＰＣ  １４６に送信することによって、ＤＳＡＡＰ登録方法８００を開始することができる。実施形態では、ＤＳＣ  １４４は、ＤＰＣ  １４６からのサービスを必要とするという判断に応答して、ＤＳＣ登録要求メッセージを生成および／または送信するように構成することができる。例えば、ＤＳＣ  １４４は、その対応するネットワーク（すなわち、ＤＳＣによって表されるネットワーク）が他のネットワークに割り当てることができる余分な資源を含むという判断に応答して、ＤＳＣ登録要求メッセージを生成するように構成することができる。別の例として、ＤＳＣ  １４４は、現在のまたは予想される将来のユーザトラフィック、ネットワーク混雑などを考慮してその既存のワイヤレスデバイス１０２に適切なサービスを提供するためにそのネットワークが追加の資源を必要とするという判断に応答して、ＤＳＣ登録要求メッセージを生成するように構成することができる。
【０１４２】
様々な実施形態では、ＤＳＣ  １４４は、メッセージタイプ情報要素（ＩＥ）、メッセージＩＤ  ＩＥ、ＤＳＣアイデンティティＩＥ、ＤＳＣ  インターネットプロトコル（ＩＰ）アドレスＩＥ、ＤＳＣタイプＩＥ、ＤＳＣ  ＰＬＭＮ−ＩＤ  ＩＥ、ＰＬＭＮタイプＩＥおよびＤＳＣ資源更新タイマＩＥのいずれかまたは全てを含むＤＳＣ登録要求メッセージを生成するように構成することができる。ＤＳＣ  ＰＬＭＮ−ＩＤ  ＩＥは、ＤＳＣ  １４４と関連付けられるかまたはＤＳＣ  １４４によって表されるネットワーク（例えば、Ｅ−ＵＴＲＡＮ）の特定における使用に適したＰＬＭＮ  ＩＤを含み得る。ＰＬＭＮタイプＩＥは、ＤＳＣ  １４４によって表されるネットワークのタイプ（例えば、公安、商用など）の決定における使用に適した情報を含み得る。ＤＳＣ  ＩＰアドレスＩＥは、ＤＳＡＡＰのＸＥインタフェースの管理、維持または提供に対する責任を有するＤＳＣ  １４４のＩＰアドレスを含み得る。
【０１４３】
図８Ａおよび８Ｂに示される動作ブロック８０４では、ＤＰＣ  １４６は、ＤＳＣ  １４４をＤＰＣ  １４６に登録するために様々な登録動作（すなわち、ＤＳＣの認証、メモリへのＤＳＣ識別子情報の格納など）を実行することができる。実施形態では、これらの登録動作の一部として、ＤＰＣ  １４６は、重複ＤＳＣ登録要求メッセージの受信に応答して（すなわち、同じ一意ＤＳＣアイデンティティによって識別された既に登録されているＤＳＣに対して）など、既存の登録を新しい登録で上書き／オーバーライドすることができる。
【０１４４】
図８Ａに示される動作ブロック８０６では、ＤＰＣ  １４６は、登録動作が成功したと判断することができる。動作８０８では、ＤＰＣ  １４６は、ＤＳＣ  １４４の受諾および登録を示すため、ＤＳＣ登録受諾メッセージを生成し、ＤＳＣ  １４４に送信することができる。様々な実施形態では、ＤＰＣ  １４６は、メッセージタイプ情報要素（ＩＥ）、メッセージＩＤ  ＩＥ、ＤＰＣ  ＩＤ  ＩＥ、ＸＥｈシグナリングトランスポートネットワーク層（ＴＮＬ）アドレスＩＥおよびトンネリング情報ＩＥのいずれかまたは全てを含むＤＳＣ登録受諾メッセージを生成することができる。ＸＥｈシグナリングＴＮＬアドレスＩＥは、トランスポート層セッションの確立における使用に適したアドレス値を含み得る。トンネリング情報ＩＥは、異なるペイロードプロトコルをカプセル化するため、信頼できないもしくは未証明のネットワークを通じて安全な通信を確立するため、互換性がない配信ネットワーク上でペイロードを運ぶため、および／または、他の同様のトンネリング動作を実行するために使用することができる情報を含み得る。
【０１４５】
ＤＰＣ  １４６を介する／ＤＰＣ  １４６へのＸＥｈ接続性をサポートするため、動作ブロック８１０では、ＤＳＣ  １４４は、ＤＳＣ登録受諾メッセージのＸＥｈシグナリングＴＮＬアドレスＩＥに含まれるアドレス値を使用して、トランスポート層セッションを確立することができる。実施形態では、ＤＳＣ  １４４は、ＤＳＣ登録受諾メッセージがＸＥｈシグナリングＴＮＬアドレス情報要素にアドレス値を含むという判断に応答して、トランスポート層セッションを確立するように構成することができる。実施形態では、ＤＳＣ  １４４は、ＸＥｈシグナリングＴＮＬアドレス情報要素が存在しない、ヌルである、空であるまたは有効でないという判断に応答して、ＤＰＣ  １４６を介する／ＤＰＣ  １４６へのＸＥｈ接続性がサポートされないまたは必要とされないと判断するように構成することができる。
【０１４６】
図８Ｂを参照すると、動作ブロック８１２では、ＤＰＣ  １４６は、動作８０４の一部として実行された登録動作が失敗したと判断することができる。ＤＰＣ  １４６は、ＤＳＣの認証または許可の失敗、ネットワークまたはコンポーネントの過負荷、ＤＳＣパラメータの不一致を含む各種の状態／事象のいずれかの検出に応答して、登録が失敗したと判断することができる。動作８１４では、ＤＰＣ  １４６は、登録が失敗したことおよび／またはＤＰＣ  １４６がＤＳＣ  １４４を登録できないことをＤＳＣ  １４４に通知するため、ＤＳＣ登録拒否メッセージを生成し、ＤＳＣ  １４４に送信することができる。様々な実施形態では、ＤＰＣ  １４６は、メッセージタイプ情報要素（ＩＥ）、メッセージＩＤ  ＩＥ、原因ＩＥ、臨界診断ＩＥおよびバックオフタイマＩＥのいずれかまたは全てを含むＤＳＣ登録拒否メッセージを生成することができる。原因ＩＥは、失敗の具体的な理由（例えば、過負荷がかかっているなど）を特定するかまたは失敗の理由が知られていないもしくは詳細不明であることを示すのに適した情報を含み得る。
【０１４７】
動作ブロック８１６では、ＤＳＣ  １４４は、受信された登録拒否メッセージに含まれる情報に基づいて、様々な登録失敗に対する応答動作を実行することができる。例えば、ＤＳＣ  １４４は、受信された登録拒否メッセージの原因ＩＥの値が「過負荷」に設定されたという判断に応答して、その同じＤＰＣ  １４６への登録に再度試みる前に、受信された登録拒否メッセージのバックオフタイマＩＥに示される時間の間待つことができる。
【０１４８】
図８Ｃを参照すると、動作ブロック８５２では、ＤＳＣ  １４４は、ＤＰＣ  １４６へのＤＳＣ登録要求メッセージの送信（例えば、動作８０２の一部として）に応答して、登録応答タイマを開始することができる。動作ブロック８５４では、ＤＳＣ  １４４は、ＤＳＣ  １４４がＤＳＣ登録応答メッセージを受信する前に登録応答タイマが切れたと判断することができる。動作８５６では、ＤＳＣ  １４４は、対応するＤＳＣ登録応答メッセージを受信する前にタイマが切れたという判断に応答して、ＤＳＣ登録要求メッセージをＤＰＣ  １４６に再送信することができる。動作ブロック８５８では、ＤＳＣ  １４４は、登録応答タイマをリスタートまたはリセットすることができる。動作８６０では、ＤＰＣは、ＤＳＣ登録応答メッセージをＤＳＣ  １４４に送信することができる。動作ブロック８６２では、ＤＳＣ  １４４は、ＤＳＣ登録応答メッセージの受信に応答して、登録応答タイマを止めることができる。
【０１４９】
図９Ａおよび９Ｂは、ＤＰＣ  １４６が金融仲介プラットフォームを介して入札／割り当てのためにそれらの資源を格納、組織化および／または利用可能にすることができるようにするため、入札／買いに対して利用可能な資源を広告するためのＤＳＡＡＰ広告方法９００を示す。図９Ａおよび９Ｂに示される例では、ＤＳＡＡＰ広告方法９００は、ＤＰＣ  １４６コンポーネントおよびＤＳＣ  １４４コンポーネントの処理コアによって実行され、それらの各々は、全てまたは一定の部分のＤＳＡＡＰモジュール／コンポーネントを含み得る。
【０１５０】
図９Ａおよび９Ｂに示される動作ブロック９０２では、ＤＳＣ  １４４は、そのＤＳＣ  １４４によってサービス提供されるセル内に、割り当てに対して利用可能な資源があると判断することができる。動作ブロック９０４では、ＤＳＣ  １４４は、ＤＳＣ資源登録要求メッセージを生成し、ＤＰＣ  １４６に送信することができる。様々な実施形態では、ＤＳＣ  １４４は、メッセージタイプ情報要素（ＩＥ）、メッセージＩＤ  ＩＥ、ＤＳＣアイデンティティＩＥ、ＤＳＣタイプＩＥ、ＰＬＭＮ−ＩＤリストＩＥ、資源利用可能性ＩＥ、資源利用可能性開始時刻ＩＥ、データ帯域幅ＩＥ、グリッドリストＩＥ、入札または買いＩＥ、最小入札額ＩＥ、資源利用可能性終了時刻ＩＥ、時刻ＩＥ、継続時間ＩＥ、１秒当たりのメガビット（ＭＢＰＳ）ＩＥおよびセルアイデンティティＩＥのいずれかまたは全てを含むＤＳＣ資源登録要求メッセージを生成することができる。
【０１５１】
ＤＳＣアイデンティティＩＥは、ＤＳＣ  １４４のアイデンティティを決定するためにＤＰＣ  １４６によって使用することができる情報を含み得る。例えば、ＤＳＣアイデンティティＩＥは、ＤＳＣプールＩＤ、ＤＳＣインスタンス情報、および、ＤＳＣが管理しているかまたは表しているネットワークのＰＬＭＮ  ＩＤを含み得る。ＤＳＣプールＩＤは、利用可能な資源のプールの一意識別子であり、ならびに／あるいは、３ＧＰＰ  ＥＰＣアーキテクチャのＭＭＥプールＩＤおよびＭＭＥ  ＩＤと同じまたは同様であり得る。
【０１５２】
メッセージＩＤ  ＩＥは、ＤＳＣ  １４４から送信される特定のＤＳＣ資源登録要求メッセージのためのメッセージ識別子を含み得る。ＤＳＣ  １４４およびＤＰＣ  １４６は、シーケンス番号としてメッセージＩＤ  ＩＥを使用して、ＤＳＣ資源登録要求、ＤＳＣ資源登録受諾および／またはＤＳＣ資源登録拒否メッセージを特定および相関するように構成することができる。
【０１５３】
資源利用可能性ＩＥは、他のネットワークによる割り当ておよび使用のために資源について広告するネットワークのＰＬＭＮ  ＩＤを決定する際のＤＰＣ  １４６による使用に適した情報を含み得る。ＤＰＣ  １４６は、複数のＤＳＣのためおよび／または複数の異なるネットワーク（すなわち、異なるＰＬＭＮ  ＩＤ）のための資源利用可能性ＩＥを受信、格納および／または維持するように構成することができる。従って、各資源利用可能性ＩＥは、資源について広告するネットワークのうちの１つまたは複数の特定に適した情報を含み得る。
【０１５４】
時刻ＩＥは、ＤＳＣ  １４４がＤＳＣ資源登録要求メッセージを送信した時刻を決定する際のＤＰＣ  １４６による使用に適した情報を含み得る。継続時間ＩＥは、入札または買いのために資源を利用可能にすべき時間帯の決定における使用に適した情報を含み得る。
【０１５５】
データ帯域幅ＩＥは、任意選択の継続時間ＩＥで指定された継続時間に対して利用可能な帯域幅（例えば、単位：ＭＢＰＳ）の決定における使用に適した情報を含み得る。ＤＰＣ  １４６は、受信されたＤＳＣ資源登録要求メッセージに継続時間ＩＥが含まれていないという判断に応答して（または継続時間ＩＥが有効値を含まないという判断に応答して）、ＭＢＰＳ  ＩＥで指定された帯域幅が落札者または購入者によって消費されるまでその帯域幅を利用可能にすべきであると判断することができる。
【０１５６】
グリッドリストＩＥは、入札または買いに対して利用可能にすべきネットワーク帯域幅の場所に対するグリッド識別子の決定における使用に適した情報を含み得る。セルアイデンティティＩＥは、ＤＳＣ資源登録要求メッセージで申し出の一部として入札または買いのために提供された利用可能な資源を有する各グリッド内の個々のセル（グリッドＩＤおよびセルＩＤによって特定される）の決定における使用に適した情報を含み得る。最小入札額ＩＥは、米ドル（ＵＳＤ）などの額面または貨幣の金額を含み得る。
【０１５７】
図９Ａに示される動作ブロック９０６では、ＤＰＣ  １４６は、入札に対してＤＳＣ  １４４の資源を受諾することができる。動作９０８では、ＤＰＣ  １４６は、資源が受諾されたことを認めるため、ＤＳＣ資源登録応答またはＤＳＣ資源登録受諾メッセージを生成し、ＤＳＣ  １４４に送信することができる。様々な実施形態では、ＤＰＣ  １４６は、メッセージタイプ情報要素（ＩＥ）、入札ＩＤ  ＩＥおよびメッセージＩＤ  ＩＥのいずれかまたは全てを含むＤＳＣ資源登録メッセージを生成することができる。メッセージＩＤ  ＩＥは、受信されたＤＳＣ資源登録要求メッセージに含まれるものと同じメッセージ識別子値を含み得る。ＤＰＣ  １４６および／またはＤＳＣは、メッセージＩＤ  ＩＥの値を使用して、ＤＳＣ資源登録要求およびＤＳＣ資源登録受諾メッセージを特定および相関するように構成することができる。動作ブロック９１０では、ＤＰＣ  １４６は、金融仲介プラットフォームを介して入札または買いのためにネットワーク資源を格納、組織化および／または利用可能にすることができる。
【０１５８】
図９Ｂに示される動作９１２では、ＤＰＣ  １４６は、ＤＳＣ資源登録要求メッセージを拒否することおよび／または受信されたＤＳＣ資源登録要求メッセージで特定された資源を入札に対して拒否することができる。ＤＰＣ  １４６は、各種の理由でおよび／または各種の事象もしくは状態のいずれかの検出に応答して、メッセージ／資源を拒否することができる。例えば、ＤＰＣ  １４６は、ＤＰＣ  １４６がどのオペレータからの資源も受諾していない、受信メッセージで特定された特定のオペレータに対する資源を受諾していない、メッセージで特定された資源を受諾していないという判断、ＤＰＣに過負荷がかかっているという判断、入札に対して利用可能な資源を格納およびサービス提供するための十分なメモリがないという判断などに応答して、資源を拒否することができる。また、ＤＰＣ  １４６は、ＤＰＣ  １４６の管理者が、全てのネットワーク（例えば、全てのＰＬＭＮ  ＩＤ）から、ＤＳＣ資源登録要求メッセージに含まれる特定のＰＬＭＮ  ＩＤからのさらなる入札を無効にしたという判断などに応答して、資源利用可能メッセージを拒否することもできる。
【０１５９】
図９Ｂに示される動作９１４では、ＤＰＣ  １４６は、ＤＳＣ資源登録拒否メッセージを生成し、ＤＳＣ  １４４に送信することができる。様々な実施形態では、ＤＰＣ  １４６は、メッセージタイプ情報要素（ＩＥ）、メッセージＩＤ  ＩＥ、原因ＩＥおよび臨界診断ＩＥのいずれかまたは全てを含むＤＳＣ資源登録拒否メッセージを生成することができる。また、ＤＰＣ  １４６は、ＤＳＣ  １４４から受信されたＤＳＣ資源登録要求メッセージに含まれるメッセージ識別子と同じ値を含むメッセージＩＤ  ＩＥを含むＤＳＣ資源登録拒否メッセージを生成することもできる。ＤＰＣ  １４６および／またはＤＳＣ  １４４は、メッセージＩＤ  ＩＥの値を使用して、ＤＳＣ資源登録要求およびＤＳＣ資源登録拒否メッセージを特定および相関するように構成することができる。
【０１６０】
動作ブロック９１６では、ＤＳＣ  １４４は、受信されたＤＳＣ資源登録拒否メッセージに含まれる情報に基づいて、様々な資源登録失敗に対する応答動作を実行することができる。例えば、ＤＳＣ  １４４は、ＤＳＣ資源登録拒否メッセージに含まれる情報を使用して、ＤＰＣ  １４６への資源登録を再度試みるか、別のＤＰＣへの資源の登録を試みるか、異なる資源への登録を再度試みるか、または、この出願で論じられる他のＤＳＣ動作のいずれかを実行するかを判断することができる。
【０１６１】
図１０Ａおよび１０Ｂは、実施形態による、利用可能な資源のリストを伝達するためのＤＳＡＡＰ方法１０００を示す。ＤＳＡＡＰ方法１０００は、入札／買いに対して利用可能な資源入札または資源について借主ネットワークに通知するために実行することができる。図１０Ａおよび１０Ｂに示される例では、ＤＳＡＡＰ方法１０００は、ＤＰＣ  １４６コンポーネントおよびＤＳＣ  １４４コンポーネントの処理コアによって実行され、それらの各々は、全てまたは一定の部分のＤＳＡＡＰモジュール／コンポーネントを含み得る。実施形態では、借主ＤＳＣ  １４４は、そのＤＳＣ  １４４がＤＰＣ  １４６からの資源に対する入札またはリースもしくは購入要求を行う前に、利用可能な資源のリストを回収／受信するためにＤＳＡＡＰ方法１０００を実行するように構成することができる。
【０１６２】
図１０Ａおよび１０Ｂに示される動作１００２では、借主ＤＳＣ  １４４は、入札または買いのために貸主ネットワークから割り当てに対して利用可能な資源入札に関する情報を要求するため、利用可能な入札要求メッセージを生成し、ＤＰＣ  １４６に送信することができる。様々な実施形態では、借主ＤＳＣ  １４４は、シーケンス番号情報要素（ＩＥ）、メッセージタイプＩＥ、１つまたは複数のＰＬＭＮ  ＩＤ  ＩＥを含むＰＬＭＮリストＩＥ、１つまたは複数のグリッドＩＤ  ＩＥを含むグリッドＩＤリストＩＥのいずれかまたは全てを含む利用可能な入札要求メッセージを生成することができる。
【０１６３】
実施形態では、借主ＤＳＣ  １４４は、利用可能な入札要求メッセージのＰＬＭＮリストＩＥのＰＬＭＮ  ＩＤ  ＩＥに含まれ得る所望のネットワークのＰＬＭＮ  ＩＤを含む利用可能な入札要求メッセージを生成することによって、特定のネットワークから特定の資源を要求するように構成することができる。
【０１６４】
実施形態では、借主ＤＳＣ  １４４は、利用可能な入札要求メッセージのＰＬＭＮリストＩＥに入力しないことによってならびに／あるいはＰＬＭＮリストＩＥおよび／またはＰＬＭＮ  ＩＤ値を含まない利用可能な入札要求メッセージを生成することによって、利用可能ないかなるネットワークからも資源を要求するように構成することができる。
【０１６５】
実施形態では、借主ＤＳＣ  １４４は、利用可能な入札要求メッセージのグリッドＩＤリストＩＥのグリッドＩＤ  ＩＥに含まれ得る所望のグリッドのグリッドＩＤを含む利用可能な入札要求メッセージを生成することによって、貸主ネットワーク内の特定のグリッドから資源を要求するように構成することができる。
【０１６６】
実施形態では、借主ＤＳＣ  １４４は、生成された利用可能な入札要求メッセージのグリッドＩＤリストＩＥに入力しないことによってならびに／あるいはグリッドＩＤを含まない利用可能な入札要求メッセージを生成することによって、ＰＬＭＮ  ＩＤ  ＩＥグリッドの指定されたＰＬＭＮ  ＩＤ内のグリッドのいずれかまたは全てから資源を要求するように構成することができる。
【０１６７】
図１０Ａおよび１０Ｂに示される動作ブロック１００４では、ＤＰＣ  １４６は、受信された利用可能な入札要求メッセージに含まれるＰＬＭＮ  ＩＤおよびグリッドＩＤが有効であるかどうかを判断することができる。ＰＬＭＮ  ＩＤおよびグリッドＩＤが間違っていれば、動作ブロック１００５では、ＤＰＣ  １４６は、エラー／間違った値の理由コードを決定することができる。動作ブロック１００６では、ＤＰＣ  １４６は、受信された利用可能な入札要求メッセージで特定された各グリッドに対してまたは全ての利用可能なグリッドに対して（例えば、受信された利用可能な入札要求メッセージのグリッドＩＤリストＩＥが有効値を含まない時）利用可能な資源／入札があるかどうかを判断することができる。
【０１６８】
図１０Ａに示される動作１００８では、ＤＰＣ  １４６は、利用可能な入札応答メッセージを生成し、ＤＳＣ  １４４に送信することができる。ＤＰＣ  １４６は、メッセージタイプ情報要素（ＩＥ）、メッセージＩＤ  ＩＥ、ＤＳＣアイデンティティＩＥ、ＰＬＭＮ−ＩＤグリッドセル入札情報リストＩＥ、シーケンス番号ＩＥ、１つまたは複数のＰＬＭＮ  ＩＤ  ＩＥを含むＰＬＭＮリストＩＥおよびグリッドリストＩＥのいずれかまたは全てを含む利用可能な入札応答メッセージを生成するように構成することができる。実施形態では、ＰＬＭＮリストＩＥおよびグリッドリストＩＥは、ＰＬＭＮ−ＩＤグリッドセル入札情報リストＩＥに含めることができる。実施形態では、グリッドリストＩＥは、１つまたは複数のセルＩＤ  ＩＥを含む１つまたは複数のセルＩＤリストＩＥを含み得る。
【０１６９】
様々な実施形態では、ＤＰＣ  １４６は、絶対無線周波数チャネル数（ＡＲＦＣＮ）ＩＥ、チャネル帯域幅ＩＥ、利用可能な全帯域幅を特定するためのメガビットまたはメガバイトＩＥ、資源のピークデータレートを特定するためのＭＢＰＳ  ＩＥ、資源利用可能時間ＩＥ、資源有効時間ＩＥ、入札／買いＩＥ、入札／買い終了時刻ＩＥ、最小入札額ＩＥおよび買値ＩＥのいずれかまたは全ても含む利用可能な入札応答メッセージを生成することができる。ＤＰＣ  １４６は、メッセージで特定された各ＰＭＬＮ、各資源、各グリッドおよび／または各セルに対するそのような情報を含む利用可能な入札応答メッセージを生成することができる。
【０１７０】
実施形態では、ＤＰＣ  １４６は、オークションに対して利用可能な資源に対する入札があるという判断に応答して、ＰＬＭＮ  ＩＤのリスト、各ＰＬＭＮ内のグリッドＩＤのリストおよび各グリッド内の利用可能な資源／入札を含む利用可能な入札応答メッセージを生成するように構成することができる。
【０１７１】
実施形態では、ＤＰＣ  １４６は、関連ネットワーク／ＰＬＭＮ  ＩＤのためのそのＤＰＣ  １４６による、オークションに対して利用可能な資源／資源に対する入札がないという判断に応答して、メッセージタイプおよびシーケンス番号ＩＥ（またはこれらのＩＥの有効値）を含む利用可能な入札応答メッセージを生成するように構成することができる。実施形態では、ＤＰＣ  １４６は、受信された利用可能な入札要求メッセージに含まれるシーケンス番号ＩＥと同じ値を有するシーケンス番号ＩＥを含む利用可能な入札応答メッセージを生成するように構成することができる。実施形態では、ＤＳＣ  １４４は、これらの要求および応答メッセージのシーケンス番号ＩＥを使用して、メッセージを相関させるように構成することができる。
【０１７２】
実施形態では、ＤＰＣ  １４６は、ＰＬＭＮ  ＩＤを含むＰＬＭＮリストＩＥおよびグリッドＩＤリストＩＥを含む利用可能な入札応答メッセージを生成するように構成することができる。グリッドＩＤリストＩＥは、グリッド内のオークションに対して利用可能なセルのリストを含み得る。セルＩＤリストＩＥは、セルＩＤを含み得て、各セルに対し、ＡＲＦＣＮ、チャネル帯域幅、利用可能な全帯域幅、許容ピークデータレート、資源が利用可能なおよび資源の有効期限が切れる／終了する時刻（例えば、ＵＴＣ）、入札タイプオークションかまたは買いタイプオークションか、最小入札額または買値、入札終了時刻（例えば、ＵＴＣ）ならびに他の同様の情報を含み得る。
【０１７３】
動作ブロック１０１０では、ＤＳＣ  １４４は、利用可能な入札応答メッセージに含まれる情報を使用して、入札に対して利用可能な資源を特定すること、ＤＳＣ  １４４が利用可能な資源に対する入札を提出するかどうかを判断すること、ＤＳＣ  １４４が入札を提出する資源を決定すること、および／または、他の同様の動作を実行することができる。
【０１７４】
図１０Ｂを参照すると、動作１０１２では、ＤＰＣ  １４６は、利用可能な入札拒否メッセージを生成し、ＤＳＣ  １４４に送信することによって、借主ＤＳＣ  １４４から受信された利用可能な入札要求メッセージを拒否することができる。ＤＰＣ  １４６は、要求メッセージで供給されるＰＬＭＮ  ＩＤのうちの１つまたは複数が公知のネットワークのいずれかからのものではないという判断（例えば、動作１００４または１００６の一部として）、要求メッセージで供給されるグリッドＩＤのうちの１つまたは複数が供給されたＰＬＭＮ  ＩＤに関して有効ではないという判断、ならびに／あるいは、関連グリッドで利用可能な資源／入札がないという判断に応答して、利用可能な入札要求メッセージを拒否するように構成することができる。
【０１７５】
実施形態では、ＤＰＣ  １４６は、メッセージタイプ情報要素（ＩＥ）、メッセージＩＤ  ＩＥ、原因ＩＥ、臨界診断ＩＥおよびシーケンス番号ＩＥを含む利用可能な入札拒否メッセージを生成するように構成することができる。原因ＩＥは、動作ブロック１００５で決定することができる利用可能な入札要求の拒否に対する理由コード（例えば、無効なＰＬＭＮ  ＩＤ、無効なグリッドＩＤなど）を含み得る。シーケンス番号ＩＥは、借主ＤＳＣ  １４４から受信された利用可能な入札要求メッセージに含まれているものと同じシーケンス番号値を含み得る。従って、ＤＰＣ  １４６および／またはＤＳＣ  １４４は、要求および応答メッセージのシーケンス番号ＩＥを使用して、それらのメッセージを相関させるように構成することができる。
【０１７６】
動作ブロック１０１４では、ＤＳＣ  １４４は、利用可能な入札拒否メッセージに含まれる情報を使用して、様々な失敗に対する応答動作を実行することができる。例えば、ＤＳＣ  １４４は、別の利用可能な入札要求メッセージをＤＰＣ  １４６に送信するかどうかを判断すること、別の利用可能な入札要求メッセージを異なるＤＰＣに送信するかどうかを判断することなどができる。
【０１７７】
図１１Ａおよび１１Ｂは、ＤＳＣ資源に対して入札するＤＳＡＡＰ入札方法１１００を示し、これにより、異なる借主ネットワークは、貸主ネットワークから利用可能な資源に対する入札を行うことができる。図１１Ａおよび１１Ｂに示される例では、ＤＳＡＡＰ方法１１００は、ＤＰＣ  １４６コンポーネントおよびＤＳＣ  １４４コンポーネントの処理コアによって実行され、それらの各々は、全てまたは一定の部分のＤＳＡＡＰモジュール／コンポーネントを含み得る。
【０１７８】
実施形態では、ＤＳＣ  １４４および／またはＤＰＣ  １４６は、ＤＳＣ  １４４が入札に対して利用可能な資源のリストを回収した後（例えば、ＤＳＡＡＰ方法１０００を実行した後）にＤＳＡＡＰ方法１１００を実行するように構成することができる。様々な実施形態では、ＤＳＣ  １４４および／またはＤＰＣ  １４６は、入札時間切れになるまで連続してまたは繰り返してＤＳＡＡＰ方法１１００を実行するように構成することができる。実施形態では、ＤＰＣ  １４６は、入札時間切れ時に落札した入札（すなわち、最高入札値が付いたもの）を選択するように構成することができる。
【０１７９】
図１１Ａおよび１１Ｂに示される方法１１００の動作１１０２では、貸主ネットワークから利用可能であると判断された資源のうちの１つまたは複数（すなわち、方法１０００の実行を介して得られた資源のリストに含まれる資源のうちの１つまたは複数）に対する入札を行うため、借主ＤＳＣ  １４４は、ＤＳＣ入札要求メッセージを生成し、ＤＰＣ  １４６に送信することができる。借主ＤＳＣ  １４４は、メッセージタイプ情報要素（ＩＥ）、メッセージＩＤ  ＩＥ、ＤＳＣアイデンティティＩＥ、ＤＳＣタイプＩＥ、入札ＩＤ  ＩＥ、ＰＬＭＮ  ＩＤ  ＩＥおよび入札額ＩＥのいずれかまたは全てを含むＤＳＣ入札要求メッセージを生成するように構成することができる。入札ＩＤ  ＩＥは、借主ＤＳＣ  １４４が入札を行う特定の資源の特定に適した情報を含み得る。ＰＬＭＮ  ＩＤ  ＩＥは、入札ＩＤ  ＩＥで特定された資源と関連付けられたネットワークのＰＬＭＮ  ＩＤの特定における使用に適した情報を含み得る。入札額ＩＥは、貨幣（例えば、ＵＳＤ）の金額または入札値を含み得る。
【０１８０】
実施形態では、借主ＤＳＣ  １４４は、特定の資源／入札ＩＤの入札リストで指定される最小入札額より大きい入札額ＩＥ値を含むＤＳＣ入札要求メッセージを生成するように構成することができる。実施形態では、借主ＤＳＣ  １４４は、受信された利用可能な入札応答メッセージ（例えば、図１０Ａに示される動作１００８の一部として送信されたメッセージ）から最小入札額および／または入札リストを得るように構成することができる。
【０１８１】
図１１Ａに示される動作ブロック１１０４では、ＤＰＣ  １４６は、受信されたＤＳＣ入札要求メッセージに含まれる情報を使用して、入札がＤＳＡシステムのポリシおよび規則ならびに貸主ネットワークの要件に準拠するかどうかを判断することによってなど、入札（資源入札）が有効であるかどうかおよび受諾すべきかどうかを判断することができる。動作１１０６では、ＤＰＣ  １４６は、入札が有効であるおよび／または受諾すべきであるという判断に応答して、ＤＳＣ入札受諾メッセージを生成し、ＤＳＣに送信することができる。ＤＰＣ  １４６は、メッセージタイプ情報要素（ＩＥ）、メッセージＩＤ  ＩＥ、入札ＩＤ  ＩＥ、ならびに、入札が有効であると判断されたことおよび／または受諾されたことをＤＳＣ  １４４に通知するのに適した他の情報のいずれかまたは全てを含むＤＳＣ入札受諾メッセージを生成するように構成することができる。
【０１８２】
上記で論じられる例では、ＤＳＣ入札受諾メッセージは、入札が有効である／受諾されたことをＤＳＣ  １４４に通知するものであり、借主ＤＳＣ  １４４が落札したことを通知するものではないことに留意すべきである。落札した借主ＤＳＣは、入札時間切れとなり、入札終了時に借主ＤＳＣが最高入札者であるとＤＰＣ  １４６が判断した際に、ＤＳＣ落札メッセージを介して通知を受けることができる。同様に、ＤＰＣ  １４６は、ＤＳＣ落札失敗メッセージを介して、入札プロセスに参加したが落札失敗入札を提出した借主ＤＳＣに、落札入札を提出しなかったことを通知することができる。ＤＳＣ落札メッセージおよびＤＳＣ落札失敗メッセージについては、以下でさらに詳細に論じる。
【０１８３】
図１１Ｂを参照すると、動作ブロック１１０８では、ＤＰＣ  １４６は、受信されたＤＳＣ入札要求メッセージに含まれる情報を使用して、入札が有効ではないおよび受諾すべきではないと判断することができる。例えば、ＤＰＣ  １４６は、受信された情報を使用して、入札がＤＳＡシステムのポリシ／規則に準拠しないおよび／または貸主ネットワークの要件に準拠しない（例えば、最小希望価格を満たさない）と判断することができる。さらなる例として、ＤＰＣ  １４６は、入札要求メッセージの入札額ＩＥで指定される入札額が最小入札より高いものではないという判断、入札額が現在申し出を受けている入札の中で最も高いものではないという判断、入札ＩＤ  ＩＥに含まれる入札ＩＤが無効であるという判断、または、入札／資源が入札に対してもはや利用可能ではない（例えば、有効期限切れ、オークションの終了、入札撤回または無効な入札ＩＤが原因で）という判断に応答して、入札が有効ではないまたは受諾すべきではないと判断するように構成することができる。
【０１８４】
動作１１１０では、ＤＰＣ  １４６は、ＤＳＣ入札拒否メッセージを生成し、ＤＳＣ  １４４に送信することができる。ＤＰＣ  １４６は、メッセージタイプ情報要素（ＩＥ）、メッセージＩＤ  ＩＥ、入札ＩＤ  ＩＥ、原因ＩＥおよび臨界診断ＩＥのいずれかまたは全てを含むＤＳＣ入札拒否メッセージを生成するように構成することができる。ＤＳＣ入札拒否メッセージの入札ＩＤ  ＩＥは、受信されたＤＳＣ入札要求メッセージに含まれる入札識別子と同じ値を含み得る。原因ＩＥは、入札が拒否された理由（例えば、最小入札が満たされていない、高値での入札、入札が見つからないなど）を特定する理由コードを含み得る。動作ブロック１１１２では、ＤＳＣ  １４４は、ＤＳＣ入札拒否メッセージに含まれる情報を使用して、資源に対する再入札を行うかどうかを判断する動作、有効な入札ＩＤを含む新しいＤＳＣ入札要求メッセージを生成する動作など、様々な入札要求失敗に対する応答動作を実行することができる。
【０１８５】
図１２Ａ〜１２Ｄは、参加ネットワークに入札動作の結果を通知するＤＳＡＡＰ通知書方法１２００を示す。すなわち、ＤＳＡＡＰ通知方法１２００は、オークションの結果（例えば、ＤＳＣ  １４４が落札入札を提出したこと、ＤＳＣ  １４４が高値で入札したこと、ＤＳＣ  １４４が落札失敗入札を提出したこと、オークションが取り消されたことなど）をＤＳＣ  １４４に通知するために実行することができる。図１２Ａ〜１２Ｄに示される例では、ＤＳＡＡＰ通知方法１２００は、ＤＰＣ  １４６コンポーネントおよびＤＳＣ  １４４コンポーネントの処理コアによって実行され、それらの各々は、全てまたは一定の部分のＤＳＡＡＰモジュール／コンポーネントを含み得る。
【０１８６】
ＤＳＡＡＰ通知方法１２００は、入札が受諾されたことをＤＰＣ  １４６がＤＳＣ  １４４に通知した後（例えば、図１１に示される動作１１０６の後）に実行することができる。また、ＤＳＡＡＰ通知方法１２００は、入札時間切れの後におよび／またはＤＰＣ  １４６による事象もしくは状態（例えば、新しい入札が受信されたこと、高値で入札されたことなど）の検出に応答して実行することもできる。
【０１８７】
図１２Ａに示される動作ブロック１２０２では、ＤＰＣ  １４６は、ＤＳＣ  １４４から受信された最後の、最近のまたは最新の入札要求メッセージの入札額ＩＥで指定される入札額が現在の入札の中で最も高いものではないと判断することができる。動作１２０４では、ＤＰＣ  １４６は、その前の入札が別の借主ＤＳＣからのより高い入札によって高値が付けられたことおよび／または前の入札がもはや有効ではないことを借主ＤＳＣ  １４４に通知するため、ＤＳＣ高値での入札メッセージを生成し、借主ＤＳＣ  １４４に送信することができる。様々な実施形態では、ＤＰＣ  １４６は、メッセージタイプ情報要素（ＩＥ）、メッセージＩＤ  ＩＥ、原因ＩＥ、入札情報ＩＥ、臨界診断ＩＥ、ＤＳＣ  ＩＤ  ＩＥおよび入札ＩＤ  ＩＥのいずれかまたは全てを含むＤＳＣ高値での入札メッセージを生成することができる。
【０１８８】
ＤＳＣ  ＩＤ  ＩＥは、特定の借主ＤＳＣ  １４４の特定における使用に適した情報を含み得る。入札ＩＤ  ＩＥは、高値が付けられた提出入札の特定における使用に適した入札ＩＤを含み得る。動作ブロック１２０６では、借主ＤＳＣ  １４４は、資源に対してより高い入札をそのＤＰＣ  １４６に提出するか、異なるＤＰＣ  １４６に入札を提出するか、帯域幅を解放するために既存の通話を終えるかなどを判断することによってなど、様々な高値での入札失敗に対する応答動作を実行することができる。
【０１８９】
図１２Ｂを参照すると、動作ブロック１２１０では、ＤＰＣ  １４６は、入札時間切れとなり、ＤＳＣ  １４４から受信された最後の、最近のまたは最新の入札要求メッセージの入札額ＩＥで指定される入札額が現在の入札の中で最も高いものであると判断することができる。動作１２１２では、ＤＰＣ  １４６は、前の入札が落札入札であることを借主ＤＳＣ  １４４に通知するため、ＤＳＣ落札メッセージを生成し、借主ＤＳＣ  １４４に送信することができる。様々な実施形態では、ＤＰＣ  １４６は、メッセージタイプ情報要素（ＩＥ）、メッセージＩＤ  ＩＥ、入札ＩＤ  ＩＥ、入札情報ＩＥ、ＤＳＣ  ＩＤ  ＩＥ、ならびに、帯域幅、ＭＢＰＳ、時間および落札した入札額などの元の入札詳細などのいずれかまたは全てを含むＤＳＣ落札メッセージを生成することができる。ＤＳＣ  ＩＤ  ＩＥは、特定の借主ＤＳＣ  １４４の特定における使用に適した情報を含み得る。入札ＩＤ  ＩＥは、資源オークション／入札動作を落札した入札の特定に適した入札識別子を含み得る。
【０１９０】
動作ブロック１２１４では、落札した借主ＤＳＣ  １４４は、そのネットワーク機器およびデバイス（例えば、ワイヤレスデバイス）が資源の使用を開始するおよび／または使用のために資源を利用可能にするスケジューリングを行う（すなわち、落札した借主ネットワークによる資源の使用準備を整える時刻のスケジューリングを行う）前に、ＤＰＣ  １４６からのＤＳＣ資源割り当て済みメッセージの受信を待つことができる。動作ブロック１２１６では、ＤＰＣ  １４６は、借主ＤＳＣ  １４４によって提出された入札によって落札された資源に対する他のネットワークからのさらなる入札を拒否することによってなど、オークションを閉鎖することができる。
【０１９１】
図１２Ｃを参照すると、動作ブロック１２２０では、ＤＰＣ  １４６は、入札時間切れとなり、ＤＳＣ  １４４から受信された最後の、最近のまたは最新の入札要求メッセージの入札額ＩＥで指定される入札額が現在の入札の中で最も高いものではないと判断することができる。動作１２２２では、ＤＰＣ  １４６は、前の入札が落札入札ではなく、別の借主ＤＳＣがオークションで落札したためにオークション／入札が閉鎖されたことを借主ＤＳＣ  １４４に通知するため、ＤＳＣ落札失敗メッセージを生成し、ＤＳＣ  １４４に送信することができる。様々な実施形態では、ＤＰＣ  １４６は、メッセージタイプ情報要素（ＩＥ）、メッセージＩＤ  ＩＥ、入札ＩＤ  ＩＥおよびＤＳＣ  ＩＤ  ＩＥのいずれかまたは全てを含むＤＳＣ落札失敗メッセージを生成することができる。ＤＳＣ  ＩＤ  ＩＥは、落札失敗入札を提出したおよび／またはＤＳＣ落札失敗メッセージが送信される特定の借主ＤＳＣ  １４４の特定における使用に適した情報を含み得る。入札ＩＤ  ＩＥは、提出された入札の特定における使用に適した入札識別子を含み得る。
【０１９２】
動作ブロック１２２４では、借主ＤＳＣ  １４４は、他の利用可能な資源に対する入札を提出するか、資源を解放するために既存の通話を終えるかなどを判断することなど、様々な失敗に対する応答動作を実行することができる。動作ブロック１２２６では、ＤＰＣ  １４６は、オークションを閉鎖することおよび／または落札に失敗した借主ＤＳＣが他の利用可能な資源に対する入札を行えるようにすることができる。
【０１９３】
図１２Ｄを参照すると、動作ブロック１２３０では、ＤＰＣ  １４６は、ＤＳＣ  １４４が以前に入札を提出したネットワーク資源に対するオークションが取り消されたと判断することができる。例えば、ＤＰＣ  １４６は、貸主ネットワークオペレータによってオークションが撤回されたまたは管理上の理由でＤＰＣオペレータによってオークションが取り消されたと判断することができる。動作１２３２では、ＤＰＣ  １４６は、オークションが取り消されたことを借主ＤＳＣ  １４４通知するため、ＤＳＣ入札取消済みメッセージを生成し、借主ＤＳＣ  １４４に送信することができる。様々な実施形態では、ＤＰＣ  １４６は、メッセージタイプ情報要素（ＩＥ）、メッセージＩＤ  ＩＥ、入札ＩＤ  ＩＥ、ＤＳＣ  ＩＤ  ＩＥおよび原因ＩＥのいずれかまたは全てを含むＤＳＣ入札取消済みメッセージを生成することができる。ＤＳＣ  ＩＤ  ＩＥは、特定の借主ＤＳＣ  １４４の特定における使用に適した情報を含み得る。入札ＩＤ  ＩＥは、オークションが取り消された資源／入札の特定における使用に適した入札識別子を含み得る。原因ＩＥは、入札取消に対する理由コード（例えば、オークションが撤回された、オークションが取り消されたなど）を含み得る。動作ブロック１２３４では、借主ＤＳＣ  １４４は、異なるＤＰＣ  １４６に入札を提出するか、通話を終えるかなどを判断することによってなど、様々な失敗に対する応答動作を実行することができる。
【０１９４】
図１３Ａおよび１３Ｂは、借主ネットワークが貸主ネットワークによって割り当てに対して利用可能にされた資源に対する即時の（またはほぼ即時の）購入および／または使用の主張を行えるようにするＤＳＡＡＰ購入方法１３００を示す。図１３Ａおよび１３Ｂに示される例では、ＤＳＡＡＰ購入方法１３００は、ＤＰＣ  １４６コンポーネントおよびＤＳＣ  １４４コンポーネントの処理コアによって実行され、それらの各々は、全てまたは一定の部分のＤＳＡＡＰモジュール／コンポーネントを含み得る。実施形態では、ＤＳＣ  １４４およびＤＰＣ  １４６は、ＤＳＣ  １４４が購入に対して利用可能な資源のリストを回収／受信した後（例えば、図１０を参照して上記で論じられるＤＳＡＡＰ方法１０００を実行した後）にＤＳＡＡＰ方法１３００を実行するように構成することができる。
【０１９５】
図１３Ａおよび１３Ｂに示される動作ブロック１３０２では、借主ＤＳＣ  １４４は、資源のリスト（例えば、上記で論じられるＤＳＡＡＰ方法１０００の実行から得られた資源のリスト）から即時の購入のための特定の資源を特定および選択することができる。様々な実施形態では、借主ＤＳＣ  １４４は、入札に対してスケジューリングが行われた資源、現在オークションが行われている資源、即時の購入に対してのみ利用可能にされた資源などを選択することができる。動作１３０４では、ＤＳＣ  １４４は、貸主ネットワークから特定／選択した資源の買いを要求するため、ＤＳＣ買い要求メッセージを生成し、ＤＰＣ  １４６に送信することができる。
【０１９６】
様々な実施形態では、ＤＳＣ  １４４は、メッセージタイプ情報要素（ＩＥ）、メッセージＩＤ  ＩＥ、ＤＳＣアイデンティティＩＥ、ＤＳＣタイプＩＥ、入札ＩＤ  ＩＥ、買値ＩＥおよびＰＬＭＮ  ＩＤ  ＩＥのいずれかまたは全てを含むＤＳＣ買い要求メッセージを生成することができる。ＰＬＭＮ  ＩＤ  ＩＥは、入札ＩＤ  ＩＥを介して特定することができる入札と関連付けられたネットワークのＰＬＭＮ  ＩＤの特定における使用に適した情報を含み得る。買値ＩＥは、借主ＤＳＣ  １４４によって提出された入札の金額（例えば、ＵＳＤ）（すなわち、入札値）を含み得る。
【０１９７】
実施形態では、ＤＳＣ  １４４は、受信された利用可能な入札応答メッセージ（図１０を参照して上記で論じられる）に含まれる入札ＩＤのリストの買値ＩＥを介して特定された金額と等しい買値を含むＤＳＣ買い要求メッセージを生成するように構成することができる。
【０１９８】
図１３Ａに示される動作ブロック１３０６では、ＤＰＣ  １４６は、受信されたＤＳＣ買い要求メッセージに含まれる情報を使用して、要求された資源、要求された資源と関連付けられたネットワーク、要求された資源が現在オークションにかけられているかどうか、要求された資源が即時の購入に対して利用可能にされているかどうか、その資源の即時の購入に対して要求された最小購入額、および／または、受信されたＤＳＣ買い要求メッセージに含まれる買値が要求された購入額と等しい（またはそれより大きい）かどうかを特定することができる。図１３Ａに示される例では、動作ブロック１３０６の一部として、ＤＰＣ  １４６は、受信されたＤＳＣ買い要求メッセージに含まれる買値が要求された購入額以上であると判断することができる。
【０１９９】
動作１３０８では、ＤＰＣ  １４６は、使用のための資源の購入／リースに成功したことを借主ＤＳＣ  １４４に通知するため、ＤＳＣ買い受諾メッセージを生成し、借主ＤＳＣ  １４４に送信することができる。様々な実施形態では、ＤＰＣ  １４６は、メッセージタイプ情報要素（ＩＥ）、メッセージＩＤ  ＩＥおよび入札ＩＤ  ＩＥのいずれかまたは全てを含むＤＳＣ買い受諾メッセージを生成することができる。動作ブロック１３１０では、ＤＰＣ  １４６は、資源がもはや他の借主ＤＳＣによる入札または買いに対して利用可能ではなくなるように、その資源に対するアクティブなオークションを終了、停止もしくは閉鎖することおよび／または同様の動作を実行することができる。
【０２００】
図１３Ｂを参照すると、動作ブロック１３１２では、ＤＰＣ  １４６は、受信されたＤＳＣ買い要求メッセージ（例えば、動作１３０４の一部として）に含まれる情報を使用して、入札（買い要求）を拒否すべきであると判断することができる。例えば、ＤＰＣ  １４６は、受信されたＤＳＣ買い要求メッセージの買値ＩＥで指定される買値が要求された購入額より少ないと判断することができる。別の例として、ＤＰＣ  １４６は、入札ＩＤ  ＩＥに含まれる入札ＩＤ値が無効であるか、または、資源／入札がもはや入札に対して利用可能ではない（例えば、有効期限切れ、オークションの終了、入札撤回または無効な入札ＩＤなどが原因で）と判断することができる。
【０２０１】
動作１３１４では、ＤＰＣ  １４６は、ＤＳＣ買い拒否メッセージを生成し、ＤＳＣ  １４４に送信することができる。様々な実施形態では、ＤＰＣ  １４６は、メッセージタイプ情報要素（ＩＥ）、メッセージＩＤ  ＩＥ、入札ＩＤ  ＩＥおよび原因ＩＥのいずれかまたは全てを含むＤＳＣ買い拒否メッセージを生成することができる。入札ＩＤ  ＩＥの値は、動作１３０４の一部として受信されたＤＳＣ買い要求メッセージに含まれる入札識別子と同じであり得る。原因ＩＥは、買い要求の拒否に対する理由コード（例えば、要求された購入価格が満たされていない、入札が見つからないなど）を含み得る。動作ブロック１３１６では、ＤＳＣ  １３１６は、より高い入札額で新しい購入要求を提出するかどうかを判断するなどの様々な失敗に対する応答動作を実行することができる。動作ブロック１３１８では、ＤＰＣ  １４６は、他の借主ＤＳＣによる入札または買いに対してその資源が利用可能になるように様々な動作を実行する。
【０２０２】
図１４Ａおよび１４Ｂは、借主ネットワークのコンポーネントによるアクセスおよび使用のために貸主ネットワークの資源を割り当てるＤＳＡＡＰ資源割り当て方法１４００を示す。図１４Ａおよび１４Ｂに示される例では、ＤＳＡＡＰ資源割り当て方法１４００は、ＤＰＣ  １４６コンポーネント、借主ＤＳＣ  １４４ａコンポーネントおよび貸主ＤＳＣ  １４４ｂコンポーネントの処理コアによって実行され、それらの各々は、全てまたは一定の部分のＤＳＡＡＰモジュール／コンポーネントを含み得る。
【０２０３】
図１４Ａおよび１４Ｂに示される動作ブロック１４０２では、ＤＰＣ  １４６は、借主ＤＳＣ  １４４ａが貸主ＤＳＣ  １４４ｂによって表される貸主ネットワークの資源の購入または資源に対するオークションでの落札に成功したと判断することができる。図１４Ａに示される動作１４０４では、ＤＰＣ  １４６は、その割り当てられた資源／入札のうちの１つまたは複数が借主ＤＳＣ  １４４ａによって落札されたことを貸主ネットワーク通知するため、ＤＳＣ落札成功メッセージを生成し、貸主ＤＳＣ  １４４ｂに送信することができる。
【０２０４】
様々な実施形態では、ＤＰＣ  １４６は、メッセージタイプ情報要素（ＩＥ）、メッセージＩＤ  ＩＥ、原因ＩＥおよび臨界診断ＩＥのいずれかまたは全てを含むＤＳＣ落札成功メッセージを生成することができる。さらなる実施形態では、ＤＰＣ  １４６は、入札ＩＤ  ＩＥ、ＤＳＣ  ＩＤ  ＩＥおよび入札値ＩＥのいずれかまたは全ても含むＤＳＣ落札成功メッセージを生成するように構成することができる。これらの追加の情報要素は、落札入札に関する情報を伝達するために使用することができる。例えば、入札ＩＤ  ＩＥは、資源に対するオークションへの参加およびオークションでの落札に成功した入札に相当する入札ＩＤを含み得る。ＤＳＣ  ＩＤ  ＩＥは、オークション勝者（すなわち、借主ＤＳＣ  １４４ａ）のＤＳＣ  ＩＤを含み得る。入札値ＩＥは、資源の落札入札額および／または購入価格を含み得る。
【０２０５】
動作１４０４では、貸主ＤＳＣ  １４４ｂは、借主ネットワークのコンポーネントによるアクセスおよび使用のための資源の割り当て／委任を行うため、ＤＳＣ資源割り当て済みメッセージを生成し、ＤＰＣ  １４６に送信することができる。貸主ＤＳＣ  １４４ｂは、メッセージタイプ情報要素（ＩＥ）、メッセージＩＤ  ＩＥ、入札ＩＤ、ＰＬＭＮ−ＩＤグリッドＩＤセルＩＤリストＩＥ、ＰＬＭＮ  ＩＤ  ＩＥ、グリッドＩＤ  ＩＥ、セルＩＤリストＩＥおよび様々なオークション／資源詳細（例えば、帯域幅、ＭＢＰＳ、時間など）のいずれかまたは全てを含むＤＳＣ資源割り当て済みメッセージを生成するように構成することができる。実施形態では、ＰＬＭＮ  ＩＤ  ＩＥ、グリッドＩＤ  ＩＥおよびセルＩＤリストＩＥは、ＰＬＭＮ−ＩＤグリッドＩＤセルＩＤリストＩＥに含めることができる。ＰＬＭＮ  ＩＤ  ＩＥは、資源を割り当てる貸主ネットワークのＰＬＭＮ  ＩＤを含み得て、落札入札で特定されたものと同じＰＬＭＮ  ＩＤ／ネットワークであり得る。グリッドＩＤ  ＩＥおよびセルＩＤリストＩＥは、資源と関連付けられたグリッド／セルの特定に適した情報を含み得る。これらの値は、落札入札に含まれるグリッド／セル値と同じであり得る。
【０２０６】
動作１４０６では、ＤＰＣ  １４６は、借主ＤＳＣ  １４４ａが貸主ネットワーク資源のうちの割り当てられた資源の使用を開始できるようにするため、受信されたＤＳＣ資源割り当て済みメッセージを落札した借主ＤＳＣ  １４４ａに転送することができる。動作ブロック１４０８では、借主ＤＳＣ  １４４ａは、そのネットワーク機器が、入札の一部として指定されるおよび／または受信されたＤＳＣ資源割り当て済みメッセージに含まれる時刻から貸主ネットワーク資源の使用を開始するスケジューリングを行うことができる。
【０２０７】
図１４Ｂを参照すると、動作ブロック１４１０では、貸主ＤＳＣ  １４４ｂは、オークションの勝者への提出された資源の割り当てに先行して、オークションに対して提出された資源を撤回すべきであると判断することができる。貸主ＤＳＣ  １４４ｂは、各種の理由（例えば、思いがけないまたは管理上の理由など）で、借主ネットワークがそれらの資源を購入したまたは資源に対するオークションで落札したとＤＰＣ  １４６が判断した後に、資源を撤回すると判断することができる。
【０２０８】
動作１４１２では、貸主ＤＳＣ  １４４ｂは、資源を撤回するため、ＤＳＣ資源撤回済みメッセージを生成し、ＤＰＣ  １４６に送信することができる。貸主ＤＳＣ  １４４ｂは、メッセージタイプ情報要素（ＩＥ）、メッセージＩＤ  ＩＥ、入札ＩＤ  ＩＥ、原因ＩＥおよびＰＬＭＮ−ＩＤグリッドＩＤセルＩＤリストＩＥのいずれかまたは全てを含むＤＳＣ資源撤回済みメッセージを生成することができる。入札ＩＤ  ＩＥは、入札の特定における使用に適した情報を含み得る。原因ＩＥは、資源割り当ての撤回の理由（例えば、資源が利用可能ではない、資源が撤回された、管理上のなど）について説明する理由コードを含み得る。
【０２０９】
動作１４１４では、ＤＰＣ  １４６は、受信されたＤＳＣ資源撤回済みメッセージを、撤回された資源に対して落札入札を提出した借主ＤＳＣ  １４４ａに転送することができる。動作ブロック１４１６では、借主ＤＳＣ  １４４ａは、別のオークションに参加するかどうかの判断、異なる資源に対する入札を行うかどうかの判断、資源を解放するために通話を終えるかどうかの判断など、様々な失敗に対する応答動作を実行することができる。
【０２１０】
図１５Ａおよび１５Ｂは、貸主ネットワークからワイヤレスデバイスが加入している借主ネットワーク（すなわち、そのホームのＰＬＭＮ）にワイヤレスデバイスを選択的に引き戻すＤＳＡＡＰバックオフ方法１５００の実施形態を示す。図１５Ａおよび１５Ｂに示される例では、ＤＳＡＡＰバックオフ方法１５００は、ＤＰＣ  １４６コンポーネント、借主ＤＳＣ  １４４ａコンポーネントおよび貸主ＤＳＣ  １４４ｂコンポーネントの処理コアによって実行され、それらの各々は、全てまたは一定の部分のＤＳＡＡＰモジュール／コンポーネントを含み得る。
【０２１１】
図１５Ａおよび１５Ｂに示される動作ブロック１５０２では、貸主ＤＳＣ  １４４ｂは、前のオークションの一部であるセルからのそのネットワーク資源が混雑状態であると判断することができる。すなわち、貸主ＤＳＣ  １４４ｂは、その割り当てられた資源のアクセスまたは使用を必要とすると判断することができる。動作１５０４では、貸主ＤＳＣ  １４４ｂは、借主ネットワーク（すなわち、そのホームのＰＬＭＮ）に貸主ネットワークの割り当てられた資源を使用するワイヤレスデバイスを選択的に引き戻すため、ＤＳＣバックオフコマンドメッセージを生成し、ＤＰＣ  １４６に送信することができる。
【０２１２】
貸主ＤＳＣ  １４４ｂは、メッセージタイプ情報要素（ＩＥ）、メッセージＩＤ  ＩＥ、入札ＩＤ  ＩＥ、ＵＥアイデンティティＩＥ、測定レポートＩＥ、ハンドオフセル情報ＩＥ、原因ＩＥおよびＤＳＣバックオフ応答タイマＩＥのいずれかまたは全てを含むＤＳＣバックオフコマンドメッセージを生成するように構成することができる。
【０２１３】
ＵＥアイデンティティＩＥは、ワイヤレスデバイスまたはそのネットワークの国際移動電話加入者識別番号（ＩＭＳＩ）など、ワイヤレスデバイス（またはＵＥ）のアイデンティティ関連情報の決定における使用に適した情報を含み得る。
【０２１４】
測定レポートＩＥは、特定されたワイヤレスデバイス（すなわち、借主ネットワークへのバックオフが要求されたワイヤレスデバイス）に対して貸主ネットワークによって受信された最後の、最近のまたは最新の測定レポートＥ−ＵＴＲＡＮ  ＲＲＣメッセージを含み得る。
【０２１５】
入札ＩＤ  ＩＥは、オークションへの参加およびオークションの完了／オークションでの落札に成功した入札に相当する入札ＩＤ値を含み得る。入札ＩＤは、バックオフ動作と関連付けられたオークション／契約（すなわち、資源が割り当てられたオークション／契約）を特定するために使用することができる。
【０２１６】
実施形態では、貸主ＤＳＣ  １４４ｂは、混雑したセルに対応する入札ＩＤが複数あるかどうかを判断するように構成することができる。実施形態では、貸主ＤＳＣ  １４４ｂは、混雑したセルに対応する入札ＩＤが複数あるという判断に応答して、多数の入札ＩＤから入札ＩＤ値を選択するように構成することができる。様々な実施形態では、貸主ＤＳＣ  １４４ｂは、貸主ＤＳＣ  １４４ｂで規定されるオペレータポリシに基づいて、以前の合意に基づいて、以前に貸主および借主ネットワークオペレータによって協議されたポリシ／規則に基づいてなど、入札ＩＤ値を選択するように構成することができる。
【０２１７】
動作１５０６では、ＤＰＣ  １４６は、受信されたＤＳＣバックオフコマンドメッセージを借主ＤＳＣ  １４４ａに転送することができる。動作ブロック１５０８では、借主ＤＳＣ  １４４ａは、受信されたＤＳＣバックオフコマンドメッセージのＵＥアイデンティティＩＥの情報を使用して、バックオフ動作の対象となるワイヤレスデバイス（すなわち、引き戻されるべきワイヤレスデバイス）を特定することができる。
【０２１８】
動作ブロック１５１０では、借主ＤＳＣ  １４４ａは、受信されたＤＳＣバックオフコマンドメッセージの測定レポートＩＥに含まれる情報を使用して、特定されたワイヤレスデバイスが引き渡されるべき対象セル（借主ネットワーク内の）を決定、特定および／または選択することができる（貸主ネットワークは、ワイヤレスデバイスが貸主ネットワークに取り付けられている時または引き渡された時など、以前に、ワイヤレスデバイスからの測定レポートを可能にした可能性がある）。
【０２１９】
動作１５１２では、借主ＤＳＣ  １４４ａは、ＤＳＣバックオフ応答メッセージを生成し、ＤＰＣ  １４６に送信することができる。借主ＤＳＣ  １４４ａは、メッセージタイプ情報要素（ＩＥ）、メッセージＩＤ  ＩＥ、入札ＩＤ  ＩＥ、ＵＥアイデンティティＩＥ、ハンドオフセル情報ＩＥおよび原因ＩＥのいずれかまたは全てを含むＤＳＣバックオフ応答メッセージを生成するように構成することができる。実施形態では、借主ＤＳＣ  １４４ａは、ハンドオーバのための適切な対象セル（借主ネットワーク内の）を特定または選択できなかったという判断に応答して、原因ＩＥ（または原因ＩＥの値）を含むＤＳＣバックオフ応答メッセージを生成するように構成することができる。原因ＩＥの値は、ネットワーク過負荷、適切な対象セルが見つからないまたは未知のワイヤレスデバイス／ＵＥなどの失敗の原因を特定することができる。実施形態では、借主ＤＳＣ  １４４ａは、ワイヤレスデバイスが引き渡され得る対象セル（借主ネットワーク内の）の特定の成功に応答して、ハンドオフセル情報ＩＥに対する値（例えば、対象セル情報）を含むＤＳＣバックオフ応答メッセージを生成するように構成することができる。
【０２２０】
動作１５１４では、ＤＰＣ  １４６は、受信されたＤＳＣバックオフ応答メッセージに含まれる入札ＩＤ  ＩＥに基づいて貸主ＤＳＣ  １４４ａを特定し、受信されたＤＳＣバックオフ応答メッセージを貸主ＤＳＣ  １４４ｂに転送することができる。動作ブロック１５１６では、貸主ＤＳＣ  １４４ｂは、受信されたＤＳＣバックオフ応答メッセージがハンドオフセル情報ＩＥ（またはハンドオフセル情報ＩＥに対する有効値）を含むかどうかを判断することができる。受信されたＤＳＣバックオフ応答メッセージがハンドオフセル情報ＩＥ（またはハンドオフセル情報ＩＥに対する有効値）を含むという判断に応答して、動作ブロック１５１８では、貸主ＤＳＣ  １４４ｂは、ハンドオフセル情報ＩＥに含まれる対象セル情報を使用して、ハンドオーバ要メッセージを符号化することができる。動作ブロック１５２０では、貸主ＤＳＣ  １４４ｂは、貸主ネットワークから借主ネットワークにワイヤレスデバイスを引き渡すためにＳ１ベースのハンドオーバ手順を開始することができる。
【０２２１】
図１５Ｂを参照すると、動作ブロック１５５２では、貸主ＤＳＣ  １４４ｂは、ＤＰＣ  １４６がＤＳＣバックオフコマンドメッセージに含まれるＤＳＣバックオフ応答タイマＩＥで特定された時間内にＤＳＣバックオフコマンドメッセージ（動作１５０４の一部として送信された）に応答しなかったと判断することができる。その代替としてまたはそれに加えて、動作ブロック１５５４では、貸主ＤＳＣ  １４４ｂは、ＤＳＣバックオフコマンドメッセージに含まれるかまたはＤＳＣバックオフコマンドメッセージで特定された資源／入札ＩＤに関する全ての残りのネットワーク資源の割り当ての撤回を必要とするかなりのもしくは激しいネットワーク混雑または管理上の理由があると判断することができる。
【０２２２】
動作１５５６では、貸主ＤＳＣ  １４４ｂは、ＤＳＣ資源撤回済みメッセージを生成し、ＤＰＣ  １４６に送信することができる。動作１５５８では、ＤＰＣ  １４６は、残りのネットワーク資源の割り当てを撤回するため、受信されたＤＳＣ資源撤回済みメッセージを借主ＤＳＣ  １４４ａに転送することができる。動作ブロック１５６０では、借主ＤＳＣ  １４４ａは、通話を終える、新しい資源に対する入札を行うかどうかの判断など、様々な資源撤回失敗に対する応答動作を実行することができる。
【０２２３】
図１６Ａは、動作を終了するためのＤＳＣ始動ＤＳＡＡＰ登録解除方法１６００の実施形態を示す。図１６Ａに示される例では、ＤＳＣ始動ＤＳＡＡＰ登録解除方法１６００は、ＤＰＣ  １４６コンポーネントおよびＤＳＣ  １４４コンポーネントの処理コアによって実行され、それらの各々は、全てまたは一定の部分のＤＳＡＡＰモジュール／コンポーネントを含み得る。
【０２２４】
動作ブロック１６０２では、ＤＳＣ  １４４は、ＤＳＡ動作を終了する必要があると判断することができる。動作１６０４では、ＤＳＣ  １４４は、ＤＳＣ登録解除メッセージを生成し、ＤＰＣ  １４６に送信することができる。ＤＳＣ  １４４は、メッセージタイプ情報要素（ＩＥ）、メッセージＩＤ  ＩＥ、バックオフタイマＩＥ、および、動作終了の原因を特定する原因ＩＥのいずれかまたは全てを含むＤＳＣ登録解除メッセージを生成するように構成することができる。動作ブロック１６０６では、ＤＰＣ  １４６は、ＤＳＣ登録解除メッセージの受信に応答して、ＤＳＣ  １４４と関連付けられた全ての関連資源を消去することおよび／またはＤＳＣ  １４４を登録解除するための他の同様の動作を実行することができる。
【０２２５】
図１６Ｂは、動作を終了するためのＤＰＣ始動ＤＳＡＡＰ登録解除方法１６５０の実施形態を示す。図１６Ｂに示される例では、ＤＰＣ始動ＤＳＡＡＰ登録解除方法１６５０は、ＤＰＣ  １４６コンポーネントおよびＤＳＣ  １４４コンポーネントの処理コアによって実行され、それらの各々は、全てまたは一定の部分のＤＳＡＡＰモジュール／コンポーネントを含み得る。
【０２２６】
動作ブロック１６５２では、ＤＰＣ  １４６は、ＤＳＣ  １４４とのＤＳＡ動作を終了する必要があると判断することができる。動作１６５４では、ＤＰＣ  １４６は、ＤＳＣ登録解除メッセージを生成し、ＤＳＣ  １４４に送信することができる。ＤＰＣ  １４６は、メッセージタイプ情報要素（ＩＥ）、メッセージＩＤ  ＩＥ、バックオフタイマＩＥ、および、動作終了の原因（例えば、過負荷、詳細不明であるなど）を特定する原因ＩＥのいずれかまたは全てを含むＤＳＣ登録解除メッセージを生成するように構成することができる。動作ブロック１６５６では、ＤＰＣ  １４６は、ＤＳＣ  １４４と関連付けられた全ての関連資源を消去することおよび／またはＤＳＣ  １４４を登録解除するための他の同様の動作を実行することができる。
【０２２７】
動作ブロック１６５８では、ＤＳＣ  １４４は、受信されたＤＳＣ登録解除メッセージに含まれる情報に基づいて様々な登録解除失敗に対する応答動作を実行することができる。例えば、ＤＳＣ  １４４は、ＤＳＣ登録解除メッセージの原因ＩＥの値が「過負荷」に設定されている際は、少なくとも受信されたＤＳＣ登録解除メッセージに含まれるバックオフタイマＩＥで示される時間の間に同じＤＰＣ  １４６への登録を再度試みることがないように構成することができる。
【０２２８】
図１７Ａは、実施形態によるエラーを報告するためのＤＳＣ始動ＤＳＡＡＰエラー表示方法１７００を示す。図１７Ａに示される例では、方法１７００は、ＤＰＣ  １４６コンポーネントおよびＤＳＣ  １４４コンポーネントの処理コアによって実行され、それらの各々は、全てまたは一定の部分のＤＳＡＡＰモジュール／コンポーネントを含み得る。
【０２２９】
動作ブロック１７０２では、ＤＳＣ  １４４は、エラーまたはエラー状態（例えば、プロトコルエラーなど）を検出することができる。動作１７０４では、ＤＳＣ  １４４は、エラー表示メッセージを生成し、ＤＰＣ  １４６に送信することができる。ＤＳＣ  １４４は、メッセージタイプ情報要素（ＩＥ）、メッセージＩＤ  ＩＥ、原因ＩＥおよび臨界診断ＩＥのいずれかまたは全てを含むエラー表示メッセージを生成するように構成することができる。原因ＩＥは、エラーの原因またはタイプ（例えば、転送構文エラー、抽象構文エラー、論理エラーなど）の特定における使用に適した情報を含み得る。臨界診断ＩＥは、手順コードＩＥ、トリガメッセージＩＥおよび手順臨界ＩＥを含み得る。動作ブロック１７０６では、ＤＳＣ  １４４および／またはＤＰＣ  １４６は、受信されたエラー表示メッセージに含まれる検出されたエラーまたは情報に基づいて様々なエラーに対する応答動作を実行することができる。エラー検出および応答動作については、以下でさらに詳細に論じる。
【０２３０】
図１７Ｂは、別の実施形態によるエラーを報告するためのＤＰＣ始動ＤＳＡＡＰエラー表示方法１７５０の実施形態を示す。図１７Ｂに示される例では、方法１７５０は、ＤＰＣ  １４６コンポーネントおよびＤＳＣ  １４４コンポーネントの処理コアによって実行され、それらの各々は、全てまたは一定の部分のＤＳＡＡＰモジュール／コンポーネントを含み得る。
【０２３１】
動作ブロック１７５２では、ＤＰＣ  １４６は、エラー状態を検出することができる。動作１７５４では、ＤＰＣ  １４６は、エラー表示メッセージを生成し、ＤＳＣ  １４４に送信することができる。ＤＰＣ  １４６は、エラーの原因を特定する原因情報要素（ＩＥ）を含むエラー表示メッセージを生成するように構成することができる。動作ブロック１７５６では、ＤＳＣ  １４４および／またはＤＰＣ  １４６は、受信されたエラー表示メッセージに含まれる情報に基づいて様々なエラーに対する応答動作を実行することができる。
【０２３２】
上記で言及されるように、ＤＳＣ  １４４およびＤＰＣ  １４６は、エラーまたは失敗状態の検出に応答して、様々なエラーに対する応答または失敗に対する応答動作を実行するように構成することができる。これらの動作の一部として、ＤＳＣ  １４４および／またはＤＰＣ  １４６は、エラー／失敗状態のタイプまたは原因を特定し、特定されたタイプまたは原因に基づいてそれらの応答を調整することができる。例えば、ＤＳＣ  １４４および／またはＤＰＣ  １４６は、検出されたエラーがプロトコルエラーかどうかを判断し、それらの応答を相応に調整するように構成することができる。
【０２３３】
プロトコルエラーは、転送構文エラー、抽象構文エラーおよび論理エラーを含む。転送構文エラーは、受信側の機能ＤＳＡＡＰ実体（例えば、ＤＳＣ、ＤＰＣなど）が受信した物理的なメッセージを復号できない際に起こり得る。例えば、転送構文エラーは、受信メッセージのＡＳＮ．１情報の復号の間に検出することができる。実施形態では、ＤＳＣ  １４４およびＤＰＣ  １４６コンポーネントは、検出されたエラーが転送構文エラーであるという判断に応答して、ＤＳＡＡＰメッセージを再伝送または再要求する（例えば、エラーに対する応答動作の一部として）ように構成することができる。
【０２３４】
抽象構文エラーは、受信側の機能ＤＳＡＡＰ実体（例えば、ＤＳＣ、ＤＰＣなど）が把握または理解できない情報要素（ＩＥ）またはＩＥグループ（すなわち、未知のＩＥ  ＩＤ）を受信した際に起こり得る。また、抽象構文エラーは、実体が論理的な範囲（例えば、コピーの許容数）に違反した情報要素（ＩＥ）を受信した際にも起こり得る。ＤＳＣ  １４４およびＤＰＣ  １４６コンポーネントは、これらのタイプの抽象構文エラー（すなわち、把握できない抽象構文エラー）を検出または特定し、それに応答して、対応するＤＳＡＡＰメッセージに含まれる臨界情報に基づいてエラーに対する応答動作を実行するように構成することができる。これらの動作および臨界情報に関する追加の詳細については、以下でさらに提供する。
【０２３５】
また、抽象構文エラーは、受信側の機能ＤＳＡＡＰ実体がＩＥまたはＩＥグループを受信しなかったが、オブジェクトの指定された存在によれば、ＩＥまたはＩＥグループが受信メッセージに存在すべきであった際にも起こり得る。ＤＳＣ  １４４およびＤＰＣ  １４６コンポーネントは、これらの特定のタイプの抽象構文エラー（すなわち、不在のＩＥまたはＩＥグループ）を検出または特定し、それに応答して、不在のＩＥ／ＩＥグループの臨界情報および存在情報に基づいてエラーに対する応答動作を実行するように構成することができる。これらの動作、臨界情報および存在情報に関する追加の詳細については、以下でさらに提供する。
【０２３６】
また、抽象構文エラーは、受信側の実体が、間違った順番のまたは同じＩＥもしくはＩＥグループの発生が多過ぎる、そのメッセージの一部であるように定義されるＩＥまたはＩＥグループを受信した際にも起こり得る。それに加えて、抽象構文エラーは、受信側の実体がＩＥまたはＩＥグループを受信したが、関係オブジェクトの条件付きの存在および指定された条件によれば、ＩＥまたはＩＥグループが受信メッセージに存在すべきではなかった際にも起こり得る。ＤＳＣ  １４４およびＤＰＣ  １４６コンポーネントは、そのような抽象構文エラー（すなわち、間違った順番、多過ぎる発生、誤った存在など）を検出または特定し、それに応答して、エラーと関連付けられた手順または方法（例えば、エラーを引き起こした方法）を拒否または終了するように構成することができる。ＤＳＣ  １４４およびＤＰＣ  １４６コンポーネントは、エラーに対する応答動作の一部として手順／方法を拒否または終了することができる。
【０２３７】
様々な実施形態では、ＤＳＣ  １４４およびＤＰＣ  １４６コンポーネントは、そのメッセージに対して抽象構文エラーが起こったことを検出、特定または判断した後に、ＤＳＡＡＰメッセージの復号、読み取りまたは処理を続行するように構成することができる。例えば、ＤＳＣ  １４４およびＤＰＣ  １４６コンポーネントは、エラーを含むメッセージの一部分を飛ばして進み、メッセージの他の部分の処理を続行することができる。この続行処理の一部として、ＤＳＣ  １４４およびＤＰＣ  １４６コンポーネントは、追加の抽象構文エラーを検出または特定することができる。
【０２３８】
実施形態では、ＤＳＣ  １４４およびＤＰＣ  １４６コンポーネントは、検出された各抽象構文エラーに対してならびに／あるいは抽象構文エラーと関連付けられたＩＥ／ＩＥグループの臨界情報および存在情報に基づいてエラーに対する応答動作を実行するように構成することができる。
【０２３９】
上記で言及されるように、各ＤＳＡＡＰメッセージは、臨界情報、存在情報、範囲情報および割り当てられた臨界情報を含むことまたはそれらと関連付けることができる。様々な実施形態では、受信側の機能ＤＳＡＡＰ実体（例えば、ＤＳＣ、ＤＰＣなど）は、エラーを検出するか、エラーのタイプを特定するかまたは実行すべき特定のエラーに対する応答を特定する際に、そのような情報（例えば、臨界情報、存在情報など）のいずれかまたは全てを使用するように構成することができる。すなわち、実体は、臨界情報、存在情報、範囲情報および／または割り当てられた臨界情報の値に応じて異なる動作を実行することができる。
【０２４０】
実施形態では、受信側の機能ＤＳＡＡＰ実体（例えば、ＤＳＣ、ＤＰＣなど）は、エラーのタイプを特定する際および特定されたエラータイプに対して実行すべき特定のエラーに対する応答動作を特定する際に、ＤＳＡＡＰメッセージに含まれる存在情報を使用するように構成することができる。例えば、実体は、存在情報を使用して、情報要素（ＩＥ）の存在がそのメッセージまたは通信に対して任意選択のものであるか、条件付きのものであるかまたは義務的なものであるか（例えば、ＲＮＳアプリケーションに関して）どうかを判断することができる。実体は、受信したメッセージが義務的なものである（または条件が真の場合は条件付きのものである）と判断された１つまたは複数の情報要素を欠如している際に抽象構文エラーが起こったと判断することができる。
【０２４１】
実施形態では、受信側の機能ＤＳＡＡＰ実体（例えば、ＤＳＣ、ＤＰＣなど）は、実行すべき特定のエラーに対する応答動作を特定する際に、臨界情報を使用するように構成することができる。すなわち、各ＤＳＡＡＰメッセージは、そのメッセージに含まれる個々の情報要素（ＩＥ）またはＩＥグループの各々に対する臨界情報を含み得る。各ＩＥまたはＩＥグループに対する臨界情報の値は、「ＩＥを拒否」「ＩＥを無視して送信者に通知」および「ＩＥを無視」を含み得る。受信側の実体（例えば、ＤＳＣ、ＤＰＣなど）は、この臨界情報を使用して、ＩＥ、ＩＥグループまたはＥＰが把握できないと判断すること、抽象構文エラー（すなわち、把握できない抽象構文エラー）として状態を特定すること、ならびに／あるいは、実行すべきエラーに対する応答動作（例えば、拒否する、無視する、通知するなど）を特定することができる。
【０２４２】
実施形態では、受信側の実体（例えば、ＤＳＣ、ＤＰＣなど）は、その方法／手順の実行の間に受信されたメッセージに含まれる情報要素（ＩＥ）が把握できないという判断、および、そのＩＥに対する臨界情報のその値が「ＩＥを拒否」に設定されているという判断に応答して、方法／手順を拒否し、ＤＳＡＡＰエラー表示方法（図１７Ａ〜Ｂを参照して上記で論じられる）を開始するように構成することができる。
【０２４３】
例えば、方法／手順（例えば、ＤＳＣ登録要求メッセージなど）を開始するメッセージが受信され、把握できない１つまたは複数のＩＥ／ＩＥグループを含むと判断され、「ＩＥを拒否」とマーク付けされた際は、受信側の実体は、そのメッセージに含まれる機能要求のいずれも実行しないことによって、方法／手順を拒否することができる。また、受信側の実体は、普段は手順の不成功結果の報告に使用されるメッセージを使用して、１つまたは複数のＩＥ／ＩＥグループの拒否について報告することができる。受信された開始メッセージの情報が不十分であり、手順の不成功結果の報告に使用されるメッセージに存在する必要がある全てのＩＥの値の決定に使用できない際は、受信側の実体は、手順を終了し、ＤＳＡＡＰエラー表示方法／手順を開始することができる。
【０２４４】
さらなる例として、不成功結果を報告するためのメッセージを有さない方法／手順を開始するメッセージが受信され、そのメッセージが受信側の実体が把握できない「ＩＥを拒否」とマーク付けされた１つまたは複数のＩＥ／ＩＥグループを含む際は、受信側の実体は、方法／手順を終了し、ＤＳＡＡＰエラー表示方法／手順を開始することができる。
【０２４５】
さらなる別の例として、受信側の実体が把握できない「ＩＥを拒否」とマーク付けされた１つまたは複数のＩＥを含む応答メッセージ（例えば、ＤＳＣ登録応答メッセージなど）が受信された際は、受信側の実体は、方法／手順を終了に失敗したものと見なし、ローカルエラー処理方法を開始することができる。
【０２４６】
実施形態では、受信側の実体（例えば、ＤＳＣ、ＤＰＣなど）は、方法／手順を無視するかまたは飛ばして進み、その方法／手順の実行の間に受信されたメッセージに含まれる情報要素（ＩＥ）が把握できないという判断、および、そのＩＥに対する臨界情報のその値が「ＩＥを無視して送信者に通知」に設定されているという判断に応答してＤＳＡＡＰエラー表示方法（図１７Ａ〜Ｂを参照して上記で論じられる）を開始するように構成することができる。
【０２４７】
例として、受信側の実体が把握できない「ＩＥを無視して送信者に通知」とマーク付けされた１つまたは複数のＩＥ／ＩＥグループを含む、方法／手順を開始するメッセージが受信された際は、受信側の実体は、把握できないＩＥ／ＩＥグループのコンテンツを無視し、把握されたＩＥ／ＩＥグループを使用して、把握できないＩＥ／ＩＥグループが受信されなかったかのように方法／手順を続行し（報告を除いて）、１つまたは複数のＩＥ／ＩＥグループが無視されたことを方法／手順の応答メッセージで報告することができる。開始メッセージで受信された情報が応答メッセージに存在する必要がある全てのＩＥの値の決定に不十分である際は、受信側の実体は、方法／手順を終了し、ＤＳＡＡＰエラー表示方法／手順を開始することができる。
【０２４８】
さらなる例として、受信側の実体が把握できない「ＩＥを無視して送信者に通知」とマーク付けされた１つまたは複数のＩＥ／ＩＥグループを含む方法／手順の結果を報告するためのメッセージを有さない方法／手順を開始するメッセージが受信された際は、受信側の実体は、把握できないＩＥ／ＩＥグループのコンテンツを無視し、理解されたＩＥ／ＩＥグループを使用して、把握できないＩＥ／ＩＥグループが受信されなかったかのように方法／手順を続行し（報告を除いて）、１つまたは複数のＩＥ／ＩＥグループが無視されたことを報告するためにＤＳＡＡＰエラー表示方法／手順を開始することができる。
【０２４９】
さらなる別の例として、受信側の実体が把握できない「ＩＥを無視して送信者に通知」とマーク付けされた１つまたは複数のＩＥ／ＩＥグループを含む応答メッセージが受信された際は、受信側の実体は、把握できないＩＥ／ＩＥグループのコンテンツを無視し、理解されたＩＥ／ＩＥグループを使用して、把握できないＩＥ／ＩＥグループが受信されなかったかのように方法／手順を続行し（報告を除いて）、ＤＳＡＡＰエラー表示方法／手順を開始することができる。
【０２５０】
実施形態では、受信側の実体（例えば、ＤＳＣ、ＤＰＣなど）は、その方法／手順の実行の間に受信されたメッセージに含まれる情報要素（ＩＥ）が把握できないという判断、および、そのＩＥに対する臨界情報の値が「ＩＥを無視」に設定されているという判断に応答して、方法／手順を無視するかまたは飛ばして進むように構成することができる。
【０２５１】
例として、受信側の実体が把握できない「ＩＥを無視」とマーク付けされた１つまたは複数のＩＥ／ＩＥグループを含む方法／手順を開始するメッセージが受信された際は、受信側の実体は、把握できないＩＥ／ＩＥグループのコンテンツを無視し、理解されたＩＥ／ＩＥグループのみを使用して、把握できないＩＥ／ＩＥグループが受信されなかったかのように方法／手順を続行することができる。
【０２５２】
さらなる例として、受信側の実体が把握できない「ＩＥを無視」とマーク付けされた１つまたは複数のＩＥ／ＩＥグループを含む応答メッセージが受信された際は、受信側の実体は、把握できないＩＥ／ＩＥグループのコンテンツを無視し、理解されたＩＥ／ＩＥグループを使用して、把握できないＩＥ／ＩＥグループが受信されなかったかのように方法／手順を続行することができる。
【０２５３】
方法／手順のために定義された応答メッセージを使用して「ＩＥを拒否」または「ＩＥを無視して送信者に通知」とマーク付けされた把握できないＩＥ／ＩＥグループについて報告する際は、情報要素臨界診断ＩＥは、報告された各ＩＥ／ＩＥグループに対する臨界診断ＩＥに含めることができる。
【０２５４】
実施形態では、受信側の実体（例えば、ＤＳＣ、ＤＰＣなど）は、受信メッセージのあるタイプのメッセージＩＥを復号できないという判断に応答してＤＳＡＡＰエラー表示方法（図１７Ａ〜Ｂを参照して上記で論じられる）を開始するように構成することができる。実施形態では、実体は、メッセージに含まれるＩＥに対する正しい順番を決定する際にコンポーネントによって使用される仕様バージョンで指定されたＩＥのみ考慮するように構成することができる。
【０２５５】
実施形態では、受信側の実体（例えば、ＤＳＣ、ＤＰＣなど）は、レシーバによって使用される現在の文書のバージョンで指定された受信メッセージの不在のＩＥ／ＩＥグループに対する臨界情報に従って不在のＩＥ／ＩＥグループを処理するように構成することができる。
【０２５６】
例として、受信側の実体（例えば、ＤＳＣ、ＤＰＣなど）は、受信メッセージが指定された臨界「ＩＥを拒否」を有する１つまたは複数のＩＥ／ＩＥグループを欠如しているという判断に応答して、受信された開始メッセージの機能要求のいずれも実行しないように構成することができる。受信側の実体は、方法／手順を拒否し、普段は方法／手順の不成功結果の報告に使用されるメッセージを使用して、不在のＩＥ／ＩＥグループについて報告することができる。開始メッセージで受信された情報が方法／手順の不成功結果の報告に使用されるメッセージに存在する必要がある全てのＩＥの値の決定に不十分であると判断された際は、受信側の実体は、方法／手順を終了し、ＤＳＡＡＰエラー表示方法／手順を開始することができる。
【０２５７】
さらなる例として、不成功結果を報告するためのメッセージを有さない方法／手順を開始する受信メッセージが指定された臨界「ＩＥを拒否」を有する１つまたは複数のＩＥ／ＩＥグループを欠如している際は、受信側の実体は、方法／手順を終了し、ＤＳＡＡＰエラー表示方法／手順を開始することができる。
【０２５８】
さらなる別の例として、受信された応答メッセージが指定された臨界「ＩＥを拒否」を有する１つまたは複数のＩＥ／ＩＥグループを欠如している際は、受信側の実体は、方法／手順を終了に失敗したものと見なし、ローカルエラー処理方法／手順を開始することができる。
【０２５９】
別の例として、方法／手順を開始する受信メッセージが指定された臨界「ＩＥを無視して送信者に通知」を有する１つまたは複数のＩＥ／ＩＥグループを欠如している際は、受信側の実体は、それらのＩＥを欠如していることを無視し、メッセージに存在する他のＩＥ／ＩＥグループに基づいて方法／手順を続行し、１つまたは複数のＩＥ／ＩＥグループを欠如していたことを方法／手順の応答メッセージで報告することができる。開始メッセージで受信された情報が応答メッセージに存在する必要がある全てのＩＥの値の決定に不十分である際は、受信側の実体は、方法／手順を終了し、ＤＳＡＡＰエラー表示方法／手順を開始することができる。
【０２６０】
別の例として、方法／手順の結果を報告するためのメッセージを有さない方法／手順を開始する受信メッセージが指定された臨界「ＩＥを無視して送信者に通知」を有する１つまたは複数のＩＥ／ＩＥグループを欠如している際は、受信側の実体は、それらのＩＥを欠如していることを無視し、メッセージに存在する他のＩＥ／ＩＥグループに基づいて方法／手順を続行し、１つまたは複数のＩＥ／ＩＥグループを欠如していたことを報告するためにＤＳＡＡＰエラー表示方法／手順を開始することができる。
【０２６１】
別の例として、受信メッセージ受信された応答メッセージが指定された臨界「ＩＥを無視して送信者に通知」を有する１つまたは複数のＩＥ／ＩＥグループを欠如している際は、受信側の実体は、それらのＩＥを欠如していることを無視し、メッセージに存在する他のＩＥ／ＩＥグループに基づいて方法／手順を続行し、１つまたは複数のＩＥ／ＩＥグループを欠如していたことを報告するためにＤＳＡＡＰエラー表示方法／手順を開始することができる。
【０２６２】
別の例として、方法／手順を開始する受信メッセージが指定された臨界「ＩＥを無視」を有する１つまたは複数のＩＥ／ＩＥグループを欠如している際は、受信側の実体は、それらのＩＥを欠如していることを無視し、メッセージに存在する他のＩＥ／ＩＥグループに基づいて方法／手順を続行することができる。
【０２６３】
別の例として、受信された応答メッセージが指定された臨界「ＩＥを無視」を有する１つまたは複数のＩＥ／ＩＥグループを欠如している際は、受信側の実体は、それらのＩＥ／ＩＥグループを欠如していることを無視し、メッセージに存在する他のＩＥ／ＩＥグループに基づいて方法／手順を続行することができる。
【０２６４】
受信側の実体（例えば、ＤＳＣ、ＤＰＣなど）は、様々な方法で、間違った順番で受信されるか、多過ぎる発生を含むかまたは誤って存在する（すなわち、条件が満たされない際に「条件付き」として含まれるかまたはマーク付けされる）ＩＥまたはＩＥグループを含むメッセージに応答するように構成することができる。例えば、受信側の実体（例えば、ＤＳＣ、ＤＰＣなど）は、受信メッセージが間違った順番のＩＥもしくはＩＥグループを含むか、発生が多過ぎるＩＥを含むかまたは誤って存在するＩＥを含むという判断に応答して、受信された開始メッセージの機能要求のいずれも実行しないように構成することができる。受信側の実体は、方法／手順を拒否し、普段は方法／手順の不成功結果の報告に使用されるメッセージを使用して、原因値「抽象構文エラー（偽って構築されたメッセージ）」について報告することができる。開始メッセージで受信された情報が方法／手順の不成功結果の報告に使用されるメッセージに存在する必要がある全てのＩＥの値の決定に不十分である際は、受信側の実体は、方法／手順を終了し、ＤＳＡＡＰエラー表示方法／手順を開始することができる。
【０２６５】
別の例として、間違った順番の、発生が多過ぎるまたは誤って存在するＩＥまたはＩＥグループを含む、不成功結果を報告するためのメッセージを有さない方法／手順を開始するメッセージが受信された際は、受信側の実体は、方法／手順を終了し、原因値「抽象構文エラー（偽って構築されたメッセージ）」を使用してＤＳＡＡＰエラー表示方法／手順を開始することができる。
【０２６６】
別の例として、間違った順番の、発生が多過ぎるまたは誤って存在するＩＥまたはＩＥグループを含む応答メッセージが受信された際は、受信側の実体は、方法／手順を終了に失敗したものと見なし、ローカルエラー処理を開始することができる。
【０２６７】
上記で言及されるように、プロトコルエラーは、転送構文エラー、抽象構文エラーおよび論理エラーを含む。論理エラーは、メッセージが正しく把握されたが、メッセージ内に含まれる情報が有効ではない（すなわち、意味エラー）かまたは受信側の実体の状態との互換性がない方法／手順について説明する際に起こる。
【０２６８】
実施形態では、受信側の実体（例えば、ＤＳＣ、ＤＰＣなど）は、論理エラーの決定／検出に応答して、方法／手順のクラスに基づいておよび誤った値を含むＩＥ／ＩＥグループの臨界情報に関係なく、エラーに対する応答動作を実行するように構成することができる。
【０２６９】
例えば、クラス１の方法／手順の要求メッセージで論理エラーが検出され、方法／手順がこの不成功結果について報告するためのメッセージを有する際は、このメッセージは、「意味エラー」または「レシーバ状態との互換性がないメッセージ」などの適切な原因値（すなわち、原因ＩＥの）と共に送信することができる。クラス１の方法／手順の要求メッセージで論理エラーが検出され、方法／手順がこの不成功結果について報告するためのメッセージを有さない際は、方法／手順を終了し、適切な原因値でＤＳＡＡＰエラー表示方法／手順を開始することができる。論理エラーがクラス１の手順の応答メッセージに存在する場合は、手順を終了に失敗したものと見なし、ローカルエラー処理を開始することができる。
【０２７０】
クラス２の手順のメッセージで論理エラーが検出された際は、手順を終了し、適切な原因値でＤＳＡＡＰエラー表示手順を開始することができる。
【０２７１】
様々な実施形態では、受信側の実体（例えば、ＤＳＣ、ＤＰＣなど）は、エラー表示メッセージでプロトコルエラーが検出された際には、ローカルエラー処理方法／手順（ＤＳＡＡＰエラー表示方法／手順とは対照的に）を実行するように構成することができる。応答メッセージまたはエラー表示メッセージを返送する必要があるが、そのメッセージのレシーバの決定に必要な情報を欠如している場合は、手順を終了に失敗したものと見なし、ローカルエラー処理を開始することができる。手順を終了するエラーが起こった際には、返された原因値は、臨界「無視して通知」を有する１つまたは複数の抽象構文エラーが同じ手順内で以前に起こった場合でさえ、手順の終了を引き起こしたエラーを反映することができる。
【０２７２】
実施形態では、ＤＰＣ  １４６コンポーネントは、資源を割り当て／貸し出し、リース資源の使用をモニタし、リース資源の使用に対して口座への請求を自動的に行うように構成することができる。実施形態では、このことは、ＰＣＲＦ  １３４コンポーネントで入札特有の閉鎖された加入者グループ識別子ベースの（すなわち、ＣＳＧ−ＩＤベースの）請求規則を生成／インストールすることによって実現することができる。
【０２７３】
図１８Ａおよび１８Ｂは、様々な実施形態による、ＣＳＧ−ＩＤベースの請求規則を生成／インストールするための例示的なＤＳＡ資源割り当て方法１８００、１８５０を示す。方法１８００、１８５０は、借主ＤＳＣ  １４４ａ、ＤＰＣ  １４６、貸主ＤＳＣ  １４４ｂ、ＰＣＲＦ  １３４および／またはＰＣＥＦ  １２８の処理コアによって実行することができる。図１８Ａおよび１８Ｂに示される例では、ＰＣＲＦ  １３４および／またはＰＣＥＦ  １２８コンポーネントは、貸主ネットワークおよび借主ネットワークにそれぞれ含まれる。
【０２７４】
図１８Ａを参照すると、動作１８０２では、ＤＰＣ  １４６は、借主ネットワークが資源の購入に成功したことまたは資源に対するオークションで落札したことを示すため、買い受諾メッセージ（例えば、ＤＳＣ買い受諾）または落札メッセージ（例えば、ＤＳＣ落札）を借主ＤＳＣ  １４４ａに送信することができる。動作１８０４では、ＤＰＣ  １４６は、その割り当てられた資源／入札のうちの１つまたは複数が借主ＤＳＣ  １４４ａによって購入されたかまたは落札されたことを貸主ネットワークに通知するため、買い成功メッセージまたは落札成功（例えば、ＤＳＣ落札成功）メッセージを生成し、貸主ＤＳＣ  １４４ｂに送信することができる。ＤＰＣ  １４６は、ＤＳＣ  １４４ａを含むネットワークのＰＬＭＮ  ＩＤなどの借主ＤＳＣ  １４４ａの特定に適した情報を含む買い／落札成功メッセージを生成するように構成することができる。落札した借主ＤＳＣ  １４４は、そのネットワーク機器（例えば、ワイヤレスデバイス）が資源の使用を開始するおよび／または使用のために資源を利用可能にするスケジューリングを行う前に、ＤＰＣ  １４６からの「資源割り当て済み」メッセージ（例えば、ＤＳＣ資源割り当て済み）の受信を待つことができる。
【０２７５】
動作ブロック１８０６では、貸主ＤＳＣ  １４４ｂは、貸主ネットワークにおける借主ワイヤレスデバイスの移動性管理のための入札特有の閉鎖された加入者グループ（ＣＳＧ）識別子（ＣＳＧ−ＩＤ）を生成することができる。貸主ＤＳＣ  １４４ｂは、請求用のフィルタとして使用できるようにおよび／または入札／資源に関する全てのワイヤレスデバイスを選択するために使用できるように、ＣＳＧ−ＩＤを生成することができる。動作１８０８では、貸主ＤＳＣ  １４４ｂは、ＰＣＲＦ  １３４でＣＳＧ−ＩＤベースの請求規則をインストールするため、ＣＳＧ−ＩＤをＰＣＲＦ  １３４に送信することができる。
【０２７６】
動作ブロック１８１０では、ＰＣＲＦ  １３４は、貸主ＤＳＣ  １４４ｂからＣＳＧ−ＩＤおよび関連情報を受信し、この情報を使用してＣＳＧ−ＩＤベースの請求規則を生成することができる。動作１８１２では、ＰＣＲＦ  １３４は、実施のためにＣＳＧ−ＩＤベースの請求規則をＰＣＥＦ  １２８に送信することができる。動作ブロック１８１８では、ＰＣＥＦ  １２８コンポーネントは、ＣＳＧ−ＩＤベースの請求規則の実施を開始することができる。
【０２７７】
動作１８１４では、貸主ＤＳＣ  １４４ｂは、借主ネットワークのコンポーネントによるアクセスおよび使用のための資源の割り当て／委任を行うため、「資源割り当て済み」メッセージ（例えば、ＤＳＣ資源割り当て済み）を生成し、ＤＰＣ  １４６に送信することができる。貸主ＤＳＣ  １４４ｂは、入札ＩＤ、ＰＬＭＮ−ＩＤグリッドＩＤセルＩＤリスト、ＰＬＭＮ  ＩＤ、グリッドＩＤ、セルＩＤリストおよび様々なオークション／資源詳細（例えば、帯域幅、ＭＢＰＳ、時間など）のいずれかまたは全てを含む「資源割り当て済み」メッセージを生成するように構成することができる。動作１８１６では、ＤＰＣ  １４６は、「資源割り当て済み」メッセージを借主ＤＳＣ  １４４ａに送信することができる。動作ブロック１８１８では、ＰＣＥＦ  １２８コンポーネントは、ＣＳＧ−ＩＤベースの請求規則の実施を開始することができる。
【０２７８】
図１８Ｂは、借主ネットワークにＰＣＲＦ  １３４が含まれるシステムにおける資源の割り当てのためのＤＳＡ方法１８５０の実施形態を示す。具体的には、図１８Ｂに示される例では、借主ＤＳＣ  １４４ａ、ＤＰＣ  １４６および貸主ＤＳＣ  １４４ｂは、上記で論じられる動作１８０２、１８０４、１８０６、１８１４、１８１６を実行する。動作１８５２では、借主ＤＳＣ  １４４ａは、ＣＳＧ−ＩＤベースの請求規則をＰＣＲＦ  １３４にインストールするため、ＣＳＧ−ＩＤをＰＣＲＦ  １３４に送信することができる。動作ブロック１８５４では、ＰＣＲＦ  １３４は、借主ＤＳＣ  １４４ａから受信した情報に基づいてＣＳＧ−ＩＤベースの請求規則を生成することができる。動作１８５６では、ＰＣＲＦ  １３４は、実施のためにＣＳＧ−ＩＤベースの請求規則をＰＣＥＦ  １２８に送信することができる。動作ブロック１８５８では、ＰＣＥＦ  １２８コンポーネントは、ＣＳＧ−ＩＤベースの請求規則の実施を開始することができる。
【０２７９】
実施形態では、ＤＳＡコンポーネント（例えば、ＤＰＣ  １４６、ＤＳＣ１４４など）は、これらのデバイスがそのホームネットワークの資源、別のネットワークによって割り当てられた資源および並置された資源などの利用可能な資源に関して移動する過程においてワイヤレスデバイス１０２の取り扱い（例えば、ハンドオフ、ハンドイン、バックオフなど）をより良く管理し、調整するために移動性管理動作を実行するように構成することができる。移動性管理動作を実行することは、ワイヤレスデバイス１０２の場所を決定するためにＤＳＣ  １４４および／またはＤＰＣ  １４６コンポーネントがワイヤレスデバイス１０２、ｅＮｏｄｅ  １１２、ＭＭＥ  １３０および／またはＨＳＳ  １３２と通信することを含み得る。
【０２８０】
図１９Ａ〜１９Ｄは、様々な実施形態による、ワイヤレスデバイス１０２の場所をモニタするための様々な方法を示す。図１９Ａ〜１９Ｄに示される方法は、ワイヤレスデバイス１０２、ｅＮｏｄｅＢ  １１６、ＭＭＥ  １１３０、ＨＳＳ  １３２および／またはＤＳＣ  １４４の処理コアによって実行することができる。
【０２８１】
図１９Ａは、ワイヤレスデバイス１０２がｅＮｏｄｅＢ  １１６に取り付けられる際のワイヤレスデバイス１０２の場所情報を追加または更新する方法１９００を示す。動作１９０２では、ｅＮｏｄｅＢ  １１６は、新しいワイヤレスデバイス１０２が取り付け手順を開始したことおよび／またはｅＮｏｄｅＢ  １１６への取り付けに成功したことを示すため、「取り付け完了」メッセージをＭＭＥ  １３０に送信することができる。動作１９０４では、ＭＭＥ  １３０は、ワイヤレスデバイス情報の追加または変更の要求をＤＳＣ  １４４に送信することができる。動作ブロック１９０６では、ＤＳＣ  １４４は、要求メッセージを受信し、受信された要求メッセージに含まれる情報を使用してワイヤレスデバイス１０２の場所情報および／またはデータベース記録の追加または更新を行うことができる。次いで、ＤＳＣ  １４４は、この場所情報を使用して、その電気通信資源をより良く割り当てるかまたは使用することができる（例えば、ハンドオーバに対する対象ｅＮｏｄｅＢをより良く選択することなどによって）。
【０２８２】
図１９Ｂは、デバイスまたはｅＮｏｄｅＢ始動取り外し手順に応答してワイヤレスデバイス１０２の場所情報を更新／削除する方法１９２０を示す。動作１９２２では、ワイヤレスデバイス１０２は、直接またはｅＮｏｄｅＢ  １１６を介して、取り外し要求メッセージをＭＭＥ  １３０に送信することができる。別の実施形態では、ｅＮｏｄｅＢ  １１６は、ワイヤレスデバイス１０２が取り外し手順を開始した、通話を終えた、終了されたまたはそうでなければもはやそのｅＮｏｄｅＢ  １１６に取り付けられていないという判断に応答して、取り外し要求メッセージをＭＭＥ  １３０に送信するように構成することができる。動作１９２４では、ＭＭＥ  １３０は、ワイヤレスデバイス情報を削除するという要求をＤＳＣ  １４４に送信することができる。動作ブロック１９２６では、ＤＳＣ  １４４は、受信された要求メッセージに含まれる情報を使用して、ワイヤレスデバイス１０２の場所記録を更新する／取り除くことができる。例えば、ＤＳＣ  １４４は、ワイヤレスデバイス１０２がもはやネットワーク資源（例えば、ｅＮｏｄｅＢ  １１６）を使用していないことを示すため、ワイヤレスデバイス１０２と関連付けられた場所記録を削除することができる。
【０２８３】
図１９Ｃは、ＭＭＥ始動取り外し手順の検出に応答してワイヤレスデバイス１０２の場所記録を更新／削除する方法１９４０を示す。動作１９４２では、ＭＭＥ  １３０は、ＭＭＥ始動取り外し手順を開始するため、直接またはｅＮｏｄｅＢ  １１６を介して、取り外し要求メッセージをワイヤレスデバイス１０２に送信することができる。動作１９４４では、ＭＭＥ  １３０は、ワイヤレスデバイス情報を削除するという要求をＤＳＣ  １４４に送信することができる。動作ブロック１９４６では、ＤＳＣ  １４４は、要求メッセージ（または受信された要求メッセージに含まれる情報）を受信および使用して、ワイヤレスデバイス１０２の場所記録を更新する／取り除くことができる。
【０２８４】
図１９Ｄは、ＨＳＳ始動取り外し手順の検出に応答してワイヤレスデバイス１０２の場所記録を更新／削除する方法を示す。方法１９６０の動作１９６２では、ＨＳＳ  １３２は、ＨＳＳ始動取り外し手順を開始するため、「場所取消」メッセージをＭＭＥ  １３０に送信することができる。動作１９６４では、ＭＭＥ  １３０は、ワイヤレスデバイス情報を削除するという要求をＤＳＣ  １４４に送信することができる。動作ブロック１９６６では、ＤＳＣ  １４４は、要求メッセージを受信し、受信された要求メッセージに含まれる情報を使用して、ワイヤレスデバイス１０２の場所記録を更新するかまたは取り除くことができる。
【０２８５】
上記で論じられる方法１９００、１９２０、１９４０、１９６０は、ＤＳＡ決定をより良くかつより多く情報を得たものにするように、ワイヤレスデバイス１０２の場所についてＤＳＣ  １４４に絶えず通知するために使用することができる。すなわち、これらの方法は、ＤＳＣ  １４４がワイヤレスデバイスの最新情報（例えば、場所またはデータベース記録）を格納できるようにする。ＤＳＣ  １４４は、この情報を使用して、ハンドインおよびバックオフ動作（例えば、デバイスの移動性のため）に対する候補デバイスを特定することができる。
【０２８６】
さらなる例として、ＤＳＣ  １４４は、ハンドイン手順の候補として、貸主のグリッド境界（借主に対して入札がアクティブな所）に向けて移動していると判断される借主ワイヤレスデバイス１０２を指定することができる。同様に、ＤＳＣ  １４４は、バックオフの候補として（貸主ＤＳＣの視点から）、グリッド境界外へ移動した借主ワイヤレスデバイス１０２を指定することができる。
【０２８７】
それに加えて、ＤＰＣ  １４６および／またはＤＳＣ  １４４コンポーネントは、借主ワイヤレスデバイスが借主ネットワークと貸主ネットワークとの間を移動する過程において借主ワイヤレスデバイス移動性をさらにサポートするために様々な特別な機能を実行するように構成することができる。これらの特別な機能は、資源グリッドを特定すること、グリッドのバッファゾーンを決定すること、地理的境界またはワイヤレスデバイス移動性の間の境界を見つけること、接続されたワイヤレスデバイスに対するネットワーク間ハンドオーバを実行すること、ワイヤレスデバイスの近辺をモニタすること、ワイヤレスデバイスがアイドル状態であるかどうかを判断すること、混雑状態変化を判断することなどを含み得る。これらの特別な機能は、ハンドイン、ハンドオフまたはバックオフ手順の間のセルの機能停止またはブラックリスト入りに起因する覆域間隙を取り扱うことをさらに含み得る。それに加えて、これらの特別な機能は、オペレータポリシを特定すること、グリッドマップを介してブラックリストおよび動的な変化を決定すること、および、ハンドイン、ハンドオフまたはバックオフ手順を事前に計画することを含み得る。特別な機能は、移動性ベースの、混雑ベースの、入札ベースのまたは有効期限ベースのバックオフ動作を実行することをさらに含み得る。
【０２８８】
実施形態では、ＤＳＡシステムは、ライセンスエリア、地域的エリア、セル／セクタ領域および／またはサブセクタセル領域などの地理的エリアに基づいて、資源を貸し出すかまたは割り当てるように構成することができる。ＤＳＡシステムは、関連する地理的エリアをサブユニットに分割し、これらの地理的サブユニットを特定するグリッドマップデータ構造を生成し、グリッドマップデータ構造を使用して利用可能な資源に関するワイヤレスデバイスの地理的場所に基づいて資源の割り当て、割り当て解除および再割り当てを行うようにさらに構成することができる。
【０２８９】
図２０は、グリッドマップデータ構造によって表すことができるサブユニット２００２〜２０１２に分割された地理的エリアの図解である。これらのサブユニットは、第１の領域（領域１）２００４と、第２の領域（領域２）２００６とを有するライセンスエリア２００２を含む。第１および第２の領域２００４、２００６の各々は、１つまたは複数のセルサイトレベル２０１０にさらに分割することができる。各セルサイトレベル２０１０は、１つまたは複数のセクタまたはセルグリッド領域２００８を含み得る。各セクタまたはセルグリッド領域２００８は、１つまたは複数のサブセクタセルグリッド領域２０１２を含み得る。図２０に示される例では、第１の領域２００４は、セルサイトレベル２０１０領域を含み、第２の領域２００６は、セクタ／セルグリッド領域２００８と、サブセクションセルグリッド領域２０１２とを含む。これらのサブユニット２００２〜２０１２の各々は、電気通信資源の全てまたは一部分を含むかまたは表すことができる。
【０２９０】
ＤＳＡコンポーネント（例えば、ＤＰＣ  １４６、ＤＳＣ  １４４など）は、これらのサブサブユニット２００２〜２０１２を表す情報要素を含むおよび／またはライセンスエリア、領域、セルサイトレベル、セクタ／セルグリッド領域、サブセクタセル領域などに関する資源（例えば、ｅＮｏｄｅＢ  １１６、利用可能な帯域幅、ＲＦスペクトル資源など）の場所を特定するグリッドマップデータ構造を生成するように構成することができる。ＤＳＡコンポーネントは、グリッドマップデータ構造を使用して、利用可能な資源に関するワイヤレスデバイス１０２の移動および場所に基づいて資源の割り当て、割り当て解除および再割り当てを知的に行うように構成することができる。
【０２９１】
図２１は、グリッドマップデータ構造によって表すことができる論理および機能要素の図解である。ＤＳＡコンポーネントは、グリッドマップデータ構造を使用して、これらのデバイスが借主ネットワークと貸主ネットワークとの間を移動する過程において借主ワイヤレスデバイスの移動性をより良くサポートするために様々な動作を実行するように構成することができる。例えば、ＤＳＡコンポーネントは、一次グリッドおよびバッファゾーンを含むグリッドマップデータ構造を生成するように構成することができ、一次グリッドおよびバッファゾーンの各々は、セル／セクタおよびそれらの覆域ゾーンの特定に適した情報を含む／格納する情報構造であり得る。次いで、ＤＳＡコンポーネントは、一次グリッドおよび／またはバッファゾーンによって特定されたセル／セクタに関するワイヤレスデバイス１０２の場所を使用して、ネットワーク間ハンドオーバ動作を開始する（すなわち、借主ネットワークから貸主ネットワークに（逆もまた同様）デバイスを引き渡す）かどうかを判断することができる。
【０２９２】
図２１を参照すると、一次グリッド境界２１０２は、一次グリッド構造によって表すことができるセルサイト／セクタの覆域エリアを示す。バッファゾーン境界２１０４は、バッファゾーン構造によって表すことができるセルサイト／セクタを示す。
【０２９３】
一次グリッド構造は、セルサイトまたはセクタのリストおよびそれらの覆域エリア（例えば、無線周波数覆域エリアなど）を含み得る。このセルのリストは、図２１に示される一次グリッド境界２１０２などの地理的境界を特定または定義するために使用することができる。地理的境界は、セルの覆域エリアに基づいて定義された任意の多角形形状のエリアなど、いかなる形状または地理的エリアでもあり得る。各セルは、多数のｅＮｏｄｅＢ  １１６、単一のｅＮｏｄｅＢ  １１６を含み得る。また、各セルは、マクロセルの単一のセクタでもあり得る。
【０２９４】
一次グリッド構造は、一次グリッドセルリストにセルサイトまたはセクタのリストを含む／格納することができる。一次グリッドセルリストは、借主セル、貸主セルまたはそれらの組合せを含み得る。例えば、実施形態では、一次グリッドセルリストは、借主セルサイトと貸主セルサイトの両方およびそれらのそれぞれの覆域エリアを特定する情報を含み得る。借主および貸主セルの覆域エリア（一次グリッドセルリストに含まれる）は、完全に重なり合うことも、部分的に重なり合うことも、重なり合わないこともあり得る。また、一次グリッドセルリストは、セルの各々を内部セルまたは境界セルとして分類することもできる。例えば、一次グリッドセルリストは、内部セルリストおよび境界セルリストを含むように生成することができる。内部セルは、完全に地理的境界（例えば、一次グリッド境界２１０２）の内側にあるが境界の境界線に隣接しない覆域エリアを有するセルであり得る。境界セルは、境界の境界線に隣接する（または境界の境界線を越える）覆域エリアを有するセルであり得る。
【０２９５】
バッファゾーン構造は、一次グリッド境界２１０２の外側部分を取り囲む地理的エリアのセルの特定における使用に適した情報を含む／格納する情報構造であり得る。例として、バッファゾーンは、一次グリッドによって特定された地理的境界の外側にあるセル、一次グリッドによって特定されたセルサイト／セクタの覆域エリアの外側にある覆域エリアを有するセル、および／または、地理的境界の外側にあり、一次グリッドによって特定されたセルサイト／セクタの覆域エリアと部分的に重なり合う覆域エリアを有するセルのリストを含み得る。さらなる例として、バッファゾーンは、一次グリッドで特定された境界セル／セクタに隣接するセル／セクタの近隣リストを含むが、境界セルまたは一次グリッドセルリストに含まれるセルは含まない。
【０２９６】
借主ネットワークと貸主ネットワークの両方の近隣リストは、性能の理由で変更される可能性がある。従って、一次グリッド内のセルの地理的座標（および／またはセクタの向き）は、バッファゾーンの近隣リストを動的に決定するために使用することができる。すなわち、セル／セクタの近隣リストは、貸主および借主セルサイト／セクタの地理的座標に基づいて、セル／セクタが貸主システムのグリッドの内方向を向いているかまたは外方向を向いているかを判断するために使用されるそれらの向きを用いて、決定することができる。借主ネットワークの場合、セル／セクタのセル／セクタの向きは、貸主ネットワークへのハンドインに対する事前選択のための近隣セルを特定するために使用することができる。
【０２９７】
実施形態では、バッファゾーン構造は、複数のゾーン、レベルまたは階層を含むように生成することができる。例えば、バッファゾーン構造は、第１の階層セルのリストおよび第２の階層セルのリストを含むように生成することができる。第１の階層セルのリストは、一次グリッドに含まれるセルに隣接する（ただし、グリッドには含まれない）セルを含み得る。第２の階層セルのリストは、第１の階層セルに隣接するセル（ただし、第１の階層セル自体ではない）を含み得る。複数のゾーン／レベル／階層を含むバッファゾーンの生成および使用については、以下でさらに詳細に論じる。
【０２９８】
各ＤＳＣ  １４４（例えば、借主および貸主ＤＳＣ）は、一次グリッド、地理的境界、内部セル、境界セル、バッファゾーン、そのネットワークのバッファゾーンの深度を決定、演算および／または生成するように構成することができる。ＤＳＣ  １４４は、メッセージの数を低減するためおよび／またはハンドオーバドロップ（例えば、ＲＦ伝播特徴に起因する）の確率を低減するため、バッファゾーンのサイズ／深度を決定するように構成することができる。また、ＤＳＣ  １４４は、ネットワーク／デバイスの性能、混雑および資源消費特徴の均衡を保つため、バッファゾーンのサイズ／深度を決定するように構成することもできる。
【０２９９】
実施形態では、ＤＳＣ  １４４コンポーネントは、その地理的エリアのワイヤレスデバイス１０２の移動性に見合った数の階層を含むバッファゾーンを生成するように構成することができる。例えば、ＤＳＣ  １４４コンポーネントは、グリッドの地理的境界が比較的小さい時または人々（およびそれらのワイヤレスデバイス）が遠い距離をもしくは高速車両で頻繁に移動する地方／大都市エリアに対して、大多数の階層を含むバッファゾーンを生成するように構成することができる。同様に、ＤＳＣ  １４４コンポーネントは、グリッドの地理的境界が比較的広いもしくは大きい時または人々が通常短い距離を移動する都市エリアに対して、少数のレベル／階層を含むバッファゾーンを生成するように構成することができる。
【０３００】
図２２Ａは、ネットワーク間のハンドオーバ動作を開始するかどうかを知的に判断するためにグリッドマップデータ構造を生成および使用する方法２２００を示す。方法２２５０は、ＤＳＣ  １４４コンポーネントの処理コアで実行することができる。
【０３０１】
ブロック２２０２では、ＤＳＣ  １４４の処理コアは、地理的エリアに対する落札者を特定する通知メッセージを受信することができる。実施形態では、ＤＳＣは、第１の電気通信ネットワークに含まれる借主ＤＳＣであり得て、通知メッセージは、第１の電気通信ネットワークを落札者として特定する情報を含み得る。別の実施形態では、ＤＳＣは、第１の電気通信ネットワークに含まれる貸主ＤＳＣであり得て、通知メッセージは、第２の電気通信ネットワークを落札者として特定する情報を含み得る。
【０３０２】
ブロック２２０４では、処理コアは、地理的エリアの電気通信セルを特定する一次グリッド構造を含むグリッドマップ構造を生成することができる。ブロック２２０６では、処理コアは、内部セルおよび境界セルのうちの１つとして一次グリッド構造の電気通信セルの各々を分類することができる。ブロック２２０８では、処理コアは、境界セルに隣接する電気通信セルを特定するバッファゾーン構造を生成／更新し、生成／更新されたバッファゾーン構造を含むようにグリッドマップを更新することができる。
【０３０３】
ブロック２２１０では、処理コアは、ワイヤレスデバイスの場所をモニタすることができる。実施形態では、ＤＳＣは、第１の電気通信ネットワークに含まれる借主ＤＳＣであり得て、ワイヤレスデバイスの場所をモニタすることは、第１の電気通信ネットワークの第１のｅＮｏｄｅＢに取り付けられたワイヤレスデバイスの場所をモニタすることを含み得る。別の実施形態では、ＤＳＣは、第１の電気通信ネットワークに含まれる貸主ＤＳＣであり得て、ワイヤレスデバイスの場所をモニタすることは、第１の電気通信ネットワークに加入し、第２の電気通信ネットワークのｅＮｏｄｅＢに取り付けられたワイヤレスデバイスの場所をモニタすることを含み得る。
【０３０４】
ブロック２２１２では、処理コアは、一次グリッド構造の電気通信セルに関するワイヤレスデバイスの場所を使用して、ネットワーク間ハンドオーバ動作を開始するかどうかを判断することができる。様々な実施形態では、ネットワーク間ハンドオーバ動作を開始するかどうかを判断することは、資源リース期間が終了したかどうかを判断すること、ｅＮｏｄｅＢが混雑しているかどうかを判断すること、および／または、ワイヤレスデバイスが前に地理的エリア外に移動したことがあると判断することを含み得る。実施形態では、ＤＳＣは、第１の電気通信ネットワークに含まれる借主ＤＳＣであり得て、一次グリッド構造のセルに関するワイヤレスデバイスの場所を使用して、ネットワーク間ハンドオーバ動作を開始するかどうかを判断することは、第１のｅＮｏｄｅＢに取り付けられたワイヤレスデバイスを第２の電気通信ネットワークの第２のｅＮｏｄｅＢに転移するためにハンドイン動作を開始するかどうかを判断することを含み得る。別の実施形態では、ＤＳＣは、第１の電気通信ネットワークに含まれる貸主ＤＳＣであり得て、ブロック２２１２における、一次グリッド構造のセルに関するワイヤレスデバイスの場所を使用して、ネットワーク間ハンドオーバ動作を開始するかどうかを判断することは、第１の電気通信ネットワークに加入し、ｅＮｏｄｅＢに取り付けられたワイヤレスデバイスを第１の電気通信ネットワークに逆転移させるためにバックオフ動作を開始するかどうかを判断することを含み得る。
【０３０５】
図２２Ｂは、グリッドマップデータ構造の一次グリッド構造のセルサイトのリストを生成／更新するための方法２２５０の実施形態を示す。方法２２５０は、ＤＳＣ  １４４コンポーネントの処理コアで実行することができる。ブロック２２５２では、処理コアは、一次グリッド境界に相当する地理的エリア（例えば、多角形形状のエリア）を特定するＧＰＳ座標などのリースグリッド境界情報を受信することができる。ブロック２２５４では、処理コアは、一次グリッド境界内にあるセルサイト（またはそれらの覆域エリア）を決定することができる。ブロック２２５６では、処理コアは、セルサイトのリストを生成し、決定されたセルサイトを生成されたセルサイトのリストに追加することができる。ブロック２２５８では、処理コアは、生成されたセルサイトのリストから除外用にマーク付けされたおよび／またはブラックリスト入りしたセルサイトを取り除くことができる。あるいは、ブロック２２５６および２２５８では、処理コアは、除外用にマーク付けされたおよび／またはブラックリスト入りしたセルサイトを除外するように、セルサイトのリストを生成することができる。
【０３０６】
ブロック２２６０では、処理コアは、生成されたセルサイトのリストに含まれるセルサイトを、一次グリッド構造によって特定されたものと比較することができる。判断ブロック２２６２では、処理コアは、比較の結果を使用して、生成されたセルサイトのリストで特定されたセルサイトと一次グリッド構造によって特定されたものとの間に違いがあるかどうかを判断することができる。違いはないという判断（すなわち、判断ブロック２２６２＝「いいえ」）に応答して、判断ブロック２２６４では、処理コアは、タイマが切れたかどうかを判断することができる。未だタイマが切れていないという判断（すなわち、判断ブロック２２６４＝「いいえ」）に応答して、処理コアは、待つかまたは他のタスクを実行し、後の時間に（例えば、他のタスクを実行した後に）再度タイマを再チェックすることができる。タイマが切れたという判断（すなわち、判断ブロック２２６４＝「はい」）に応答して、処理コアは、ブロック２２５２〜２２６２の動作を繰り返すことができる。
【０３０７】
生成されたセルサイトのリストで特定されたセルサイトと一次グリッド構造によって特定されたものとの間に違いがあるという判断（すなわち、判断ブロック２２６２＝「はい」）に応答して、ブロック２２６６では、処理コアは、一次グリッド境界からある一定の距離（例えば、距離ｘ）内にあり、その境界の方向を向いている境界セルサイトを特定することができる。ブロック２２６８では、処理コアは、生成されたセルサイトのリストのセルサイトを境界または内部セルサイトとして分類することができる。ブロック２２７０では、処理コアは、境界および内部セルサイトを含むように一次グリッド構造のセルサイトのリストを追加または更新することができる。
【０３０８】
図２３Ａおよび２３Ｂは、バッファゾーン構造に含めるためのセルサイトを選択することによってバッファゾーンを決定するための方法２３００、２３２０の実施形態を示す。それに加えて、図２３Ａおよび２３Ｂは、ＤＳＣが借主ネットワークにあるかまたは貸主ネットワークにあるかに応じて、バッファゾーンを異なる形で決定することができることを示す。この理由は、借主バッファセルは貸主ネットワークへの優美なハンドインプロセスを促進するように選択することができ、貸主バッファセルは借主ネットワークへのバックオフを促進するように選択することができるためである。従って、方法２３００および２３２０は、一次グリッド境界の周りのワイヤレスデバイス移動性の可変性に対処する。
【０３０９】
図２３Ａを参照すると、ブロック２３０２では、処理コアは、境界セルサイトに隣接する近隣セルサイトを特定することができる。ブロック２３０４では、処理コアは、特定された近隣セルサイトが境界サイトであるおよび／または一次グリッド構造のセルサイトのリスト（すなわち、一次グリッドセルサイトリスト）に含まれるセルサイトであるかどうかを判断することができる。ブロック２３０６では、処理コアは、特定された近隣セルサイトを含むように、第１の階層サイトのリストを生成することができる。処理コアは、境界サイトであると判断されたセルサイトおよび一次グリッドセルサイトリストに含まれるセルサイトを除外するように、第１の階層サイトのリストを生成することができる。
【０３１０】
判断ブロック２３０８では、処理コアは、ネットワークオペレータポリシまたはワイヤレスデバイス１０２の移動性を評価することによってなど、複数のバッファレベルが要求されるまたは必要とされるかどうかを判断することができる。複数のバッファレベルが要求されないまたは必要とされないという判断（すなわち、判断ブロック２３０８＝「いいえ」）に応答して、ブロック２３１０では、処理コアは、第１の階層サイトを含むようにバッファゾーン構造のセルサイトのリストを追加または更新することができる。
【０３１１】
複数のバッファレベルが要求されるまたは必要とされるという判断（すなわち、判断ブロック２３０８＝「はい」）に応答して、ブロック２３１２では、処理コアは、第１の階層セルサイトに隣接するセルサイトを特定することができる。ブロック２３１２では、処理コアは、第１の階層セルサイトであるサイト、境界サイトであるサイトおよび一次グリッドセルサイトリストに含まれるサイトを除いて、これらの特定された近隣セルサイトを含むように、第２の階層サイトのリストを生成することができる。ブロック２３１４では、処理コアは、第１の階層サイトおよび第２の階層サイトを含むように、バッファゾーン構造のセルサイトのリストを更新することができる。上記の例は２つのレベル／階層について論じているが、幾多のレベル／階層をサポートするように方法２３００を実行できることを理解すべきである。
【０３１２】
図２３Ｂは、バッファゾーン構造のセルサイトのリストを生成または更新するための方法２３２０の別の実施形態を示す。方法２３２０は、貸主ＤＳＣ  １４４コンポーネントの処理コアで実行することができる。上記で論じられる方法２３００と同様に、ブロック２３０２では、処理コアは、境界セルサイトに隣接するセルサイトを特定することができ、ブロック２３０４では、処理コアは、特定された近隣セルサイトが境界サイトおよび／または一次グリッド構造のセルサイトのリストに含まれるセルサイトであるかどうかを判断することができる。
【０３１３】
ブロック２３２２では、処理コアは、境界サイトであると判断されたセルサイトおよび一次グリッド構造のセルサイトのリストに含まれないセルサイトを除いて、特定された近隣セルサイトを第１の階層サイトのリストに追加することができる。判断ブロック２３０８では、処理コアは、複数のバッファレベルが要求されるまたは必要とされるかどうかを判断することができる。複数のバッファレベルが要求されないまたは必要とされないという判断（すなわち、判断ブロック２３０８＝「いいえ」）に応答して、ブロック２３１０では、処理コアは、第１の階層サイトを含むようにバッファゾーン構造のセルサイトのリストを追加または更新することができる。複数のバッファレベルが要求されるまたは必要とされるという判断（すなわち、判断ブロック２３０８＝「はい」）に応答して、ブロック２３１２では、処理コアは、第１の階層セルサイトに隣接するセルサイトを特定することができる。
【０３１４】
ブロック２３２４では、処理コアは、第１の階層セルサイト、境界サイトまたはセルサイトのリストに含まれていないサイトを除いて、特定された近隣セルサイトを第２の階層サイトのリストに追加することができる。ブロック２３１４では、処理コアは、第１の階層サイトおよび第２の階層サイトを含むように、バッファゾーン構造のセルサイトのリストを更新することができる。
【０３１５】
実施形態では、ＤＳＣ  １４４は、セルサイトが保守のために取り除かれる際または停止していたセクタを作動させる際など、グリッドの変化を説明するため、内部、境界およびバッファゾーンセルの特定を定期的に再評価するように構成することができる。
【０３１６】
様々な実施形態では、ＤＳＡコンポーネントは、知的な対象セル選択およびハンドオーバ動作を実行するように構成することができる。すなわち、失敗およびレイテンシを低減するようにハンドオーバ動作を実行することが重要である。また、対象ネットワークのＤＳＣ  １４４がＤＳＣ  １４４のポリシ、混雑レベル、負荷平衡基準などに基づいて対象セルを選べるようにすることも望ましい。しかし、あらゆるネットワーク間Ｓ１ハンドオーバ手順に対象ＤＳＣ  １４４を関与させることは、レイテンシをもたらすおよび／またはハンドオーバ失敗を引き起こす可能性がある。
【０３１７】
これらのおよび他の制限を克服するため、実施形態では、ｅＮｏｄｅＢ  １１６は、ワイヤレスデバイス１０２から測定レポートを受信し（対象ネットワークのため）、受信した測定レポートを使用して対象セルを選択するおよび／または対象セルへのネットワーク間ハンドオーバ（ハンドインまたはバックオフ）手順を開始するように構成することができる。別の実施形態では、ＤＳＣ  １４４は、安全なピアツーピア接続（入札存続期間の間確立される）を使用して対象セル選択動作を調整するように構成することができる。測定レポートに基づいておよび／またはＤＳＣ調整動作に基づいて対象セルを選択することにより、様々な実施形態は、レイテンシを低減し、性能を改善し、ポリシ、混雑レベル、負荷平衡基準などに基づく対象セル選択を可能にする。
【０３１８】
実施形態では、ＤＳＣ  １４４コンポーネントは、そのネットワークのｅＮｏｄｅＢ  １１４から混雑状態情報を受信し、この混雑状態情報を使用して資源を知的に割り当て、ｅＮｏｄｅＢのユーザトラフィックを管理し、ハンドオーバに対する対象ｅＮｏｄｅＢを選択し、ｅＮｏｄｅＢに取り付けられたワイヤレスデバイスに提供すべきサービス品質（ＱｏＳ）レベルを決定し、ならびに／あるいは、様々なネットワークによる資源の割り当ておよび使用を知的に管理するために他の同様の動作を実行するように構成することができる。混雑状態情報は、ｅＮｏｄｅＢの現在の混雑状態（例えば、正常な、小規模な、大規模な、危険ななど）を特定することができる。各混雑状態は、混雑レベルと関連付けることができる。例えば、「正常な」混雑状態は、ｅＮｏｄｅＢが正常な負荷の下で動作している（例えば、５０％以下の使用閾値）ことを示し得る。「小規模な」混雑状態は、ネットワークコンポーネントが混雑を経験しているおよび／または平均を上回る負荷の下で動作している（例えば、５０％を超える使用閾値）ことを示し得る。「大規模な」混雑状態は、ネットワークコンポーネントがかなりの混雑を経験しているおよび／または重い負荷の下で動作している（例えば、７０％を超える使用閾値）ことを示し得る。「危険な」混雑状態は、ネットワークコンポーネントが激しい混雑を経験している、緊急事態を経験しているまたは極めて重い負荷の下で動作している（例えば、９０％を超える使用閾値）ことを示し得る。
【０３１９】
ＤＳＡコンポーネントは、ｅＮｏｄｅＢ混雑状態が変化するたびに様々な動作を実行するように構成することができる。従って、これらの混雑状態の頻繁な変化は、ＤＳＡシステムの性能に対してかなりの悪影響を有し得る。例として、ｅＮｏｄｅＢ  １１６は、使用レベルが５１％まで増加するたびに「小規模な」混雑状態を入力し、使用レベルが４９％まで降下するたびに「正常な」混雑状態に戻すことができる。これらの状態移行（すなわち、正常から小規模へ、および、小規模から正常へ）の各々は、大多数の動作または事象（例えば、ハンドイン、バックオフなどに対する）をトリガし得る。従って、使用レベル５１％〜４９％の頻繁な変動は、ネットワークおよびＤＳＡシステムの性能に対してかなりの悪影響を有し得る。
【０３２０】
同じ２つの状態間の頻繁な変動を回避するため、ＤＳＡコンポーネントは、混雑状態の移行を引き起こすアップおよびダウントリガに対して異なる閾値を実装することによってヒステリシス間隙を追加するように構成することができる。例えば、ｅＮｏｄｅＢ  １１６は、混雑に対するサンプルを平均化し、サンプルがある一定の閾値、遅れまたはヒステリシス値（例えば、１０％）を超えた際に混雑状態間を移行するように構成することができる。
【０３２１】
図２４は、状態変化間の遅れまたはヒステリシス間隙を導入するためにアップおよびダウントリガに異なる閾値を使用できることを示す。Ｙ軸は、ｅＮｏｄｅＢ  １１６における負荷率（例えば、混雑レベル）ならびに混雑状態（小規模な、大規模なおよび危険な）に対するアップおよびダウントリガポイントを示す。Ｘ軸は、タイムライン（ｔ）を説明する。左側の曲線２４０２は、負荷の増加（例えば、ｅＮｏｄｅＢにおける混雑の増加レベル）を示す。右側の曲線２４０４は、負荷／混雑の減少を示す。
【０３２２】
また、図２４は、小規模な、大規模なおよび危険な混雑状態の各々のアップおよびダウントリガ間の間隙も示す。例えば、小規模な、大規模なおよび危険な混雑状態のアップトリガはそれぞれ５０％、７０％および９０％に設定することができ、小規模な、大規模なおよび危険な混雑状態のダウントリガはそれぞれ４０％、６０％および８０％に設定することができる。これにより、１０％のヒステリシス間隙が構築され、それにより、ＤＳＡシステムは、頻繁な混雑状態変化を回避することができる。ＤＳＡコンポーネントは、頻繁な状態変化を回避するためにアップおよびダウントリガ間のそのようなヒステリシス間隙を使用するように構成することができる。ヒステリシス間隙は、ｅＮｏｄｅＢ  １４４によって設定することができる。このヒステリシス間隙は、ＤＳＣ  １４４によって設定または上書きすることができる。
【０３２３】
ＤＳＣ  １４４は、ネットワーク全体にわたって同じヒステリシスレベルを実施するためにｅＮｏｄｅＢ  １４４によって設定されたヒステリシス間隙を上書きするように構成することができる。また、ＤＳＣ  １４４は、セルサイト特有のトラフィックモデルに基づいて異なるセルサイトに対するヒステリシス間隙を増加または減少するように構成することもできる。スタジアムの近くのトラフィック使用レベルは大爆発的に増加／減少する可能性があるため、ＤＳＣ  １４４は、スタジアムを取り囲むエリアへのサービス提供を行うコンポーネントに対して、より大きなヒステリシス間隙（例えば、１５％対１０％）を使用することができる。
【０３２４】
図２５は、ピンポン回避動作の実施形態の実行が有益なグリッド境界（例えば、一次グリッド境界２２０２）の近くに位置するワイヤレスデバイス１０２の図解である。具体的には、図２５は、借主ネットワーク２５０２と貸主ネットワーク２５０４との間でワイヤレスデバイス１０２を転移するため、借主ワイヤレスデバイス１０２が境界を越えて移動するたびに、ＤＳＡシステムがハンドインおよびバックオフ動作を実行できることを示す。ワイヤレスデバイス１０２がグリッド境界を頻繁に越える場合は、そのようなハンドインおよびバックオフ動作の実行は、資源の非効率的な使用であり得る。実施形態では、ＤＳＡコンポーネントは、バッファゾーン構造（例えば、グリッドマップの）を使用してハンドインまたはバックオフ動作を実行するかどうかを判断するように構成することができ、その結果、同じグリッド境界を頻繁に越えるワイヤレスデバイス１０２によって引き起こされるピンポン効果を低減することができる。すなわち、ＤＳＡコンポーネントは、バッファゾーン構造を使用してピンポン回避動作を実行するように構成することができる。
【０３２５】
また、ＤＳＡコンポーネントは、タイマを使用して、ピンポン効果をさらに低減するように構成することもできる。例えば、借主ＤＳＣ  １４４は、時間を使用して、ワイヤレスデバイス１０２がグリッド境界を越えた後「Ｘ」秒（例えば、１〜６００秒）間は同じ借主ワイヤレスデバイス１０２に対するハンドイン動作を開始しないように構成することができる。同様に、貸主ＤＳＣは、タイマを使用して、ワイヤレスデバイス１０２がグリッド境界を越えた後「Ｙ」秒（例えば、１〜６００秒）間は借主ワイヤレスデバイスに対するバックオフ動作を開始しないように構成することができる。
【０３２６】
実施形態では、ＤＳＡコンポーネントは、ネットワーク間の移動性に基づいて負荷バランシング動作を実行するように構成することができる。例えば、借主ＤＳＣ  １４４は、そのネットワーク負荷の負荷平衡のためにハンドイン手順を実行するように構成することができる。例えば、貸主ＤＳＣ  １４４は、一次ユーザと二次ユーザの両方によって生成された全負荷に基づいて、ワイヤレスデバイス１０２の負荷平衡を行うことができる。また、貸主ＤＳＣ  １４４は、一次ワイヤレスデバイス１０２と二次ワイヤレスデバイス１０２の両方によって生成される全負荷の平衡を維持しながら、セルの二次ワイヤレスデバイス１０２による資源使用を制限することによって、ワイヤレスデバイス１０２の負荷平衡を行うこともできる。
【０３２７】
図２６は、リースグリッド境界２６０１、借主セル２６０２および貸主セル／セクタ２６０３に関するワイヤレスデバイス１０２の移動を示す。また、図２６は、覆域間隙が、借主セル／セクタ２６０２の覆域エリアの貸主セル／セクタ２６０３（リースグリッド内の）からのＲＦ覆域の欠如によって生じ得ることも示す。これらの事例では、借主ワイヤレスデバイスを貸主セル／セクタ２６０３に引き渡すことを試みることにより、貸主セル／セクタ２６０３に引き渡した直後にハンドオーバ失敗が引き起こされ得る。覆域間隙によって引き起こされたこれらのおよび他の条件を克服するため、ワイヤレスデバイス１０２は、ハンドイン動作を開始する前に、対象ネットワーク（この場合は、貸主ネットワーク）に関する測定レポートを送信するように構成することができる。測定レポートは、ワイヤレスデバイス１０２によって測定された重なり合った貸主セル／セクタ２６０３の信号強度を含み得る。ＤＳＣ  １４４は、これらの測定レポートを受信および使用して、ワイヤレスデバイス１０２を引き渡す予定の対象貸主セル／セクタを特定するように構成することができる。
【０３２８】
さらなる実施形態では、システムは、対象ネットワークからのセル／セクタに関する、ワイヤレスデバイス１０２からの２つの連続的な測定レポートを要求するように構成することができる。借主セルは、ワイヤレスデバイスからの第２の測定レポートの受信に応答しておよび／または信号強度レポートに基づいて（例えば、２つの連続的な測定レポートが同じまたはより高いＲＳＲＰ／ＲＳＲＱを有する際）、ハンドイン動作を開始するように構成することができる。
【０３２９】
様々な実施形態では、ＤＳＡコンポーネントは、ハンドインの間の貸主ネットワーク（リースグリッド内）における覆域間隙の取り扱い、ハンドオフの間の貸主ネットワーク（リースグリッド内）における覆域間隙の取り扱い、バックオフの間の借主ネットワーク（リースグリッド内）における覆域間隙の取り扱い、セルの機能停止によって生じる覆域間隙の取り扱い、および、セルのブラックリスト入りに起因する覆域間隙の取り扱いのための動作を実行するように構成することができる。ＤＳＡコンポーネントは、ハンドイン、ハンドオフおよびバックオフ動作の間、借主ネットワークと貸主ネットワークの両方に対して適用可能であり得る、セルの機能停止およびブラックリスト入りによって生じる覆域間隙に応答するように構成することができる。
【０３３０】
実施形態では、ＤＳＡコンポーネントは、ハンドオフ動作の間に覆域間隙を管理するように構成することができる。一般に、借主ワイヤレスデバイス１０２が貸主ネットワークに引き渡された後は、貸主ネットワーク内のいかなる覆域間隙も、貸主ネットワークのＲＦ計画およびハンドオーバアルゴリズムによって処理されることが予想される。例えば、３ＧＰＰのＳＯＮは、覆域間隙を自動的に見出して対処するために多くの手法を指定する。３ＧＰＰ  ＬＴＥリリース１０および１１のＳＯＮの覆域および容量最適化（ＣＣＯ）機能は、アンテナの傾きの修正、アンテナ電力の増加または減少、ならびに、ワイヤレスデバイス測定および場所報告機能を取り入れることによるドライブテストの最小化（ｍｉｎｉｍｉｚａｔｉｏｎ  ｏｆ  ｄｒｉｖｅ  ｔｅｓｔｓ）など、覆域間隙に対処するためにＳＯＮ手法のうちのいくつかを説明する。実施形態では、ネットワークは連続的に測定値を収集してパラメータ変更（アンテナの傾きおよび電力制御パラメータの変更など）を提案するため、ＤＳＡコンポーネントは、ＣＣＯのこれらのおよび他の機能を使用するように構成することができる。
【０３３１】
様々な実施形態では、ＤＳＡコンポーネントは、ワイヤレスデバイス移動性に起因するバックオフ、貸主ネットワークの混雑に起因するバックオフ、入札取消または入札撤回に起因するバックオフおよび入札終了に起因するバックオフを含むバックオフ動作の間に覆域間隙を管理するように構成することができる。ＤＳＡコンポーネントは、ワイヤレスデバイス測定レポートに基づいて対象セルを選択することによって、ワイヤレスデバイス移動性によって引き起こされたバックオフ動作の間に覆域間隙を管理するように構成することができる。ＤＳＡコンポーネントは、バックオフ動作を強制することおよび／またはハンドオーバ失敗に至らないようにバックオフ動作を素早く実行することによって、貸主ネットワークの混雑によって引き起こされたバックオフ動作の間に覆域間隙を管理するように構成することができる。ＤＳＡコンポーネントは、バックオフ動作を強制することによってまたは借主ネットワークからのセクタに関するワイヤレスデバイス測定レポートに基づいて対象セルを選択することおよび２つの連続的な測定レポートが同じまたはより高いＲＳＲＰ／ＲＳＲＱを有することを要求することによって、入札取消または撤回によって引き起こされたバックオフ動作の間に覆域間隙を管理するように構成することができる。
【０３３２】
ＤＳＡコンポーネントは、入札終了時刻の少し前の借主ネットワーク上の信号強度（ＲＳＲＰ／ＲＳＲＱ）を測定するようにワイヤレスデバイス１０２を準備することによって、入札終了によって引き起こされたバックオフ動作の間に覆域間隙を管理するように構成することができる。
【０３３３】
様々な実施形態では、ＤＳＡコンポーネントは、ハンドインおよびバックオフ動作の間にワイヤレスデバイス選択に対するオペレータポリシを適用するように構成することができる。例えば、借主ＤＳＣ  １４４は、ワイヤレスデバイスのサービスパッケージ（すなわち、アクティブな通話のためにワイヤレスデバイスが使用しているサービス）、そのＤＳＡ適格および／またはその優先度を使用することができる。これらの３つのパラメータの順番は、ＤＳＣ  １４４において構成可能であり得る。システムは、上記の３つのパラメータの順番を選択することができ、ワイヤレスデバイス１０２は、そのパラメータ順番に従って、ソートされたワイヤレスデバイスリストにソートすることができる。このソートされたワイヤレスデバイスリストは、ハンドインなどのネットワーク間ハンドオーバに使用することができる。
【０３３４】
実施形態では、ＤＳＡコンポーネントは、対象ネットワーク上のそのワイヤレスデバイスの測定レポートに基づいて、ワイヤレスデバイス１０２のネットワーク間ハンドオーバに対する対象セルを選択するように構成することができる。
【０３３５】
様々な実施形態では、ＤＳＡコンポーネントは、ブラックリストを生成して使用するように構成することができる。セルサイトのブラックリスト入りは、ハンドオーバの間のワイヤレスデバイスによるおよび近隣セルサイトによる使用に対してネットワークから締め出されたセルサイトをリストアップすることを指す。ブラックリスト入りは、一時的なものまたは長期間のものであり得る。このことは、セルサイト保守に起因して、セルサイトにおける大惨事に起因してまたは深刻な性能問題に起因して起こり得る。
【０３３６】
貸主ネットワークオペレータは、何らかの特別な事象または既知の性能問題に起因してなど、ブラックリストに含まれていないセルを特定することができる。また、ＤＳＣ  １４４は、ネットワーク状態に基づいて、動的にブラックリストに含まれるべきセル／サイトを決定することもできる。例えば、ＤＳＣ  １４４は、現在オフラインであるサイトをブラックリストに追加することができる。また、ＤＳＣ  １４４は、サイトがサービスを再開した際など、ＤＳＡ使用のために一般的なプールに戻すため、ブラックリストからセル／サイトを外すこともできる。
【０３３７】
ブラックリストは、貸主ネットワークと借主ネットワークとの間で伝達することができる。このことは、ＤＰＣ  １４６または借主ＤＳＣ  １４４と貸主ＤＳＣ  １４４との間で確立された通信トンネル（入札継続時間の間アクティブである）を介して実現することができる。対象セル選択の調整に対しても同じトンネルを使用することができる。借主および貸主ＤＳＣ  １４４は、ブラックリストを使用して、ブラックリスト入りしたセルによる影響を受けるセル／セクタの近隣のｅＮｏｄｅＢ  １１６に通知することができる。それらのｅＮｏｄｅＢ  １１６は、ハンドインまたはバックオフ動作に対する対象資源を考慮する間、ブラックリスト入りしたセルをパートナネットワークから除外することができる。ブラックリストを使用することおよび２つの（またはそれ以上の）連続的な測定レポートがワイヤレスデバイス１０２から受信されることを保証することにより、ＤＳＡコンポーネントは、ＤＳＡシステムの性能およびユーザ経験に対する覆域間隙の影響をより良く管理することができる。
【０３３８】
異なる事例は、セル／セクタが動作停止するかまたはサイレントセルになった際に生じる。ＤＳＣ  １４４はｅＮｏｄｅＢ  １１６に接続することができるため、ＤＳＣ  １４４は、動作停止しつつあるかまたはサイレントセルになりつつあるセルを検出することができる。それに加えて、ネットワークオペレータは、セル／セクタの動作状態が変化したことをＤＳＣ  １４４に通知することができる。ＤＳＣ  １４４は、一次グリッドまたはバッファゾーン内のセル／セクタに対するブラックリストと動作状態変化の両方を他のＤＳＣ  １４４に伝達することができる。例えば、ＤＳＣ  １４４がセルの動作状態に関する情報を受信した後、ＤＳＣ  １４４は、入札のためのパートナＤＳＣ  １４４にこの情報を伝達することができる。次いで、パートナＤＳＣ  １４４は、他のネットワークのセル／セクタの近隣の全ての関連ｅＮｏｄｅＢ  １１６にセル／セクタ状態を伝達することができる。次いで、ｅＮｏｄｅＢ  １１６は、この情報を使用して、より知的なハンドオーバ決定を行うことができる。
【０３３９】
ワイヤレスデバイス１０２はサイレントセルをその測定レポートに含み得るため、ソースｅＮｏｄｅＢ  １１６は、そのようなセルの存在を検出することができない場合がある。休止セルは、ｅＮｏｄｅＢ  １１６が送信しているが、ハンドインを受諾しないものである。これらのおよび他の条件を克服するため、ＤＳＡコンポーネントは、ハンドイン事前計画動作を実行するように構成することができる。
【０３４０】
借主ＤＳＣ  １４４は、入札グリッド内およびその周りのセルに現在取り付けられている、資源割り当てに適格な借主ワイヤレスデバイス１０２を記録するように構成することができる。これは、ハンドインに対する候補ワイヤレスデバイスのリストである。このリストは、ワイヤレスデバイスがこれらのセル／セクタのうちの１つから取り外された場合にワイヤレスデバイスを取り除くように更新し、新しいワイヤレスデバイスがこれらのセルのうちの１つに取り付けられた場合に新しいワイヤレスデバイスをリストに追加することができる。同様に、ＤＳＣ  １４４は、バッファゾーンのセルに現在取り付けられているワイヤレスデバイス１０２のリストを格納することができる。
【０３４１】
入札開始時刻前（例えば、入札開始時刻のＸ分前）には、借主ＤＳＣ  １４４は、貸主のリースグリッド内の借主セルに取り付けられたＤＳＡ適格ワイヤレスデバイス１０２のリストを回収するため、そのネットワークのＭＭＥ  １３０へのクエリを行う。このワイヤレスデバイスのリストは、ハンドイン候補リストに含めることができる。ワイヤレスデバイスがリースグリッド内の借主セルから取り外されるかまたはリースグリッド内の借主セルに取り付けられる際は、ＭＭＥ  １３０の通知は、ＤＳＣ  １４４がハンドイン候補リストを更新するようにトリガすることになる。「Ｘ」分は、ハンドインを準備する時間であるが、ワイヤレスデバイスが動き回る過程においてリストは常に変化する。従って、入札開始時刻になると、ＤＳＣ  １４４は、ハンドイン候補リストにあるワイヤレスデバイスに対するハンドイン動作を開始することができる。このリストは、ワイヤレスデバイスのサービスパッケージ、ＤＳＡ適格および優先度に対して選ばれた順番のオペレータポリシに基づいてソートすることができる。
【０３４２】
ＤＳＣ  １４４は、ハンドイン候補リストへの特定のワイヤレスデバイス１０２の包含に基づいて特定され得る、特定のワイヤレスデバイス１０２に対するハンドイン動作を開始するようにグリッドのｅＮｏｄｅＢ  １１６に要求することができる。ＤＳＣ  １４４は、グリッドの中心からバッファゾーンのエッジに向けて外方向にハンドインを開始するように構成することができる。候補リストで特定された全てのワイヤレスデバイス１０２が移動または転移した後、ＤＳＣ  １４４は、バッファゾーンのセル／セクタに取り付けられたワイヤレスデバイス１０２に対するハンドイン動作を開始することができる。
【０３４３】
実施形態では、ＤＳＣ  １４４は、ハンドイン候補リストに含まれるワイヤレスデバイス１０２を好むかまたはより高い優先度を与えるように構成することができる。例として、バッファゾーンのセル／セクタに取り付けられたワイヤレスデバイス１０２に対するハンドイン動作をＤＳＣ  １４４が実行している間、新しいワイヤレスデバイスをグリッドのセル／セクタに取り付けることができる。従って、これらの新しいワイヤレスデバイスは、ハンドイン候補リストがＤＳＣ  １４４によって処理された後にこのリストに追加することができる。そのような事例では、ＤＳＣ  １４４は、バッファゾーンのセル／セクタに取り付けられたワイヤレスデバイス１０２に対するさらなるハンドインを停止し、ハンドイン候補リストに追加された新しいワイヤレスデバイス１０２に対するハンドイン動作を開始するように構成することができる。
【０３４４】
貸主ｅＮｏｄｅＢ  １１６は、ワイヤレスデバイスの測定レポートに基づいておよび／またはワイヤレスデバイスによって報告された貸主セルの中で最も高いＲＳＲＰ／ＲＳＲＱ値を対象セルが有するという判断に応答して、対象セルを選択するように構成することができる。
【０３４５】
様々な実施形態では、ＤＳＡコンポーネントは、ハンドオフ事前計画動作を実行するように構成することができる。例として、貸主ネットワークは、ワイヤレスデバイス１０２がグリッド境界を出る場合（グリッドマップで特定することができる）にバックオフ動作を素早く開始できるように、借主ワイヤレスデバイス１０２が貸主ネットワークに引き渡された後に、借主ワイヤレスデバイス１２０の場所を厳密に追跡することができる。これは、グリッド境界の外側の貸主ネットワークの無線およびネットワーク資源を保護するためのものである。しかし、貸主資源は、バックオフの間バッファゾーンで未だ使用中である可能性があり（これもまたグリッドマップを介して特定することができる）、それにより、バックオフ動作が遅れるかまたはハンドオーバ失敗が生じる可能性がある。ハンドオフ事前計画動作を実行することにより、様々な実施形態は、グリッド境界を出るワイヤレスデバイス１０２を素早く、正確におよび効率的に引き渡せることを保証するため、借主ワイヤレスデバイス１０２のバックオフに備える。
【０３４６】
ハンドオフ事前計画動作の実行は、混雑状態情報および取り付けられたワイヤレスデバイスリストをＤＳＣ  １４４に送信することによってなど、各ｅＮｏｄｅＢ  １１６がその負荷率についてＤＳＣ  １４４に定期的に報告するように構成されることを含み得る。ＤＳＣ  １４４は、近隣の各ｅＮｏｄｅＢ  １１６またはセル（グリッドマップの近隣セルリストによって特定することができる）にこの情報を送信するように構成することができる。ｅＮｏｄｅＢ  １１４は、ネットワーク内ハンドオーバに対する対象セルを選択する際にこの情報を使用することができる。次いで、ｅＮｏｄｅＢ  １１４は、借主ワイヤレスデバイス１０２を対象貸主ｅＮｏｄｅＢ  １１６に引き渡すかどうかまたはワイヤレスデバイスのバックオフに備えるかどうかを判断することができる（ＤＳＣ  １４４の関与なしで）。
【０３４７】
例えば、ｅＮｏｄｅＢ  １１６は、近隣の対象ｅＮｏｄｅＢ  １１６またはセルがリースグリッド内にある（例えば、一次グリッドセルリストに含まれる）という判断に応答して、ハンドオーバ動作を実行するように構成することができる。ｅＮｏｄｅＢ  １１６は、近隣の対象ｅＮｏｄｅＢ  １１６またはセルがバッファゾーンにある（例えば、バッファゾーンセルリストに含まれる）という判断に応答して、バックオフ動作を実行するように構成することができる。ｅＮｏｄｅＢ  １１４がハンドオフに対する対象セルを選択できるようにすることにより、様々な実施形態は、レイテンシを低減し、性能を改善する。
【０３４８】
様々な実施形態では、ＤＳＡコンポーネントは、バックオフ事前計画動作を実行するように構成することができる。バックオフ手順は、ワイヤレスデバイス移動性、混雑、入札取消／撤回および入札終了を含む多くの理由／事例で開始することができる。ＤＳＡコンポーネントは、これらの事例の各々に特有のバックオフ事前計画動作を実行するように構成することができる。
【０３４９】
実施形態では、ＤＳＡコンポーネントは、ワイヤレスデバイス移動性に起因して開始されるバックオフ動作をより良くサポートするためにバックオフ事前計画動作を実行するように構成することができる。これらの動作の一部として、貸主ＤＳＣ  １４４は、借主ワイヤレスデバイス１０２が一次グリッドのセル／セクタからバッファゾーンのセル／セクタに引き渡される際、そのワイヤレスデバイス１０２をバックオフ候補リストに追加することができる。借主ＤＳＣ  １４４は、バックオフ要求をその対応するｅＮｏｄｅＢ  １１６に送信することによって、バックオフ候補リストにリストアップされるワイヤレスデバイス１０２に対するバックオフ動作を開始することができる。バッファゾーンの貸主ｅＮｏｄｅＢ  １１６は、近隣の借主セル／セクタ情報および対象ネットワークに関するワイヤレスデバイスの測定レポートを使用して、対象セルを選択し、ハンドオーバ動作を開始することができる。実施形態では、ｅＮｏｄｅＢ  １４４は、対象セルとして最も強いＲＳＲＰ／ＲＳＲＱ値を有するものとしてワイヤレスデバイス測定レポートで特定された借主セルを選択するように構成することができる。
【０３５０】
実施形態では、ＤＳＡコンポーネントは、そのネットワークの混雑に起因してＤＳＣ  １４４によって開始されるバックオフ動作をより良くサポートするためにバックオフ事前計画動作を実行するように構成することができる。これらの動作の一部として、ｅＮｏｄｅＢ  １１４は、近隣の借主セル／セクタのリストおよび各借主ワイヤレスデバイス１０２に対する測定レポートを受信して格納するように構成することができる。一次グリッドおよびバッファゾーンのｅＮｏｄｅＢ  １１４は、近隣の借主セル／セクタのリストから対象セルを選択することができる。貸主ｅＮｏｄｅＢ  １１６は、ワイヤレスデバイス１０２からの最も最近の（ここ数百ミリ秒の時間内）測定レポートを使用して、最良の対象セルを選択することができる。ワイヤレスデバイス１０２に対してそのような測定レポートが利用可能でない場合（存在していないかまたは測定レポートが構成された時間ウィンドウより古いため）は、貸主ｅＮｏｄｅＢ  １１６は、適切ないかなる対象ｅＮｏｄｅＢ  １１６も近隣の借主セルのリストから選択することができる。
【０３５１】
実施形態では、ＤＳＡコンポーネントは、入札終了に起因して開始されるバックオフ動作をより良くサポートするためにバックオフ事前計画動作を実行するように構成することができる。すなわち、入札終了の頃、ＤＳＣ  １４４は、バックオフに対して選択することができる一次グリッドおよびバッファゾーンのセル／セクタに取り付けられた借主ワイヤレスデバイス１０２を選択することができる。バックオフ動作は、グリッド境界からグリッドの中心まで実行することができる。この理由は、グリッド上の境界セルに取り付けられたワイヤレスデバイス１０２が、グリッド外へ移動し、バッファゾーンに入る可能性が高い（５０％の確率で）ためである。
【０３５２】
様々な実施形態では、ＤＳＡコンポーネントは、ワイヤレスデバイスのサービスパッケージ、デバイスのＴＰＡ優先度、グリッド内のワイヤレスデバイスの場所（すなわち、グリッドの境界上またはグリッド内部（およびグリッドが大きなサイズのものである場合はどれくらい内部に位置するか））、グリッドのセル／セクタに未だ取り付けられているワイヤレスデバイスの総数、入札終了までの残りの時間およびバックオフの対象ペーシングレート（ＣＰＵ処理時間を制限するため）を含む様々なパラメータに基づいて、バックオフ動作を実行するように構成することができる。
【０３５３】
実施形態では、ＤＳＡコンポーネントは、ワイヤレスデバイスがアイドル状態であるという判断に応答して、バックオフ動作を実行するように構成することができる。アイドル状態のワイヤレスデバイスは、ＥＣＭアイドル状態にある（すなわち、ＲＲＣ接続なし）デバイスであり得る。また、借主ワイヤレスデバイス１０２も、貸主ネットワークに引き渡された後はアイドル状態になり得る。貸主ＤＳＣ  １４４および／またはｅＮｏｄｅＢ  １１６コンポーネントは、一定の時間にワイヤレスデバイス１０２がデータを送信または受信しなかったという判断に応答して、ワイヤレスデバイスがアイドル状態であると判断するように構成することができる。貸主ＤＳＣ  １４４は、入札が終了した後または入札資源が事前に構成された閾値を上回って消費された後、アイドル状態のワイヤレスデバイス１０２を特定して借主ネットワークに逆転移するように構成することができる。
【０３５４】
図２７は、貸主の一次グリッド２７０２および完全にまたは部分的に一次グリッド２７０２内にある追跡エリア１〜１１に関する様々なワイヤレスデバイス１０２ａ〜１０２ｃの場所を示す。ＤＳＡコンポーネントは、異なる追跡エリア１〜１１およびワイヤレスデバイス移動性を使用して、入札終了後の借主ネットワークへのアイドル状態のワイヤレスデバイスの逆転移をより良く管理するように構成することができる。
【０３５５】
図２７に示される例では、ワイヤレスデバイス１０２ａ〜１０２ｃの各々はアイドル状態である。ワイヤレスデバイス１０２ａは、可動ではないため、入札終了後も一次グリッド１０２ａ内に配置されている。ワイヤレスデバイス１０２ｂは、トラフィックエリア８から一次グリッド２７０２内のトラフィックエリア７に移動した。ワイヤレスデバイス１０２ｃは、トラフィックエリア６から一次グリッド２７０２外のトラフィックエリア１１に移動した。
【０３５６】
ワイヤレスデバイス１０２ａ〜１０２ｃは、異なる追跡エリアに入るたびに、または、そのＭＭＥ  １３０に未だ登録されていない追跡エリアに入るたびに、ＭＭＥ  １３０に報告するように構成することができる。ＭＭＥ  １３０は、ワイヤレスデバイス１０２が横断する追跡エリアの各々を特定する情報を格納する。
【０３５７】
例えば、ワイヤレスデバイス１０２ｂは、追跡エリア８から追跡エリア７に移動したと判断し、追跡エリア７が以前にＭＭＥ  １３０に報告／登録されているかどうかを判断し、追跡エリア７が以前にＭＭＥ  １３０に報告／登録されていないという判断に応答して追跡エリア更新メッセージをＭＭＥ  １３０に送信するように構成することができる。ＭＭＥ  １０３は、追跡エリア更新メッセージを受信し、ワイヤレスデバイス１０２ｂが借主デバイスであると判断し（そのＩＭＳＩ値を介して）、追跡エリア更新メッセージの有効性確認を行うためにＭＭＥ（グリッドの追跡エリアに関する以前の知識を有するもの）と通信することができる。ＭＭＥ  １３０は、ワイヤレスデバイス１０２ｂに対して追跡エリア７を登録し、受信された追跡エリア更新メッセージが有効であるという判断に応答して追跡エリア更新受諾メッセージをワイヤレスデバイス１０２ｂに送信することができる。
【０３５８】
別の例として、ワイヤレスデバイス１０２ｃは、追跡エリア６から追跡エリア１１に移動したと判断し、追跡エリア１１が以前にＭＭＥ  １３０に報告／登録されているかどうかを判断し、追跡エリア１１が以前にＭＭＥ  １３０に報告／登録されていないという判断に応答して追跡エリア更新メッセージをＭＭＥ  １３０に送信するように構成することができる。ＭＭＥ  １０３は、追跡エリア更新メッセージを受信し、ワイヤレスデバイス１０２ｂが借主デバイスであると判断し（そのＩＭＳＩ値を介して）、追跡エリア更新メッセージの有効性確認を行うためにＭＭＥ（グリッドのトラフィックエリアに関する以前の知識を有するもの）と通信することができる。この場合、ＭＭＥは、追跡エリア１１が一次グリッド境界２７０２の外側にあり、従って、追跡エリア更新メッセージの有効性確認を行わないと判断する。従って、ＭＭＥ  １３０は、その追跡エリアでのローミングは許可されないことを示すために追跡エリア更新拒否メッセージをワイヤレスデバイス１０２ｃに送信する。ワイヤレスデバイス１０２ｃは、借主ワイヤレスデバイスがグリッド境界２７０２の外側をローミングすることは許可されないため、追跡エリア更新拒否メッセージの受信に応答してＰＬＭＮ選択動作を実行するように構成することができる。
【０３５９】
入札終了（または入札取消／撤回）の頃、ＤＳＣ  １４４は、借主ワイヤレスデバイス１０２ａおよび１０２ｂに対する逆移動動作を開始するようにＭＭＥに要求することができる（ワイヤレスデバイス１０３ｃは一次グリッド２７０２外に移動している）。ＤＳＣ  １４４は、アイドル状態のデバイスの順番付けされたリストをＭＭＥに送信することによって、借主ワイヤレスデバイス１０２ａおよび１２０ｂが借主ネットワークに引き戻される順番を選択することができる。
【０３６０】
ＭＭＥは、アイドル状態の借主ワイヤレスデバイス１０２ａおよび１０２ｂに対する逆移動動作をＭＭＥ  １３０に実行させるように通信メッセージを送信することができる。それに応答して、ＭＭＥ  １３０は、ワイヤレスデバイス１０２ａおよび１０２ｂを呼び出し、ＭＭＥ  １３０におけるＥＣＭアイドル状態からＥＣＭ接続状態への移行をワイヤレスデバイス１０２ａおよび１０２ｂに行わせることができる。ＭＭＥ  １２０は、ワイヤレスデバイス１０２ａおよび１０２ｂに対するＥＣＭ状態変化についてＭＭＥに通知することができる。次いで、ＭＭＥは、ＥＣＭ状態変化を示すために通信メッセージをＤＳＣ  １３０に送信することができる。ＤＳＣ  １４４は、借主ワイヤレスデバイス１０２ａおよび１０２ｂに対するＥＣＭ状態が変化したと判断し、次いで、これらのデバイスを借主ネットワークに転移するためにそれらのｅＮｏｄｅＢ  １１４がバックオフ動作を実行するように要求することによってこれらのデバイスに対するバックオフ手順を開始することができる。
【０３６１】
一般に、ＤＳＡ動作の実行の結果として落札がある際（例えば、借主ネットワークが資源を落札した／購入した後）には、借主および貸主ＤＳＣ  １４４は、その中でワイヤレスデバイスが特定の借主または貸主ネットワークに引き渡される予定の地理的境界を確立するための様々な動作を実行することができる。実施形態では、地理的境界を確立するための動作は、上記で論じられるグリッドマップ構造を生成することを含み得る。
【０３６２】
地理的境界が確立され、ＤＰＣが地理的エリアの借主ネットワークによるアクセスおよび使用のために落札された／購入された資源を割り当てた後、借主ＤＳＣ  １４４は、地理的エリア（すなわち、入札グリッド、入札エリア、一次グリッドなど）内のアクティブなワイヤレスデバイス１０２および貸主ネットワークに引き渡すべき候補（すなわち、ハンドインに対する候補）を特定する必要があり得る。
【０３６３】
図２８Ａは、入札の地理的境界にあるワイヤレスデバイスおよびハンドインに対する候補を知的に特定するための方法２８００の実施形態を示す。方法２８００は、ＤＳＣ  １４４コンポーネントの処理コアで実行することができる。
【０３６４】
ブロック２８０２では、処理コアは、入札エリアまたは入札グリッドの地理的境界の内側にあるかそれと重なり合う覆域エリアを有する全てのｅＮｏｄｅＢを特定することができる。例えば、処理コアは、そのネットワークのおよび／またはＤＳＣ  １４４が責任を有する／管理するｅＮｏｄｅＢの（例えば、ｅＮｏｄｅＢのセルタワーの）ＧＰＳ位置を格納するデータベースへのクエリを行うことができる。処理コアは、ｅＮｏｄｅＢの場所を特定し、それらの覆域エリアを演算し、それらの覆域エリアが地理的境界の内側にあるか、地理的境界と重なり合うかまたは地理的境界の近くにあるかを判断するため、このデータベースへのクエリを行うことができる。処理コアは、そのセルのセル半径（単位：マイル）を使用してセルの覆域エリアを演算することができる。別の実施形態では、処理コアは、グリッドマップ構造を介してｅＮｏｄｅＢを特定することができる。
【０３６５】
ブロック２８０４では、処理コアは、特定されたｅＮｏｄｅＢの各々からの適格なアクティブなワイヤレスデバイスのリストを要求することができる。ブロック２８０６では、処理コアは、特定されたｅＮｏｄｅＢの各々から適格なアクティブなワイヤレスデバイスのリストを受信することができる。ブロック２８０８では、処理コアは、特定されたｅＮｏｄｅＢから受信された適格なアクティブなワイヤレスデバイスのリストのワイヤレスデバイスの各々に対する測定レポートおよび位置情報を受信することができる。ブロック２８１０では、処理コアは、受信された位置情報に基づいて、受信された適格なアクティブなワイヤレスデバイスのリストに含まれるワイヤレスデバイスが地理的境界の内側にあるか、境界上にあるかまたは地理的境界の外側にあるかを判断することができる。また、実施形態では、処理コアは、ワイヤレスデバイスが地理的境界のどれくらい外側に位置するかを判断することもできる。ブロック２８１２では、処理コアは、受信された測定レポートに基づいて、貸主ｅＮｏｄｅＢの信号強度（すなわち、貸主ＡＲＦＣＮ）を決定することができる。
【０３６６】
ブロック２８１４では、処理コアは、決定された信号強度および／または地理的境界に関するワイヤレスデバイスの場所に基づいて、受信された適格なアクティブなワイヤレスデバイスのリストに含まれるワイヤレスデバイスをハンドイン動作に対して選択することができる。ブロック２８１６では、処理コアは、ハンドイン動作に対して選択されたワイヤレスデバイスにサービス提供するｅＮｏｄｅＢの各々に「ハンドイン開始」コマンドを送信することができる。
【０３６７】
図２８Ｂは、ハンドイン動作を知的に形成するためのｅＮｏｄｅＢ方法２８２０の実施形態を示す。方法２８２０は、ｅＮｏｄｅＢ  １１６コンポーネントの処理コアで実行することができる。
【０３６８】
ブロック２８２２では、処理コアは、ＤＳＣ  １４４コンポーネントからの適格なアクティブなワイヤレスデバイスのリストに対する要求を受信することができる。ブロック２８２４では、処理コアは、ｅＮｏｄｅＢ  １１６に取り付けられたアクティブなワイヤレスデバイスの各々に対する往復遅延（ＲＴＤ）値を演算または推定することができる。このことは、ＬＴＥ測位技法、強化セルＩＤ（ＥＣＩＤ）、補助全地球的航法衛星システム（Ａ−ＧＮＳＳ）、到来観測時間差（ＯＴＤＯＡ）、ＬＴＥ測位プロトコル（ＬＰＰ）、安全なユーザプレーン場所（ＳＵＰＬ）プロトコルまたはこれらの技法の任意の組合せを使用することによって実現することができる。
【０３６９】
ブロック２８２６では、処理コアは、アクティブなワイヤレスデバイスの各々から測定レポートおよび位置情報を要求して受信することができる。ブロック２８２８では、処理コアは、ＲＴＤ値、測定レポートおよび／または位置情報に基づいて、適格なアクティブなワイヤレスデバイスを特定することができる。ブロック２８３０では、処理コアは、特定されたワイヤレスデバイスを含む適格なアクティブなワイヤレスデバイスのリストを生成することができる。ブロック２８３２では、処理コアは、適格なアクティブなワイヤレスデバイスのリスト、測定レポートおよび位置情報をＤＳＣ  １４４コンポーネントに送信することができる。ブロック２８３４では、処理コアは、ＤＳＣ  １４４コンポーネントから適格なアクティブなワイヤレスデバイスのリストに含まれるワイヤレスデバイスに対する「ハンドイン開始」コマンドを受信することができる。
【０３７０】
図２９は、第２の通信ネットワークによるアクセスおよび使用のために第１の通信ネットワークの資源を割り当てるＤＳＡ方法２９００の実施形態を示す。ＤＳＡ方法２９００の動作は、ＤＰＣ  １４６コンポーネントの処理コアによって実行することができる。
【０３７１】
動作２９０２では、ＤＰＣ  １４６コンポーネントは、第１の通信ネットワークのＤＳＣ  １４４ａへの通信リンクを確立することができる。動作２９０４では、ＤＰＣ  １４６は、通信リンクを介して受信された情報に基づいて、第１の通信ネットワークの電気通信資源が割り当てに対して利用可能であるかどうかを判断することができる。実施形態では、ＤＰＣ  １４６は、後の日時において電気通信資源が割り当てに対して利用可能であると判断することができる。
【０３７２】
動作２９０６では、ＤＰＣ  １４６は、オークションを介して割り当てに対して電気通信資源が利用可能であることを多数の通信ネットワークに通知するのに適した情報を含み、オークションに対するオークション開始時刻を含む通信信号を放送することができる。動作２９０８では、ＤＰＣ  １４６は、通信メッセージの放送に応答して、放送通信信号に含まれるオークション開始時刻後に、割り当てに対して利用可能であると判断された電気通信資源に対して、多数の通信ネットワークから入札を受信することができる。実施形態では、多数の通信ネットワークから入札を受信することは、後の日時において判断された電気通信資源のアクセスおよび使用に対する入札を受信することを含み得る。
【０３７３】
動作２９１０では、ＤＰＣ  １４６は、オークションへの参加資格を有すると判断された認可ネットワークから受信された入札のみを受諾することができる。例えば、ＤＰＣ  １４６は、電気通信資源が多数の通信ネットワークの各々との互換性を有するかどうかを判断し、電気通信資源とのネットワークの互換性に基づいてオークションへの参加資格を有するものとして多数の通信ネットワークのうちのいくつかネットワークを許可し、認可ネットワークからの入札のみを受諾することができる。
【０３７４】
動作２９１２では、ＤＰＣ  １４６は、受諾された入札に基づいて、多数の通信ネットワークのうちの第２の通信ネットワークによるアクセスおよび使用のために、第１の通信ネットワークの電気通信資源を割り当てることができる。実施形態では、電気通信資源を割り当てることは、後の日時において第２の通信ネットワークによるアクセスおよび使用のために第１の通信ネットワークの電気通信資源を割り当てることを含み得る。動作２９１４では、ＤＰＣ  １４６は、割り当てられた電気通信資源の使用を開始できることを第２の通信ネットワークに通知するのに適した情報を含む通信メッセージを第２の通信ネットワークに送信することができる。動作２９１６では、ＤＰＣ  １４６は、第２の通信ネットワークによる使用のために割り当てられるものとして電気通信資源を特定するトランザクションをトランザクションデータベースに記録することができる。
【０３７５】
動作２９１８では、ＤＰＣ  １４６は、割り当てられた電気通信資源の返却を要求することができる。動作２９２０では、ＤＰＣ  １４６は、電気通信資源が第２のオークションを介して再割り当てに対して利用可能であることを多数の通信ネットワークに通知するため、第２の通信信号を放送することができる。
【０３７６】
図３０は、第２の通信ネットワークによるアクセスおよび使用のために第１の通信ネットワークの資源を割り当てるＤＳＡ方法３０００の別の実施形態を示す。ＤＳＡ方法３０００の動作は、ＤＰＣ  １４６コンポーネントの処理コアによって実行することができる。
【０３７７】
ブロック３００２では、ＤＰＣ  １４６コンポーネントは、第１の通信ネットワークのＤＳＣ  １４４ａへの通信リンクを確立することができる。ブロック３００４では、ＤＰＣ  １４６コンポーネントは、第１の通信ネットワークの資源が割り当てに対して利用可能であると判断することができる。ブロック３００６では、ＤＰＣ  １４６コンポーネントは、資源が割り当てに対して利用可能であることや、資源と関連付けられた地理的エリアについて、多数の通信ネットワークに通知する第１の通信信号を放送することができる。ブロック３００８では、ＤＰＣ  １４６コンポーネントは、多数の通信ネットワークのうちの第２の通信ネットワークによるアクセスおよび使用のために第１の通信ネットワークの資源を割り当てることができる。ブロック３０１０では、ＤＰＣ  １４６コンポーネントは、割り当てられた電気通信資源の使用を地理的エリアで開始できることを第２の通信ネットワークに通知する第２の通信信号を放送することができる。ブロック３０１２では、ＤＰＣ  １４６コンポーネントは、第２の通信ネットワークによる使用のために割り当てられるものとして電気通信資源を特定するトランザクションをトランザクションデータベースに記録することができる。
【０３７８】
動作３０１４では、ＤＰＣ  １４６コンポーネントは、割り当てられた電気通信資源の返却を要求することができる。動作３０１６では、ＤＰＣ  １４６は、電気通信資源が第２のオークションを介して再割り当てに対して利用可能であることを多数の通信ネットワークに通知するため、第２の通信信号を放送することができる。
【０３７９】
実施形態では、ＤＳＡ方法３０００は、ＤＰＣ  １４６コンポーネントが、第１の通信ネットワークの第１のＤＳＣ  １４４から、資源割り当てスキームに関連する資源構成情報を受信すること、および、第２の通信ネットワークの第２のＤＳＣ  １４４に資源構成情報を送信することをさらに含み得る。さらなる実施形態では、ＤＳＡ方法３０００は、ＤＰＣ  １４６コンポーネントが、第１のＤＳＣ  １４４から地理的エリアに基づいて電気通信資源の利用可能性に関連する調整情報を受信すること、および、調整構成情報を第２のＤＳＣ  １４４に送信することを含み得る。
【０３８０】
さらなる実施形態では、ＤＰＣ  １４６コンポーネントは、資源の使用に対して第１の通信ネットワークと第２の通信ネットワークとの間で資源リーススキームについて交渉し、資源リーススキームで定義される地理的境界に基づいて第１の通信ネットワークと第２の通信ネットワークとの間でモバイルデバイスのハンドオーバを調整するように構成することができる。ＤＰＣ  １４６は、地理的エリアへの加入者デバイスの近接度、加入者デバイスで利用可能なサービス品質レベルおよび／または資源リーススキームに含まれる情報に基づいて、第２の通信ネットワークの加入者デバイス（例えば、ワイヤレスデバイス１０２）の有効性を判断するようにさらに構成することができる。
【０３８１】
様々な実施形態では、ＤＰＣ  １４６は、地理的エリアへの加入者デバイスの近接度、加入者デバイスで利用可能なサービス品質レベルおよび／または資源リーススキームの諸条件に基づいて、ネットワークを変更するかまたは第１の通信ネットワークの資源への通信リンクを確立するように加入者デバイスに指示するように構成することができる。ＤＰＣ  １４６は、地理的エリアへの加入者デバイスの近接度に基づいて、ネットワークを変更するおよび／または別の資源に取り付けるように、電気通信資源に能動的に接続されるかまたは電気通信資源を使用している加入者デバイスに指示するように構成することができる。
【０３８２】
様々な実施形態は、ＤＳＡシステムの効率および速度を向上させるため、２つ以上のＤＳＡコンポーネント（例えば、ＤＰＣ、ＤＳＣ、ｅＮｏｄｅＢ、ＭＭＥ、ＨＳＳなど）間の通信を可能にする、促進する、サポートするまたは増大するように構成された動的スペクトルアービトラージアプリケーションパート（ＤＳＡＡＰ）プロトコルおよび／またはコンポーネントを含むかまたは使用することができる。ＤＳＡコンポーネントは、この出願で論じられるいかなるコンポーネントでもおよび／またはこの出願で論じられるＤＳＡ動作、通信もしくは方法のいずれかに参加するいかなるコンポーネントでもあり得る。従って、ＤＳＡＡＰコンポーネントは、この出願で論じられるいかなるコンポーネント間の通信（ＤＰＣコンポーネントとＤＳＣコンポーネントとの間、ＤＳＣコンポーネントとｅＮｏｄｅＢコンポーネントとの間、ＤＳＣコンポーネントとＭＭＥコンポーネントとの間、ＤＳＣコンポーネントとＨＳＳコンポーネントとの間、ＭＭＥコンポーネントとＨＳＳコンポーネントとの間、ｅＮｏｄｅＢコンポーネントとワイヤレスデバイスとの間などの通信を含む）も可能にする、促進する、サポートするまたは増大するように構成することができる。
【０３８３】
２つ以上のＤＳＡコンポーネント間の通信を促進するため、ＤＳＡＡＰコンポーネントは、アプリケーションプログラミングインタフェース（ＡＰＩ）を公開することおよび／またはＤＳＡコンポーネント間の通信を促進するクライアントモジュールを含むことができる。それに加えて、ＤＳＡＡＰコンポーネントは、ＤＳＡコンポーネントが特定の情報の伝達、使用特有の通信メッセージの使用、ならびに／あるいは、ＤＳＡシステムおよび参加ネットワークの効率および速度をさらに向上する様々なＤＳＡ機能を共に提供する特定の動作の実行を行えるように構成することができる。
【０３８４】
例として、ＤＳＡＡＰコンポーネントは、ｅＮｏｄｅＢがＤＳＣコンポーネントと（例えば、Ｘｅインタフェースを介して）、他のｅＮｏｄｅＢと（例えば、Ｘ２インタフェースを介して）および様々な他のコンポーネントと（例えば、Ｓ１インタフェースを介して）と通信できるように構成することができる。さらなる例として、ＤＰＣおよび／またはＤＳＣコンポーネントが異なるネットワークにわたって資源をより良くプールできるように、様々なネットワークにおけるトラフィックおよび資源使用をより良くモニタできるように、入札および入札情報についてより効率的に伝達できるように、素早くかつ効率的にコンポーネントの登録および登録解除を行えるように、ならびに、バックオフ動作をより良く実行できるように、ＤＳＡＡＰコンポーネントは、ＤＳＣコンポーネントとＤＰＣコンポーネントとの間の通信を可能にする、促進する、サポートするまたは増大するように構成することができる。また、ＤＳＡＡＰコンポーネントは、入札、インボイスの生成、資源の広告、資源の要求、資源の購入、入札認証情報の有効性の確認などの手順の性能および効率を向上することによって、ＤＳＡ資源オークション動作を改善することもできる。
【０３８５】
様々な実施形態では、全てまたは一定の部分のＤＳＡＡＰコンポーネントは、ＤＰＣコンポーネント、ＤＳＣコンポーネント、ｅＮｏｄｅＢコンポーネント、ＭＭＥコンポーネント、ＨＳＳコンポーネントなどの１つまたは複数のＤＳＡコンポーネントに含めることができる。ＤＳＡＡＰコンポーネントは、ハードウェア、ソフトウェア、または、ハードウェアとソフトウェアの組合せで実装することができる。実施形態では、ＤＳＡＡＰコンポーネントは、Ｘｅ、Ｘｄおよび／またはＸ２基準点上で定義することができるＤＳＡＡＰプロトコルを実装するように構成することができる。様々な実施形態では、ＤＳＣとｅＮｏｄｅＢとの間のＸｅ基準点は、ＤＳＡＡＰプロトコル、ＴＲ−０６９プロトコルおよび／またはＴＲ−１９２データモデル拡張を使用して、ｅＮｏｄｅＢにおける利用可能な資源のリストアップおよびｅＮｏｄｅＢへの入札／買い確認の通知をサポートすることができる。ＤＳＣとＤＰＣとの間のＸｄ基準点は、動的スペクトルおよび資源アービトラージ動作のためのＤＳＡＡＰプロトコルを使用することができる。ｅＮｏｄｅＢ間のＸ２インタフェース／基準点もまた、ＤＳＡＡＰプロトコルを使用して、情報を伝達することができる。
【０３８６】
様々な実施形態では、ＤＳＡＡＰコンポーネントは、様々なＤＳＡコンポーネント（例えば、ＤＳＣ、ＤＰＣ、ｅＮｏｄｅＢなど）がＤＳＡＡＰプロトコルをした通信および／または様々なＤＳＡＡＰ方法の実行を行えるように構成することができる。ＤＳＡＡＰ方法は、第１の電気通信ネットワーク（例えば、借主ネットワーク）の第１のＤＳＣサーバ、第２の電気通信ネットワーク（例えば、貸主ネットワーク）の第２のＤＳＣサーバ、ならびに、第１および第２の電気通信ネットワーク外のＤＰＣサーバを含むシステムなど、この出願で論じられるいずれのＤＳＡシステムでも実行することができる。
【０３８７】
様々な実施形態は、各種のモバイルワイヤレスコンピューティングデバイス上で実装することができ、その例を図３１に示す。具体的には、図３１は、実施形態のいずれかでの使用に適したスマートフォン／セルフォン３１００の形態のワイヤレストランシーバデバイスのシステムブロック図である。セルフォン３１００は、内部メモリ３１０２と結合されたプロセッサ３１０１と、ディスプレイ３１０３と、スピーカ３１０４とを含み得る。それに加えて、セルフォン３１００は、ワイヤレスデータリンクに接続することができる電磁放射線を送信および受信するためのアンテナ３１０５および／またはプロセッサ３１０１と結合されたセルラフォントランシーバ３１０６を含み得る。また、セルフォン３１００は、通常、ユーザ入力を受信するためのメニュー選択ボタンまたはロッカスイッチ３１０７も含み得る。
【０３８８】
また、典型的なセルフォン３１００は、マイクロフォンから受信された音声をワイヤレス伝送に適したデータパケットにデジタル化し、受信された音声データパケットを復号してアナログ信号を生成し、音声を生成するためにスピーカ３１０４にアナログ信号を提供する音声符号化／復号（ＣＯＤＥＣ）回路３１０８も含み得る。また、プロセッサ３１０１、ワイヤレストランシーバ３１０６およびＣＯＤＥＣ  ３１０８のうちの１つまたは複数は、デジタル信号プロセッサ（ＤＳＰ）回路（別々に図示せず）を含み得る。セルフォン３１００は、ワイヤレスデバイス間の低出力狭域通信のためのＺｉｇＢｅｅトランシーバ（すなわち、ＩＥＥＥ８０２．１５．４トランシーバ）または他の同様の通信回路（例えば、Ｂｌｕｅｔｏｏｔｈ（登録商標）もしくはＷｉＦｉプロトコルなどを実装している回路）をさらに含み得る。
【０３８９】
スペクトルアービトラージ機能を含む上記で説明される実施形態は、図３２に示されるサーバ３２００などの各種の市販のサーバデバイス上の放送システム内で実装することができる。そのようなサーバ３２００は、通常、揮発性メモリ３２０２および大容量不揮発性メモリ（ディスクドライブ３２０３など）と結合されたプロセッサ３２０１を含む。また、サーバ３２００は、プロセッサ３２０１と結合されたフロッピー（登録商標）ディスクドライブ、コンパクトディスク（ＣＤ）またはＤＶＤディスクドライブ３２０４も含み得る。また、サーバ３２００は、他の通信システムコンピュータおよびサーバと結合されたローカルエリアネットワークなどのネットワーク３２０７とのデータ接続を確立するためにプロセッサ３２０１と結合されたネットワークアクセスポート３２０６も含み得る。
【０３９０】
プロセッサ３１０１、３２０１は、以下で説明される様々な実施形態の機能を含む各種の機能を実行するようにソフトウェア命令（アプリケーション）によって構成することができる、いかなるプログラマブルマイクロプロセッサ、マイクロコンピュータまたは複数のプロセッサチップもしくはチップでもあり得る。いくつかのワイヤレスデバイスでは、あるプロセッサはワイヤレス通信機能専用であり、あるプロセッサは他のアプリケーションの実行専用である、複数のプロセッサ３２０１を提供することができる。通常、ソフトウェアアプリケーションは、アクセスされたり、プロセッサ３１０１、３２０１にロードされたりする前に、内部メモリ３１０２、３２０２に格納することができる。プロセッサ３１０１、３２０１は、アプリケーションソフトウェア命令の格納に十分な内部メモリを含み得る。いくつかのサーバでは、プロセッサ３２０１は、アプリケーションソフトウェア命令の格納に十分な内部メモリを含み得る。いくつかのレシーバデバイスでは、セキュアメモリが、プロセッサ３１０１と結合された別々のメモリチップにあり得る。内部メモリ３１０２、３２０２は、揮発性または不揮発性メモリ（フラッシュメモリなど）あるいは両方の混合物であり得る。この説明の目的のため、メモリへの一般的な言及は、プロセッサ３１０１、３２０１によるアクセスが可能な全てのメモリを指し、内部メモリ３１０２、３２０２、デバイスに差し込まれた取り外し可能メモリおよびプロセッサ３１０１、３２０１自体内のメモリを含む。
【０３９１】
前述の方法説明およびプロセスフロー図は、単に例示的な例として提供され、提示される順番で様々な実施形態のステップを実行しなければならないことを必要とするかまたは含意することを意図しない。当業者によって理解されるように、前述の実施形態のステップの順番は、いかなる順番でも実行することができる。「その後」、「次いで」「次に」などの用語は、ステップの順番を制限することを意図しない。すなわち、これらの用語は、単に、方法の説明を通じて読者を導くために使用される。さらに、例えば、冠詞（「ａ」、「ａｎ」または「ｔｈｅ」）を使用した単数形でのクレーム要素へのいかなる言及も、要素を単数形に制限するものと解釈してはならない。
【０３９２】
本明細書で開示される実施形態に関連して説明される様々な例示的な論理ブロック、モジュール、回路およびアルゴリズムステップは、電子ハードウェア、コンピュータソフトウェアまたは両方の組合せとして実装することができる。ハードウェアとソフトウェアのこの互換性を明確に示すため、上記では、様々な例示的なコンポーネント、ブロック、モジュール、回路およびステップについて、一般に、それらの機能性の観点から説明してきた。そのような機能性がハードウェアとして実装されるかまたはソフトウェアとして実装されるかは、全システムに課される特定のアプリケーションおよび設計制約に依存する。当業者は、特定のアプリケーションの各々に対して様々な方法で説明される機能性を実装することができるが、そのような実装決定は、本発明の範囲からの逸脱を引き起こすものと解釈すべきではない。
【０３９３】
本明細書で開示される実施形態に関連して説明される様々な例示的な論理、論理ブロック、モジュールおよび回路を実装するために使用されるハードウェアは、汎用プロセッサ、デジタル信号プロセッサ（ＤＰＣ）、特定用途向け集積回路（ＡＳＩＣ）、フィールドプログラマブルゲートアレイ（ＦＰＧＡ）もしくは他のプログラマブル論理デバイス、離散ゲートもしくはトランジスタ論理、離散ハードウェアコンポーネント、または、本明細書で説明される機能を実行するように設計されたそれらの任意の組合せで実装または実行することができる。汎用プロセッサは、マイクロプロセッサであり得るが、代替の方法では、プロセッサは、いかなる従来のプロセッサ、コントローラ、マイクロコントローラまたは状態マシンでもあり得る。また、プロセッサは、コンピューティングデバイスの組合せ（例えば、ＤＰＣとマイクロプロセッサの組合せ、多数のマイクロプロセッサ、ＤＰＣコアと連結された１つもしくは複数のマイクロプロセッサ、または、他の任意のそのような構成）として実装することもできる。あるいは、いくつかのステップまたは方法は、所与の機能に特有の回路によって実行することができる。
【０３９４】
１つまたは複数の例示的な態様では、説明される機能は、ハードウェア、ソフトウェア、ファームウェアまたはそれらの任意の組合せで実装することができる。ソフトウェアで実装される場合は、機能は、非一時的なコンピュータ可読媒体または非一時的なプロセッサ可読媒体上に１つまたは複数の命令またはコードとして格納することができる。本明細書で開示される方法またはアルゴリズムのステップは、非一時的なコンピュータ可読またはプロセッサ可読記憶媒体上に存在し得るプロセッサ実行可能ソフトウェアモジュールで実施することができる。非一時的なコンピュータ可読またはプロセッサ可読記憶媒体は、コンピュータまたはプロセッサによるアクセスが可能ないかなる記憶媒体でもあり得る。制限ではなく、例として、そのような非一時的なコンピュータ可読またはプロセッサ可読媒体は、ＲＡＭ、ＲＯＭ、ＥＥＰＲＯＭ、フラッシュメモリ、ＣＤ−ＲＯＭもしくは他の光ディスク記憶装置、磁気ディスク記憶装置もしくは他の磁気記憶デバイス、または、命令もしくはデータ構造の形態での所望のプログラムコードの格納に使用することができ、コンピュータによるアクセスが可能な他の任意の媒体を含み得る。ディスク（「Ｄｉｓｋ」および「ｄｉｓｃ」）は、本明細書で使用されるように、コンパクトディスク（ＣＤ）、レーザディスク、光ディスク、デジタル多用途ディスク（ＤＶＤ）、フロッピー（登録商標）ディスクおよびブルーレイディスクを含み、通常はディスクはデータを磁気的に再生するが、ディスクはレーザを用いてデータを光学的に再生する。上記の組合せもまた、非一時的なコンピュータ可読およびプロセッサ可読媒体の範囲内に含まれる。それに加えて、方法またはアルゴリズムの動作は、非一時的なプロセッサ可読媒体および／またはコンピュータ可読媒体上にコードおよび／または命令の１つ、任意の組合せまたはセットとして存在し得て、コンピュータプログラム製品に組み込むことができる。
【０３９５】
開示される実施形態の先行する説明は、当業者が本発明を作成または使用できるようにするために提供される。これらの実施形態への様々な変更は、当業者であれば容易に明らかであり、本明細書で定義される一般原理は、本発明の精神または範囲から逸脱することなく、他の実施形態に適用することができる。従って、本発明は、本明細書に示される実施形態に制限されることを意図しないが、以下の請求項の範囲ならびに本明細書で開示される原理および新規の特徴と一致する最も広い範囲が与えられるべきである。
【図１Ａ】
2016525824.tif 000003
【図１Ｂ】
2016525824.tif 000004
【図１Ｃ】
2016525824.tif 000005
【図１Ｄ】
2016525824.tif 000006
【図１Ｅ】
2016525824.tif 000007
【図２Ａ】
2016525824.tif 000008
【図２Ｂ】
2016525824.tif 000009
【図３】
2016525824.tif 000010
【図４】
2016525824.tif 000011
【図５】
2016525824.tif 000012
【図６】
2016525824.tif 000013
【図７】
2016525824.tif 000014
【図８Ａ】
2016525824.tif 000015
【図８Ｂ】
2016525824.tif 000016
【図８Ｃ】
2016525824.tif 000017
【図９Ａ】
2016525824.tif 000018
【図９Ｂ】
2016525824.tif 000019
【図１０Ａ】
2016525824.tif 000020
【図１０Ｂ】
2016525824.tif 000021
【図１１Ａ】
2016525824.tif 000022
【図１１Ｂ】
2016525824.tif 000023
【図１２Ａ】
2016525824.tif 000024
【図１２Ｂ】
2016525824.tif 000025
【図１２Ｃ】
2016525824.tif 000026
【図１２Ｄ】
2016525824.tif 000027
【図１３Ａ】
2016525824.tif 000028
【図１３Ｂ】
2016525824.tif 000029
【図１４Ａ】
2016525824.tif 000030
【図１４Ｂ】
2016525824.tif 000031
【図１５Ａ】
2016525824.tif 000032
【図１５Ｂ】
2016525824.tif 000033
【図１６Ａ】
2016525824.tif 000034
【図１６Ｂ】
2016525824.tif 000035
【図１７Ａ】
2016525824.tif 000036
【図１７Ｂ】
2016525824.tif 000037
【図１８Ａ】
2016525824.tif 000038
【図１８Ｂ】
2016525824.tif 000039
【図１９Ａ】
2016525824.tif 000040
【図１９Ｂ】
2016525824.tif 000041
【図１９Ｃ】
2016525824.tif 000042
【図１９Ｄ】
2016525824.tif 000043
【図２０】
2016525824.tif 000044
【図２２Ａ】
2016525824.tif 000045
【図２２Ｂ】
2016525824.tif 000046
【図２３Ａ】
2016525824.tif 000047
【図２３Ｂ】
2016525824.tif 000048
【図２４】
2016525824.tif 000049
【図２５】
2016525824.tif 000050
【図２７】
2016525824.tif 000051
【図２８Ａ】
2016525824.tif 000052
【図２８Ｂ】
2016525824.tif 000053
【図２９】
2016525824.tif 000054
【図３０】
2016525824.tif 000055
【図３１】
2016525824.tif 000056
【図３２】
2016525824.tif 000057
【図２１】
2016525824.tif 000058
【図２６】
2016525824.tif 000059
【国際調査報告】
2016525824.tif 000060
2016525824.tif 000061
2016525824.tif 000062